(57)【要約】【課題】エッジライト式の照明装置において端側が中央側よりも光源の一次光の色彩で色付く出射光の色ムラを抑制する。【解決手段】本発明の照明装置１２は、所定の波長領域に含まれる一次光を出射する光源１７と、前記一次光が入射される光入射面１９ｃと、前記一次光を出射させる光出射面１９ａと、光出射面１９ａの反対側に配される反対面１９ｂとを有する導光板１９と、反対面１９ｂを覆うように配される反射部材２０と、一次光によって励起されて前記波長領域とは異なる他の波長領域に含まれる二次光を放出する蛍光体を含有し、一次光の一部を透過させる波長変換部材１５０と、光源１７と入射端部１９０との間に形成される隙間Ｓ１を、光出射面１９ａ側から少なくとも覆うように又は入射端部１９０を反対面１９ｂ側から少なくとも覆うように配され、一次光が呈する基準色と補色の関係にある色を呈する補色部２２とを備える。【選択図】図４
2018166118.tif 000002
【特許請求の範囲】
【請求項１】
被照射体に光を照射する照明装置であって、
光源と、  
前記光源からの光を波長変換する蛍光体を含有する波長変換部材と、  
前記波長変換部材から前記被照射体側に出射された光の一部を前記波長変換部材に再帰反射させる再帰反射部と、を備え、
前記再帰反射部は、前記波長変換部材より前記被照射体側に配されると共に、前記波長変換部材を中央側部分と外周側部分とに区分したときに前記中央側部分とは非重畳とされ外周側部分の少なくとも一部に重畳する形で配される照明装置。
【請求項２】
前記再帰反射部は、前記波長変換部材に対して前記被照射体側に重なる形で配されている請求項１記載の照明装置。
【請求項３】
前記波長変換部材及び前記再帰反射部を位置決めする位置決め部を備えており、
前記波長変換部材には、前記位置決め部に当接される第１被位置決め部が設けられているのに対し、前記再帰反射部には、前記第１被位置決め部に整合する形で配されて前記位置決め部に当接される第２被位置決め部が設けられている請求項１または請求項２記載の照明装置。
【請求項４】
前記波長変換部材に対して前記被照射体側とは反対側に配される導光板であって、外周端面の少なくとも一部であって前記光源からの光が入射される入光端面と、一対の板面のいずれかであって光を出射させる出光板面と、を有する導光板を備え、
前記導光板の外縁部を前記被照射体側から支持するフレームを備えており、
前記再帰反射部は、前記フレームに重畳する部分と、前記フレームの内端位置よりも内側に配される部分と、を有している請求項１から請求項３のいずれか１項に記載の照明装置。
【請求項５】
前記導光板は、前記外周端面のうち前記入光端面を除いた部分が前記光源からの光が直接入射されることのない非入光端面とされており、
前記再帰反射部は、前記波長変換部材の前記外周側部分のうち、少なくとも前記非入光端面に並行する部分に重畳する形で配されている請求項４記載の照明装置。
【請求項６】
前記光源を収容するシャーシであって、前記光源に対してその発光面側とは反対側に配される底部を有するシャーシと、
前記光源からの光を反射する反射部材であって、前記底部に倣う形で配される底側反射部と、前記底側反射部から前記被照射体側に向けて立ち上がる立ち上がり反射部と、を少なくとも有する反射部材と、を備えており、
前記波長変換部材は、前記光源の前記発光面と対向状をなす形で前記被照射体側に離れて配されており、
前記再帰反射部は、前記立ち上がり反射部とは非重畳とされて前記立ち上がり反射部の外端位置よりも外側に配されている請求項１から請求項３のいずれか１項に記載の照明装置。
【請求項７】
前記光源は、青色の光を発するものとされており、
前記波長変換部材は、前記蛍光体として、前記青色の光を緑色の光に波長変換する緑色蛍光体及び前記青色の光を赤色の光に波長変換する赤色蛍光体と、前記青色の光を黄色の光に波長変換する黄色蛍光体と、の少なくともいずれか一方を含有している請求項１から請求項６のいずれか１項に記載の照明装置。
【請求項８】
前記波長変換部材は、前記蛍光体として量子ドット蛍光体を含有している請求項１から請求項７のいずれか１項に記載の照明装置。
【請求項９】
請求項１から請求項８の何れか一項に記載の照明装置と、前記照明装置からの光を利用して画像を表示させる表示パネルとを備える表示装置。
【請求項１０】
前記表示パネルは、液晶パネルからなる請求項９に記載の表示装置。
【請求項１１】
請求項９又は請求項１０に記載の表示装置を備えるテレビ受信装置。
【発明の詳細な説明】
【技術分野】
【０００１】
本発明は、照明装置、表示装置及びテレビ受信装置に関する。
【背景技術】
【０００２】
液晶表示装置は、液晶パネルと共に、液晶パネルに光を供給する照明装置（バックライト装置）を備えている。この種の照明装置としては、導光板の端面に沿う形でＬＥＤ（Light Emitting Diode）が配設される、所謂エッジライト型（又はサイドライト型）のものが知られている。このような照明装置は、液晶パネルの背面側に配され、液晶パネルの背面に向かって面状に広がった光を供給する。
【０００３】
また、近年、量子ドット蛍光体(Quantum Dot Phosphor)を含む蛍光体シートからなる波長変換部材を、導光板を覆う光学部材として利用した照明装置が知られている（例えば、特許文献１）。この種の照明装置では、ＬＥＤから出射された一次光（例えば、青色光）が蛍光体シートに供給されると、その光の一部が、シート中の量子ドット蛍光体を励起し、残りの光がシート中を透過することになる。量子ドット蛍光体が一次光によって励起されると、その量子ドット蛍光体からは、一次光とは異なった波長の二次光（緑色光及び赤色光）が放出される。シートから放出された二次光は、フィルムを透過する一次光と互いに混ざり合うため、結果的に、蛍光体シートからは、白色光が出射される。
【０００４】
また、特許文献２に示されるように、樹脂中に量子ドット蛍光体を分散させたものをガラス製の筒状容器内で封止した蛍光体チューブを波長変換部材として利用したエッジライト式の照明装置が知られている。この種の照明装置では、ＬＥＤと、光が入射される導光板の端面（光入射面）との間に蛍光体チューブが配され構成となっている。蛍光体チューブは、ＬＥＤから出射された一次光（例えば、青色光）を、二次光（緑色光及び赤色光）に変換して、導光板の光入射面に供給する。
【０００５】
また、特許文献３に記載された液晶表示装置は、液晶パネルと、液晶パネルに光を照射する直下型のバックライト装置と、を備える。この直下型のバックライト装置は、光源と、光源を収容するシャーシと、光源からの光を反射する光反射シートと、を備えており、このうちの光反射シートは、シャーシの底板の表面に沿って延在するシート底部と、シート底部の周縁から延びてシート底部に対して傾斜したシート傾斜部と、を有している。そして、光反射シートは、その光源側の面において、シート底部とシート傾斜部との境界線に沿った領域であって当該境界線を含む境界部の光反射率が、境界部に対して境界線よりも離れる側に隣接する離側隣接部の光反射率より高く設定され、さらにはシート底部とシート傾斜部との境界線は、平面視において、矩形波状をなしている。
【先行技術文献】
【特許文献】
【０００６】
【特許文献１】特表２０１３−５４４０１８号公報
【特許文献２】特開２０１４−２２５３７９号公報
【特許文献３】特許第５２９２４７６号
【発明の概要】
【発明が解決しようとする課題】
【０００７】
蛍光体シートを利用したエッジライト式の照明装置では、ＬＥＤ付近が最も光量が多く、そのような光が、ＬＥＤ付近に配される蛍光体シートの端部に供給されると、その端部からは、波長変換されずに一次光のままの状態の光が多く出射することになる。例えば、ＬＥＤとそれと対向する導光板の端面（光入射面）との間に隙間が形成されている場合、ＬＥＤから出射された光（一次光）の中には、導光板内に入らずに、その隙間からそのまま蛍光体シートの端部に向かうものもある。そのような光は、一次光の比率が高くなっている。また、導光板の下側に敷かれている反射シートの端部が、ＬＥＤ付近に配されている場合、ＬＥＤから出射された光（一次光）が導光板内に入射されても、その光の中には、反射シートの端部により立ち上がるように反射され、そのまま導光板を透過して、蛍光体シートの端部に向かうものもある。そのような光も、一次光の比率が高くなっている。このように、一次光が蛍光体シートの端部に供給されると、照明装置からは、端側が中央側よりも一次光の色彩（例えば、青色）で色付いた光が出射されることがあった。
【０００８】
また、蛍光体チューブを利用したエッジライト式の照明装置では、ＬＥＤから出射された光（一次光）の中には、量子ドット蛍光体を通過せずに、量子ドット蛍光体を取り囲む筒状容器の壁のみを通過するものがある。蛍光体チューブのうち、照明装置の表側に配される長手状に延びた透明な部分と、その裏側に配される長手状に延びた透明な部分とは、共に筒状容器の壁のみからなり、ＬＥＤの光出射方向（光軸方向）において量子ドット蛍光体を含んでいない構成となっている。例えば、ＬＥＤからの一次光が、量子ドット蛍光体を含んでいない蛍光体チューブの表側の部分に供給されると、その一次光は蛍光体チューブで波長変換されずに、導光板の光入射面付近の端部からそのまま一次光として出射される。また、ＬＥＤからの一次光が、量子ドット蛍光体を含んでいない蛍光体チューブの裏側の部分に供給されると、その一次光は蛍光体チューブで波長変換されず、その後、反射シートの端部により立ち上がるように反射され、そのまま導光板を透過して、導光板の光入射面付近の端部からそのまま一次光として出射される。このように、蛍光体チューブを利用したエッジライト式の照明装置においても、蛍光体チューブで波長変換されずに、蛍光体チューブを透過した光が、そのまま導光板の端部付近に供給されると、照明装置からは、端側が中央側よりも一次光の色彩（例えば、青色）で色付いた面状光が出射されることがあった。
【０００９】
一方、上記した特許文献１に記載されたような蛍光体シート（リモート蛍光体フィルム）を、いわゆるエッジライト型のバックライト装置に用いることを検討した場合、次のような問題が生じることが懸念される。すなわち、エッジライト型バックライトは、光源と、光源からの光を導光する導光板と、を備えており、このうちの導光板は、光源からの光が直接入射される入光端面と、光源からの光が直接入射されない非入光端面と、光を出射させる出光板面と、を有している。導光板の出光板面から出射した光は、その全てがリモート蛍光体フィルムにより波長変換されてそのままディスプレイバックライトユニットの出射光として利用されるとは限らず、再帰反射されて導光板側に戻された後にディスプレイバックライトユニットの出射光として利用される場合もある。この再帰反射光は、ディスプレイバックライトユニットにおける中央側よりも外周側の方が反射回数が少なくなりがちとされるため、リモート蛍光体フィルムを通過する回数が少なくなり、波長変換される確率が低いものとされる。また、導光板内を伝播する光は、その全てが出光板面から出射するとは限らず、一部については導光板の外周端面のうち非入光端面から漏れ出し得るものとされる。このため、エッジライト型バックライト装置における外周側と中央側とでは出射光の色味に差が生じやすいものとなっていた。
【００１０】
また、上記した特許文献３に記載されたような直下型のバックライト装置に限らず、いわゆるエッジライト型のバックライト装置においても、外周側ではバックライト装置の構成部材間に隙間が生じ易いものとなっているため、そのような隙間から光が漏れ出すことが懸念される。ここで、光源として特定の単色光を発するものを用いるとともに、光源からの光に光学作用を付与する光学部材に、光源の光を波長変換する波長変換シートを含ませる構成を採った場合には、上記のような外周側における構成部材間の隙間から光が漏れ出したとき、その漏れ光に光源の単色光が多く含まれることになる。その結果、バックライト装置の外周側において光源の単色光と同系色の色味を帯びた色ムラが視認されることが懸念される。
【００１１】
本発明の目的は、その一つとして、波長変換部材を利用するエッジライト式の照明装置において、色ムラの発生を抑制することであり、特には端側が中央側よりも光源の一次光の色彩で色付く出射光の色ムラを抑制する技術を提供することである。
【課題を解決するための手段】
【００１２】
＜課題を解決するための手段１＞
本発明に係る照明装置は、所定の波長領域に含まれる一次光を出射する光源と、前記光源からの前記一次光が入射される光入射面と、前記光入射面から入射された前記一次光を出射させる光出射面と、前記光出射面の反対側に配される反対面とを有する導光板と、前記一次光によって励起されて前記波長領域とは異なる他の波長領域に含まれる二次光を放出する蛍光体を含有し、前記一次光の一部を透過させる波長変換部材と、前記光源と前記光入射面を含む前記導光板の入射端部との間に形成される隙間を、前記光出射面側から少なくとも覆うように、又は前記入射端部を前記反対面側から少なくとも覆うように配され、前記一次光が呈する基準色と補色の関係にある色を呈する補色部と、を備える。前記照明装置は、このような構成を備えることにより、例えば、端側が中央側よりも光源の一次光の色彩で色付く等の出射光の色ムラを抑制することができる。
【００１３】
上記手段１の実施態様として、次の構成が好ましい。
前記照明装置において、前記光源及び前記入射端部を前記光入射面側から覆うと共に、前記入射端部を含む前記導光板の外周端部に、前記光出射面側から宛がわれる枠状部材を備え、前記補色部は、前記枠状部材のうち、前記光入射面側を向いた面に設けられているものであってもよい。
【００１４】
前記照明装置において、前記補色部は、前記隙間を跨ぐように前記光源から前記入射端部に亘って形成されるものであってもよい。
【００１５】
前記照明装置において、前記枠状部材は、白色を呈するものであってもよい。
【００１６】
前記照明装置において、前記反対面を覆うように配され、前記一次光等の光を反射する反射部材を備え、前記補色部は、前記反射部材のうち、前記光源側の端部に少なくとも設けられるものであってもよい。
【００１７】
前記照明装置において、前記反射部材は、前記反対面と重なる反射本体部と、この反射本体部から前記光源側に向かって延設され前記反対面から外側にはみ出した反射延設部とを有し、前記補色部は、前記反射延設部の全域と、前記反射本体部の前記光源側の端部とに亘って設けられるものであってもよい。
【００１８】
前記照明装置において、前記反射部材は、白色を呈するものであってもよい。
【００１９】
前記照明装置において、前記導光板は、前記光源と対向しない光源非対向面を有し、前記光源非対向面と対向する対向部材と、前記対向部材と前記光源非対向面を含む前記導光板の光源非対向端部との間に形成される第２の隙間を、前記光出射面側から少なくとも覆うように、又は前記光源非対向端部を前記反対面側から少なくとも覆うように配され、前記一次光が呈する基準色と補色の関係にある色を呈する第２の補色部と、を備えるものであってもよい。
【００２０】
前記照明装置において、前記光源非対向面は、前記光入射面の反対側に配される反対側光源非対向面を含むものであってもよい。
【００２１】
前記照明装置において、前記光源からの前記一次光は、青色光であり、前記波長変換部材は、前記蛍光体として、前記一次光としての前記青色光により励起して、前記二次光として緑色光を放出する緑色蛍光体と、前記一次光としての前記青色光により励起して、前記二次光として赤色光を放出する赤色蛍光体と、前記一次光としての前記青色光により励起して、前記二次光として黄色光を放出する黄色蛍光体とのうち、少なくとも１つを含有し、前記補色部は、黄色を呈するものであってもよい。
【００２２】
前記照明装置において、前記波長変換部材は、前記光出射面を覆うように配されるものであってもよい。前記照明装置において、光源から発せられた一次光は、導光板の光入射面に入射されてから反射部材にて反射される等して導光板内を伝播しつつ、光出射面から出射される。光出射面から出射された光は、波長変換部材に含有される蛍光体によって波長変換され、波長変換部材からは、波長変換後の二次光が出射される。また、光出射面から出射された光の一部は、波長変換されずに波長変換部材を透過する。ここで、例えば導光板における光入射面を有する端部と、反射部材との間に隙間が生じていた場合には、その隙間を通された光が反射部材にて反射されると、光出射面にて全反射されることなくそのまま出射して波長変換部材へと向かう虞がある。また、光源から発せられた光の一部が導光板の光入射面に入射せずにそのまま波長変換部材へと向かう虞もある。何れの場合にしても波長変換部材のうち、光源に近い端側部分を透過した光は、蛍光体により波長変換されない光量の比率が高くなる傾向にあり、それにより波長変換部材のうちの中央側部分を透過した光との比較で色味に差が生じることが懸念される。その点、光源及び導光板における光入射面を有する端部に対して光出射面側と反対板面側との少なくともいずれか一方には、光源の光とは補色の関係にある色を呈する補色部が配されているから、補色部により光源の光がある程度、減らされ、かつ白味を帯びることになる。これにより、上記のような光漏れが生じた場合であっても、その漏れ光の中の一次光の色味が低減され、かつ漏れ光全体としては白味を帯びることになるので、波長変換部材のうち光源に近い端側部分を透過した光と、中央側部分を透過した光と、で色味に差が生じ難いものとなり、もって色ムラを抑制することができる。
【００２３】
前記照明装置において、前記波長変換部材は、前記蛍光体を含有する波長変換部と、前記波長変換部を包囲する形で収容しつつ光透過性を有する長手状の収容部とを有し、前記光源と前記光入射面との間に配されるものであってもよい。
【００２４】
＜課題を解決するための手段２＞
本発明に係る照明装置は、その異なる態様として、光源と、外周端面の少なくとも一部であって前記光源からの光が入射される入光端面と、前記外周端面のうち前記入光端面を除いた端面であって前記光源からの光が直接入射されることのない非入光端面と、一対の板面のいずれかであって光を出射させる出光板面と、を有する導光板と、前記導光板の前記出光板面に重なり前記光源からの光を波長変換する蛍光体を含有する板面波長変換部材と、前記導光板の前記非入光端面の少なくとも一部に重なり前記光源からの光を波長変換する蛍光体を含有する端面波長変換部材と、前記端面波長変換部材に対して前記非入光端面側とは反対側に配されて前記端面波長変換部材に重なり前記端面波長変換部材を透過した光を反射する端面反射部材と、を備える。
【００２５】
このようにすれば、光源から発せられた光は、導光板の外周端面のうちの入光端面に入射されて導光板内を伝播された後に出光板面から出射される。出光板面から出射された光は、出光板面に重ねられる板面波長変換部材に含有される蛍光体によって波長変換される。ここで、導光板の出光板面から出射した光は、その全てが板面波長変換部材により波長変換されてそのまま当該照明装置の出射光として利用されるとは限らず、再帰反射されて導光板側に戻されるなどした後に当該照明装置の出射光として利用される場合もある。この再帰反射光は、当該照明装置における中央側よりも外周側の方が反射回数が少なくなりがちとされるため板面波長変換部材を通過する回数が少なくなり、波長変換される確率が低いものとされる。また、導光板内を伝播する光は、その全てが出光板面から出射するとは限らず、一部については導光板の外周端面のうち非入光端面から出射し得るものとされる。
【００２６】
その点、導光板の非入光端面の少なくとも一部には、端面波長変換部材が重ねられているから、導光板内の外周側部分に存在していて非入光端面から出射する光は、端面波長変換部材に含有される蛍光体によって波長変換される。さらには、端面波長変換部材を透過した光は、端面波長変換部材に対して非入光端面側とは反対側に配されて端面波長変換部材に重なる端面反射部材によって反射されることで再び端面波長変換部材側に戻されて非入光端面に入射した後、出光板面から出射されるなどする。従って、導光板内の外周側部分に存在する光は、再帰反射時の反射回数が少なくても非入光端面から出射すると端面波長変換部材により十分に波長変換されるのに加えて、端面反射部材により非入光端面からそのまま外部へと出射することがないよう導光板側に戻される。これにより、当該照明装置における中央側と外周側とで出射光の色味に差が生じ難くなるので、色ムラの発生が抑制されるのに加えて光の利用効率が高いものとなる。
【００２７】
上記手段２の実施態様として、次の構成が好ましい。
前記導光板は、前記外周端面のうち前記入光端面に隣り合う端面が前記非入光端面である非入光側端面とされており、前記端面波長変換部材は、少なくとも前記非入光側端面に重なり、前記端面反射部材は、少なくとも前記端面波長変換部材に対して前記非入光側端面側とは反対側に重なる。光源から発せられて導光板の入光端面に入射してから導光板内を伝播する光は、導光板の外周端面のうち、特に入光端面に隣り合う非入光側端面からより多く出射し得るものとされる。その点、端面波長変換部材が少なくとも非入光側端面に重ねられることで、非入光側端面から出射する光を端面波長変換部材により効率的に波長変換することができる。しかも、端面反射部材が少なくとも端面波長変換部材に対して非入光側端面側とは反対側に配されて端面波長変換部材に重ねられることで、非入光側端面から出射する光を端面反射部材により反射して導光板側に戻すことができる。これにより、色ムラの発生をより好適に抑制することができるとともに光の利用効率にもより優れる。
【００２８】
前記導光板は、前記外周端面のうち前記入光端面とは反対側の端面が前記非入光端面である非入光反対端面とされており、前記端面波長変換部材は、少なくとも前記非入光反対端面に重なり、前記端面反射部材は、少なくとも前記端面波長変換部材に対して前記非入光反対端面側とは反対側に重なる。光源から発せられて導光板の入光端面に入射してから導光板内を伝播する光は、導光板の外周端面のうち、入光端面とは反対側の非入光反対端面から多く出射し得るものとされる。その点、端面波長変換部材が少なくとも非入光反対端面に重ねられることで、非入光反対端面から出射する光を端面波長変換部材により効率的に波長変換することができる。しかも、端面反射部材が少なくとも端面波長変換部材に対して非入光反対端面側とは反対側に重ねられることで、非入光反対端面から出射する光を端面反射部材により反射して導光板側に戻すことができる。これにより、色ムラの発生を好適に抑制することができるとともに光の利用効率にも優れる。
【００２９】
前記端面波長変換部材は、前記導光板における前記非入光端面の全域に重なり、前記端面反射部材は、前記端面波長変換部材の全域に対して前記非入光端面側とは反対側に配されて前記端面波長変換部材の全域に重なる。光源から発せられて導光板の入光端面に入射してから導光板内を伝播する光は、導光板の外周端面のうち、非入光端面からより多く出射するものとされる。その点、端面波長変換部材が少なくとも非入光端面の全域に重ねられることで、非入光端面から出射する光を端面波長変換部材により効率的に波長変換することができる。しかも、端面反射部材が端面波長変換部材の全域に対して非入光端面側とは反対側に配されて端面波長変換部材に重ねられることで、非入光端面から出射する光を端面反射部材により反射して導光板側に戻すことができる。これにより、色ムラの発生をより好適に抑制することができるとともに光の利用効率にもより優れる。
【００３０】
前記導光板の前記出光板面とは反対側の反対板面と対向状をなして光を反射する板面反射部材を備える。このようにすれば、導光板内を伝播する過程で出光板面側から反対板面側へ向かう光を板面反射部材によって出光板面側へと反射し、光の伝播を高効率化することができる。
【００３１】
前記端面反射部材は、前記板面反射部材に一体形成されている。このようにすれば、端面反射部材と板面反射部材とが一部品化されるから、部品点数が削減されるのに加えて、端面反射部材と板面反射部材との間に隙間が生じることが避けられるので、導光板からの光漏れがより生じ難いものとなる。
【００３２】
前記端面波長変換部材は、前記導光板の前記非入光端面に一体に設けられている。このようにすれば、導光板の非入光端面と端面波長変換部材との間に空気層などの界面が生じるのが避けられるから、非入光端面から出射した光が端面波長変換部材に到達するまでの間に不適切に屈折されることが避けられる。従って、導光板の非入光端面から出射した光が端面波長変換部材をより確実に透過することになるから、波長変換効率がより高いものとなり、色ムラの抑制を図る上でより好適となる。
【００３３】
前記端面波長変換部材は、前記導光板の前記非入光端面の表面に塗布されている。このようにすれば、端面波長変換部材を導光板の非入光端面に対して空気層などの界面を有することがないよう一体化することができる。
【００３４】
前記端面波長変換部材は、前記端面反射部材に一体に設けられている。このようにすれば、端面波長変換部材と端面反射部材との間に空気層などの界面が生じるのが避けられるから、端面波長変換部材を透過した光が端面反射部材に到達するまでの間に不適切に屈折されることが避けられる。従って、端面波長変換部材を透過した光が端面反射部材にてより確実に反射されることになるから、光の利用効率がより高いものとなる。
【００３５】
前記端面波長変換部材は、前記端面反射部材の表面に塗布されている。このようにすれば、端面波長変換部材を端面反射部材に対して空気層などの界面を有することがないよう一体化することができる。また、仮に導光板の非入光端面に端面波長変換部材を塗布して一体に設ける場合に比べると、端面波長変換部材を容易に設置することができる。
【００３６】
前記板面波長変換部材及び前記端面波長変換部材は、前記蛍光体として量子ドット蛍光体を含有する。このようにすれば、板面波長変換部材及び端面波長変換部材による光の波長変換効率がより高いものとなるとともに、波長変換された光の色純度が高いものとなる。
【００３７】
＜課題を解決するための手段３＞
本発明に係る照明装置は、その異なる態様として、所定の波長領域に含まれる一次光を出射する光源と、前記光源と対向しつつ前記光源からの前記一次光が入射される光入射面と、前記光入射面から入射された前記一次光を出射させる光出射面と、前記光出射面の反対側に配される反対面とを有する導光板と、前記反対面を覆うように配され、光を反射する反射部材と、前記一次光によって励起されて前記波長領域とは異なる他の波長領域に含まれる二次光を放出する蛍光体を含有し、前記光出射面を覆うように配され、前記一次光の一部を透過させ、面光を出射する波長変換部材と、前記一次光が呈する基準色と補色の関係にある色を呈し、前記反対面のうち、前記導光板の端部と重なるように前記反対面と前記反射部材との間に介在される第１の補色部材と、を備える。
【００３８】
前記照明装置は、上記構成を備えることにより、導光板の端部の光出射面における、一次光が呈する基準色と補色の関係にある色の存在比率を高くし、一次光の存在比率を低くすることができる。その結果、前記照明装置では、波長変換部材より出射される面光において、前記端側が中央側よりも一次光の色彩で色付くことが抑制される。
【００３９】
上記手段３の実施態様として、次の構成が好ましい。
前記照明装置において、前記第１の補色部材は、前記導光板が有する複数の端部のうち、前記光入射面を含む前記導光板の入射端部以外の光源非対向端部に設けられるものであってもよい。
【００４０】
前記照明装置において、前記光源非対向端部は、前記光入射面に隣接する隣接端面を含む光源非対向隣接端部を有するものであってもよい。
【００４１】
前記照明装置において、前記第１の補色部材は、光透過性を有すると共に、前記一次光により励起されて前記二次光を放出する蛍光体を含有するものであってもよい。このような第１の補色部材を利用すれば、一次光を効率良く二次光に変換することができ、その結果、一次光が呈する基準色と補色の関係にある色の存在比率を高くし、一次光の存在比率を低くすることができる。
【００４２】
前記照明装置において、前記第１の補色部材は、光透過性を有すると共に、前記一次光を選択的に吸収するものであってもよい。このような第１の補色部材を利用すれば、一次光を選択的に吸収することができ、その結果、一次光が呈する基準色と補色の関係にある色の存在比率を高くし、一次光の存在比率を低くすることができる。
【００４３】
前記照明装置において、前記光源からの前記一次光は、青色光であり、前記波長変換部材は、前記蛍光体として、前記一次光としての前記青色光により励起して、前記二次光として緑色光を放出する緑色蛍光体と、前記一次光としての前記青色光により励起して、前記二次光として赤色光を放出する赤色蛍光体とを少なくとも含有し、前記第１の補色部材は、黄色を呈するものであってもよい。
【００４４】
前記照明装置において、所定の波長領域に含まれる一次光を出射する光源と、前記光源と対向しつつ前記光源からの前記一次光が入射される光入射面と、前記光入射面から入射された前記一次光を出射させる光出射面と、前記光出射面の反対側に配される反対面とを有する導光板と、前記一次光によって励起されて前記波長領域とは異なる他の波長領域に含まれる二次光を放出する蛍光体を含有し、前記光出射面を覆うように配され、前記一次光の一部を透過させ、面光を出射する波長変換部材と、前記一次光が呈する基準色と補色の関係にある色を呈し、前記光出射面のうち、前記導光板の端部と重なるように前記光出射面と、前記波長変換部材との間に配される第２の補色部材と、を備える。
【００４５】
前記照明装置は、上記構成を備えることにより、導光板の端部の光出射面における、一次光が呈する基準色と補色の関係にある色の存在比率を高くし、一次光の存在比率を低くすることができる。その結果、前記照明装置では、波長変換部材より出射される面光において、前記端側が中央側よりも一次光の色彩で色付くことが抑制される。
【００４６】
前記照明装置において、前記第２の補色部材は、前記導光板が有する複数の端部のうち、前記光入射面を含む前記導光板の入射端部以外の光源非対向端部に設けられるものであってもよい。
【００４７】
前記照明装置において、前記光源非対向端部は、前記光入射面に隣接する隣接端面を含む光源非対向隣接端部を有するものであってもよい。
【００４８】
前記照明装置において、前記第２の補色部材は、光透過性を有すると共に、前記一次光により励起されて前記二次光を放出する蛍光体を含有するものであってもよい。このような第２の補色部材を利用すれば、一次光を効率良く二次光に変換することができ、その結果、一次光が呈する基準色と補色の関係にある色の存在比率を高くし、一次光の存在比率を低くすることができる。
【００４９】
前記照明装置において、前記第２の補色部材は、光透過性を有すると共に、前記一次光を選択的に吸収するものであってもよい。このような第２の補色部材を利用すれば、一次光を選択的に吸収することができ、その結果、一次光が呈する基準色と補色の関係にある色の存在比率を高くし、一次光の存在比率を低くすることができる。
【００５０】
前記照明装置において、前記光源からの前記一次光は、青色光であり、前記波長変換部材は、前記蛍光体として、前記一次光としての前記青色光により励起して、前記二次光として緑色光を放出する緑色蛍光体と、前記一次光としての前記青色光により励起して、前記二次光として赤色光を放出する赤色蛍光体とを少なくとも含有し、前記第２の補色部材は、黄色を呈するものであってもよい。
【００５１】
＜課題を解決するための手段４＞
本発明に係る照明装置は、その異なる態様として、光源と、前記光源を収容し出光側の外部に開口する光出射部を有するシャーシと、前記光出射部を覆って配され前記光源からの光を波長変換する蛍光体を含有する波長変換部材と、前記波長変換部材を中央側部分と外周側部分とに区分したときに前記中央側部分とは非重畳とされ前記外周側部分の少なくとも一部に重畳する形で配されて光の一部を前記出光側とは反対側に再帰反射させる再帰反射部と、を備える。
【００５２】
このようにすれば、光源から発せられた光は、光源を収容するシャーシにおいて出光側の外部に開口する光出射部を覆って配される波長変換部材に含有される蛍光体によって波長変換されて出射される。ここで、当該照明装置における外周側では構成部材間に隙間が生じ易いものとなっているため、そのような隙間から光が漏れ出すことが懸念される。その点、波長変換部材における中央側部分とは非重畳とされるものの外周側部分の少なくとも一部に重畳する形で再帰反射部が配されているから、外周側部分付近に存在する光の一部を再帰反射部によって出光側とは反対側に再帰反射させることができる。出光側とは反対側に再帰反射された光は、再び波長変換部材を透過して波長変換され易くなるので、上記のような隙間から光が漏れ出した場合でも、当該照明装置の外周側において出射光が光源と同系色の色味を帯び難いものとなり、もって色ムラを抑制することができる。
【００５３】
上記手段４の実施態様として、次の構成が好ましい。
前記再帰反射部は、前記波長変換部材に対して前記出光側に重なる形で配されている。このようにすれば、波長変換部材を透過した光が再帰反射部にて再帰反射されるとすぐに波長変換部材を透過することになる。これにより、光が波長変換部材を通過する回数がより多くなるので光の波長変換がより促進され、色ムラの抑制を図る上でより好適とされる。
【００５４】
前記波長変換部材及び前記再帰反射部を位置決めする位置決め部を備えており、前記波長変換部材には、前記位置決め部に当接される第１被位置決め部が設けられているのに対し、前記再帰反射部には、前記第１被位置決め部に整合する形で配されて前記位置決め部に当接される第２被位置決め部が設けられている。このようにすれば、波長変換部材及び再帰反射部は、第１被位置決め部及び第２被位置決め部が共通の位置決め部に当接されることで位置決めが図られている。従って、波長変換部材に対する再帰反射部の位置精度がより高いものとなるとともに、構造が簡素化される。
【００５５】
前記再帰反射部は、光を散乱反射する光散乱粒子を含有している。このようにすれば、波長変換部材の外周側部分付近に存在する光を再帰反射部に含有される光散乱粒子によって散乱反射することでその一部を出光側とは反対側に再帰反射させることができる。これにより、当該照明装置の構成部材間の隙間から光漏れが生じた場合に生じ得る色ムラを好適に抑制することができる。しかも、光散乱粒子は、光を殆ど吸収することなく散乱反射してその一部を出光側とは反対側に再帰反射させるので、光の利用効率が高いものとなり、また経時的な性能劣化が生じ難いものとされる。
【００５６】
前記再帰反射部は、光を屈折させる屈折光学素子を有している。このようにすれば、波長変換部材の外周側部分付近に存在する光を再帰反射部の屈折光学素子によって屈折させることでその一部を出光側とは反対側に再帰反射させることができる。これにより、当該照明装置の構成部材間の隙間から光漏れが生じた場合に生じ得る色ムラを好適に抑制することができる。しかも、屈折光学素子は、光を殆ど吸収することなく屈折させてその一部を出光側とは反対側に再帰反射させるので、光の利用効率が高いものとなり、また経時的な性能劣化が生じ難いものとされる。
【００５７】
前記波長変換部材に対して前記出光側とは反対側に配される導光板であって、外周端面の少なくとも一部であって前記光源からの光が入射される入光端面と、一対の板面のいずれかであって光を出射させる出光板面と、を有する導光板を備える。このようにすれば、光源から発せられた光は、導光板の外周端面のうちの入光端面に入射されて導光板内を伝播された後に出光板面から出射される。波長変換部材は、導光板に対して出光側に配されているので、出光板面から出射された光を波長変換部材に含有される蛍光体によって波長変換することができる。このようなエッジライト型の照明装置によれば、直下型に比べると、複数の光源を使用する場合には光源の設置数を削減しつつ出射光に係る輝度均一性を十分に高くすることができる。
【００５８】
前記導光板の外縁部を前記出光側から支持するフレームを備えており、前記再帰反射部は、前記フレームに重畳する部分と、前記フレームの内端位置よりも内側に配される部分と、を有している。このようにすれば、フレームによって導光板の外縁部が出光側から支持される。再帰反射部は、フレームに重畳する部分と、フレームの内端位置よりも内側に配される部分と、を有しているから、フレームの内端位置よりも内側に存在する光についてもその一部を再帰反射部によって出光側とは反対側に再帰反射させることができる。これにより、波長変換部材の外周側部分付近に存在する光をより効率的に再帰反射させることができるので、フレームと導光板との間の隙間やフレームと波長変換部材との間の隙間から光漏れが生じた場合に生じ得る色ムラを好適に抑制することができる。
【００５９】
前記導光板は、前記外周端面のうち前記入光端面を除いた部分が前記光源からの光が直接入射されることのない非入光端面とされており、前記再帰反射部は、前記波長変換部材の前記外周側部分のうち、少なくとも前記非入光端面に並行する部分に重畳する形で配されている。光源から発せられて導光板の入光端面に入射してから導光板内を伝播する光は、導光板の外周端面のうち入光端面を除いた非入光端面から出射し易く、その出射した光が当該照明装置の構成部材間に生じた隙間から漏れ出すことが懸念される。その点、再帰反射部は、波長変換部材の外周側部分のうち、少なくとも非入光端面に並行する部分に重畳する形で配されているから、波長変換部材の外周側部分における少なくとも非入光端面に並行する部分付近に存在する光の一部を再帰反射部によって出光側とは反対側に再帰反射させることができる。これにより、導光板の非入光端面から出射した光が上記隙間を通って漏れ光となった場合に生じ得る色ムラを好適に抑制することができる。
【００６０】
前記シャーシは、前記光源に対してその発光面側とは反対側に配される底部を有しており、前記光源からの光を反射する反射部材であって、前記底部に倣う形で配される底側反射部と、前記底側反射部から前記出光側に向けて立ち上がる立ち上がり反射部と、を少なくとも有する反射部材を備えており、前記波長変換部材は、前記光源の前記発光面と対向状をなす形で前記出光側に離れて配されている。このようにすれば、シャーシに収容された光源から発せられる光は、反射部材を構成する底側反射部及び立ち上がり反射部により反射されるなどして光源の発光面と対向状をなす形で出光側に離れて配される波長変換部材に含有される蛍光体によって波長変換されて出射される。このような直下型の照明装置によれば、光源からの光がエッジライト型で用いられる導光板などの部材を介することなく出射されるから、光の利用効率が優れたものとなる。
【００６１】
前記再帰反射部は、前記立ち上がり反射部とは非重畳とされて前記立ち上がり反射部の外端位置よりも外側に配されている。波長変換部材を透過した光は、その全てがそのまま当該照明装置の出射光として利用されるとは限らず、再帰反射されて反射部材側に戻されるなどした後に当該照明装置の出射光として利用される場合もある。この再帰反射光は、当該照明装置のうち反射部材の底側反射部が配される中央側よりも立ち上がり反射部が配される外周側の方が再帰反射回数が多くなりがちとされるため、波長変換部材を通過する回数が多くなり、波長変換される確率が高いものとされる。これに対し、再帰反射部は、立ち上がり反射部とは非重畳とされて立ち上がり反射部の外端位置よりも外側に配されているから、立ち上がり反射部による反射光が過剰に再帰反射され難いものとなる。
【００６２】
前記再帰反射部は、前記波長変換部材の前記外周側部分に対して全周にわたって重畳する形で配されている。このようにすれば、波長変換部材の外周側部分の全周にわたって存在する光の一部を、再帰反射部によって出光側とは反対側に再帰反射させることができる。従って、当該照明装置の構成部材間に周方向についてどの位置に隙間が生じた場合であってもその隙間からの光漏れに起因する色ムラを好適に抑制することができる。
【００６３】
前記光源は、青色の光を発するものとされており、前記波長変換部材は、前記蛍光体として、前記青色の光を緑色の光に波長変換する緑色蛍光体及び前記青色の光を赤色の光に波長変換する赤色蛍光体と、前記青色の光を黄色の光に波長変換する黄色蛍光体と、の少なくともいずれか一方を含有している。このようにすれば、光源から発せられた青色の光は、波長変換部材に緑色蛍光体及び赤色蛍光体が含有される場合は緑色の光及び赤色の光に、黄色蛍光体が含有される場合は黄色の光に、波長変換される。ここで、当該照明装置の外周側において構成部材間に隙間が生じた場合、その隙間から波長変換されない青色の光が漏れ出してしまい、当該照明装置の出射光が外周側では中央側よりも青色味を帯びるおそれがある。これに対し、波長変換部材の外周側部分付近に存在する光の一部を再帰反射部によって出光側とは反対側に再帰反射させることができ、その再帰反射された光を再び波長変換部材に透過させて波長変換を促進することができる。これにより、上記のような隙間から光が漏れ出した場合でも、当該照明装置の外周側において出射光が青色味を帯び難いものとなり、もって色ムラを抑制することができる。
【００６４】
前記波長変換部材は、前記蛍光体として量子ドット蛍光体を含有している。このようにすれば、波長変換部材による光の波長変換効率がより高いものとなるとともに、波長変換された光の色純度が高いものとなる。
【００６５】
また、本発明に係る表示装置は、前記手段１〜４に係る照明装置と、前記照明装置からの光を利用して画像を表示させる表示パネルとを備えるものからなる。
【００６６】
前記表示装置において、前記表示パネルは、液晶パネルからなるものであってもよい。
【００６７】
また、本発明に係るテレビ受信装置は、前記表示装置を備えるものからなる。
【発明の効果】
【００６８】
本発明によれば、波長変換部材を利用するエッジライト式の照明装置において、色ムラの発生を抑制でき、特に端側が中央側よりも光源の一次光の色彩で色付く出射光の色ムラを抑制する技術を提供することができる。
【図面の簡単な説明】
【００６９】
【図１】本発明の実施形態１に係るテレビ受信装置の概略構成を示す分解斜視図
【図２】図１のＡ−Ａ線断面図
【図３】補色部、導光板及びＬＥＤの配置関係を模式的に表した平面図
【図４】図２の光入射面付近の拡大断面図
【図５】図２の反対側光源非対向面付近の拡大断面図
【図６】長手方向に沿って切断された実施形態２に係る液晶表示装置の断面図
【図７】補色部、導光板、反射シート及びＬＥＤの配置関係を模式的に表した平面図
【図８】図６の光入射面付近の拡大断面図
【図９】図６の反対側光源非対向面付近の拡大断面図
【図１０】実施形態３に係る照明装置を模式的に表した部分平面図
【図１１】実施形態３に係る液晶表示装置の光入射面付近の拡大断面図
【図１２】実施形態４に係る液晶表示装置の光入射面付近の拡大断面図
【図１３】実施形態５に係る液晶表示装置の光入射面付近の拡大断面図
【図１４】ホルダの正面図
【図１５】実施形態６に係る液晶表示装置の光入射面付近の拡大断面図
【図１６】実施形態７に係る液晶表示装置の概略構成を示す分解斜視図
【図１７】液晶表示装置が備えるバックライト装置の平面図
【図１８】図１７のiv-iv線断面図
【図１９】図１７のv-v線断面図
【図２０】板面波長変換シートまたは端面波長変換シートの断面図
【図２１】導光板の非入光反対端面付近を拡大した断面図
【図２２】実施形態８に係る導光板の非入光反対端面付近を拡大した断面図
【図２３】実施形態９に係る導光板の非入光反対端面付近を拡大した断面図
【図２４】実施形態１０に係る導光板の非入光反対端面付近を拡大した断面図
【図２５】実施形態１１に係る導光板の非入光反対端面付近を拡大した断面図
【図２６】実施形態１２に係るバックライト装置の平面図
【図２７】実施形態１３に係るバックライト装置の平面図
【図２８】実施形態１４に係るバックライト装置の平面図
【図２９】実施形態１５に係るバックライト装置の平面図
【図３０】実施形態１６に係るバックライト装置の平面図
【図３１】実施形態１７に係るバックライト装置の平面図
【図３２】実施形態１８に係るバックライト装置の平面図
【図３３】実施形態１９に係る液晶表示装置の概略構成を示す断面図
【図３４】図３３のＬＥＤ付近を拡大した拡大断面図
【図３５】表面側から見た状態のＬＥＤと導光板との配置関係を模式的に表した平面図
【図３６】裏面側から見た状態のＬＥＤと導光板との配置関係を模式的に表した平面図
【図３７】表面側から見た状態のＬＥＤ、導光板、補色部材及び反射シートの配置関係を模式的に表した平面図
【図３８】光源非対向隣接端部付近における液晶表示装置の拡大断面図
【図３９】実施形態２０に係る照明装置で利用されるＬＥＤ、導光板、補色部材及び反射シートの配置関係を表した説明図
【図４０】実施形態２１に係る液晶表示装置の光源非対向隣接端部付近の拡大断面図
【図４１】実施形態２２に係る照明装置で利用されるＬＥＤ、導光板、補色部材及び反射シートの配置関係を表した説明図
【図４２】実施形態２２に係る液晶表示装置の光源非対向隣接端部付近の拡大断面図
【図４３】実施形態２３に係る照明装置で利用されるＬＥＤ、導光板、補色部材及び反射シートの配置関係を表した説明図
【図４４】実施形態２４に係る液晶表示装置の光源非対向隣接端部付近の拡大断面図
【図４５】実施形態２５に係る液晶表示装置の概略構成を示す分解斜視図
【図４６】液晶表示装置が備えるバックライト装置を構成するシャーシ、ＬＥＤ基板及び導光板の平面図
【図４７】液晶表示装置を短辺方向に沿って切断した断面構成を示す断面図
【図４８】液晶表示装置を長辺方向に沿って切断した断面構成を示す断面図
【図４９】ＬＥＤ及びＬＥＤ基板の断面図
【図５０】波長変換シートの断面図
【図５１】フレームに波長変換シート及び再帰反射部を組み付けた状態を示す平面図
【図５２】再帰反射部の平面図
【図５３】フレームの平面図
【図５４】波長変換シートの平面図
【図５５】再帰反射部の断面図
【図５６】本発明の実施形態２６に係る液晶表示装置の概略構成を示す分解斜視図
【図５７】バックライト装置の平面図
【図５８】液晶表示装置を長辺方向に沿って切断した断面構成を示す断面図
【図５９】液晶表示装置を短辺方向に沿って切断した断面構成を示す断面図
【図６０】液晶表示装置の端部を長辺方向に沿って切断した断面構成を示す断面図
【図６１】液晶表示装置の端部を短辺方向に沿って切断した断面構成を示す断面図
【図６２】本発明の実施形態２７に係る再帰反射部の断面図
【図６３】本発明の実施形態２８に係る再帰反射部の断面図
【図６４】本発明の実施形態２９に係る再帰反射部の平面図
【発明を実施するための形態】
【００７０】
＜実施形態１＞
本発明の実施形態１を、図１〜図５を参照しつつ説明する。本実施形態では、照明装置（バックライト装置）１２を備えるテレビ受信装置１０ＴＶ（液晶表示装置１０の一例）について例示する。なお、各図面には、説明の便宜上、Ｘ軸、Ｙ軸及びＺ軸が示されている。
【００７１】
先ず、テレビ受信装置１０ＴＶ及び液晶表示装置１０について説明する。図１は、本発明の実施形態１に係るテレビ受信装置１０ＴＶの概略構成を示す分解斜視図であり、図２は、図１のＡ−Ａ線断面図である。
【００７２】
テレビ受信装置１０ＴＶは、図１に示されるように、主として、液晶表示装置（表示装置の一例）１０と、その液晶表示装置１０を前後（表裏）両側から挟むようにして収容する表裏両キャビネット１０Ｃａ，１０Ｃｂと、電源１０Ｐと、テレビ信号を受信するチューナー（受信部）１０Ｔと、スタンド１０Ｓとを備えている。
【００７３】
本実施形態の液晶表示装置１０は、全体的には、左右方向に長く延びた横長の矩形状をなしている。また、液晶表示装置１０は、図２に示されるように、主として、表示パネルとして利用される液晶パネル１１と、液晶パネル１１に対して光を供給する外部光源としての照明装置（バックライト装置）１２と、液晶パネル１１及び照明装置１２等を保持する枠状のベゼル１３等を備えている。
【００７４】
液晶パネル１１は、主として、一対の透明な基板と、それらの間で挟まれる形で封止される液晶層とを備えたものからなり、照明装置１２から出射される光を利用して、パネル面上に視認可能な状態で画像を表示させる。液晶パネル１１は、全体的には、平面視で横長の矩形状をなしている。液晶パネル１１を構成する一対の基板のうち、一方の基板はアレイ基板であり、透明なガラス製の基板上に、スイッチング素子であるＴＦＴ(Thin Film Transistor)や画素電極等がマトリクス状に配設されたものからなる。また、他方の基板は、カラーフィルタ（以下、ＣＦ）基板であり、透明なガラス製の基板上に、赤色、緑色、青色の各色からなるカラーフィルタがマトリクス状に配設されたものからなる。
【００７５】
照明装置１２は、液晶パネル１１の背面側に配され、液晶パネル１１に向けて光を供給する装置である。照明装置１２は、白色光を出射するように構成されている。なお、本実施形態の照明装置１２は、所謂エッジライト型（又はサイドライト型）である。
【００７６】
照明装置１２は、図２に示されるように、シャーシ１４、光学部材１５、フレーム１６、ＬＥＤ１７、ＬＥＤ基板１８、導光板１９、反射シート２０、補色部２２等を備えている。
【００７７】
シャーシ１４は、全体的には、表側に開口した略箱型をなし、例えば、アルミニウム板や電気亜鉛めっき鋼板（ＳＥＣＣ）等の金属板から構成される。シャーシ１４は、液晶パネル１１等と同様、平面視略矩形状をなした底板１４ａと、その底板１４ａの周縁から立ち上がりつつ底板１４ａを取り囲む側壁板１４ｂとを備えている。
【００７８】
シャーシ１４の内側には、ＬＥＤ１７、ＬＥＤ基板１８、反射シート２０、導光板１９、光学部材１５等の各種部材が収容される。なお、シャーシ１４の外側には、図示されないコントロール基板やＬＥＤ駆動基板等の基板類が取り付けられている。
【００７９】
シャーシ１４内において、底板１４ａの表面を覆うように反射シート２０が敷かれている。反射シート（反射部材の一例）２０は、光反射性のシート状の部材であり、例えば、白色の発泡ポリエチレンテレフタレート（白色プラスチックシートの一例）等からなる。また、シャーシ１４内において、反射シート２０に載せられる形で、導光板１９が収容されている。
【００８０】
導光板１９は、屈折率が空気よりも十分に高く、透明であり、光透過性に優れる合成樹脂材料（例えば、ＰＭＭＡ等のアクリル系樹脂、ポリカーボネート樹脂等）からなる。導光板１９は、液晶パネル１１等と同様、平面視で略矩形状をなす板状部材からなり、表面１９ａが液晶パネル１１と対向し、裏面（反対面）１９ｂが反射シート２０と対向する形で、シャーシ１４内に収容されている。
【００８１】
導光板１９の表面１９ａは、液晶パネル１１側に向けて光を出射する光出射面１９ａとなっている。本明細書において、光出射面１９ａの反対側に配される裏面１９ｂを、特に「反対面」と称する場合がある。
【００８２】
光出射面１９ａと液晶パネル１１との間には、光学部材１５がフレーム１６に支持された状態で配される。また、導光板１９の一方の短辺側端面１９ｃは、ＬＥＤ１７からの光が入射される光入射面１９ｃとなっている。
【００８３】
なお、導光板１９の他方の短辺側端面１９ｄ、導光板１９の２つの長辺側端面１９ｅ，１９ｆは、ＬＥＤ１７と光源（ＬＥＤ１７）と対向していないため、それらを「光源非対向面」と称する場合がある。特に、光入射面１９ｃの反対側にある光源非対向面（短辺側端面１９ｄ）を、「反対側光源非対向面」と称する場合がある。
【００８４】
フレーム１６は、全体的には、導光板１９の外周端部を表側から覆うような枠状（額縁状）をなし、シャーシ１４の開口部分に表側から組み付けられる。フレーム１６は、例えば、合成樹脂からなり、光反射性を有するように白色塗装されている。フレーム１６は、平面視で枠状をなしつつその内周縁側が、シャーシ１４内に収容された状態の導光板１９の外周端部に表側から宛がわれる枠部１６１と、その枠部１６１からシャーシ１４の底板１４ａ側に向って延びつつ、シャーシ１４内に収容される立壁部１６２とを備えている。
【００８５】
枠部１６１は、内周縁側が導光板１９の外周端部と重なり、かつ外周縁側がシャーシ１４の側壁板１４ｂの上端部と重なるような所定の幅を持った枠状をなしている。枠部１６１の内周縁側の裏面には、ウレタンフォーム等からなる弾性部材２１が取り付けられている。本実施形態の弾性部材２１は、黒色であり、遮光性を備えている。弾性部材２１は、全体的には枠状（環状）をなし、導光板１９の外周端部に対して表側から当接される。
【００８６】
また、枠部１６１の内周縁側の表面は、外周縁側の表面よりも一段低くなるように設定されており、その低くなった部分に光学部材１５の端部が載せられる。なお、枠部１６１の内周縁側の表面には、図示されない突起部が設けられており、その突起部に光学部材１５の端部に設けられている孔部が嵌められることで、光学部材１５が枠部１６１に支持される。
【００８７】
立壁部１６２は、枠部１６１の外周縁側の裏面からシャーシ１４の底板１４ａに向かって延びつつ、導光板１９の端面１９ｃ等と対向するような板状をなしている。また、立壁部１６２は、全体的には、導光板１９の周りを囲むような筒状をなしている。このような立壁部１６２のうち、導光板１９の一方の短辺側端面１９ｃと対向する部分には、ＬＥＤ１７を実装したＬＥＤ基板１８が取り付けられている。なお、ＬＥＤ基板１８が取り付けられる部分以外の残りの部分は、それぞれ導光板１９の端面とシャーシ１４の側壁板１４ｂとの間に収まる形でシャーシ１４内に収容される。
【００８８】
ＬＥＤ（光源の一例）１７は、発光源であるチップ状の青色ＬＥＤ素子（青色発光素子）と、その青色ＬＥＤ素子を封止する透明な封止材と、青色ＬＥＤ素子及び封止材を収容する略箱型のケース部とを備えており、青色光を発光するように構成されている。なお、青色ＬＥＤ素子は、例えば、ＩｎＧａＮ等からなる半導体であり、順方向に電圧が印加されることで、青色光の波長領域（約４２０ｎｍ〜約５００ｎｍ）に含まれる光（つまり、青色光）を出射する。なお、本明細書において、ＬＥＤ１７から発せられる光を、一次光と称する場合がある。
【００８９】
ＬＥＤ１７は、所謂、頂面発光型であり、長尺状をなしたＬＥＤ基板１８上に表面実装されている。ＬＥＤ１７は、ＬＥＤ基板１８上に、等間隔で一列に並ぶように複数個実装されている。ＬＥＤ１７は、ＬＥＤ基板１８に実装された状態で、発光面１７ａが導光板１９の一方の短辺側端面１９ｃと対向するように、フレーム１６の立壁部１６２に取り付けられた状態で、シャーシ１４内に収容されている。ＬＥＤ１７は、導光板１９の光入射面１９ｃに向けて、光（青色光）を出射する。
【００９０】
光学部材１５は、液晶パネル１１等と同様、平面視で横長の略矩形状をなしている。光学部材１５は、その外周端部が、フレーム１６の枠部１６１に表側から載せられる形で、導光板１９の光出射面１９ａと液晶パネル１１の背面との間に配される。光学部材１５は、所定の光学作用を付与しつつ、導光板１９から出射された光を液晶パネル１１側へ透過させる機能を備えている。光学部材１５は、互いに積層される複数枚のシート状の部材（光学シート）からなる。
【００９１】
光学部材１５を構成する具体的な部材（光学シート）としては、例えば、拡散シート、レンズシート、反射型偏光シート等が挙げられる。特に、本実施形態の光学部材１５は、必須の部材（光学シート）として、量子ドット蛍光体を含有する蛍光体シート（波長変換部材の一例）１５０を備えている。光学部材１５のうち、蛍光体シート１５０が最も光出射面１９ａ側に配されている。
【００９２】
ここで、蛍光体シート１５０について説明する。蛍光体シート１５０は、液晶パネル１１等と同様、平面視略矩形状をなしている。蛍光体シート１５０は、ＬＥＤ１７からの光の一部を厚み方向にそのまま透過させると共に、ＬＥＤ１７からの光の一部を吸収してその光を他の波長領域の光に変換して放出する機能を備えている。このような蛍光体シート１５０は、例えば、波長変換層と、その波長変換層を挟む一対の支持層と、各支持層の外側に積層され、波長変換層及び一対の支持層を挟む一対のバリア層とを備えている。
【００９３】
波長変換層は、バインダ樹脂としてのアクリル系樹脂と、そのアクリル系樹脂中に分散した状態で配合される量子ドット蛍光体（蛍光体の一例）とを含有する。アクリル系樹脂は、透明であり、光透過性を有すると共に、支持層に対する接着性を備えている。支持層は、ポリエチレンテレフタレート（ＰＥＴ）等のポリエステル系樹脂からなるシート状（フィルム状）の部材である。
【００９４】
量子ドット蛍光体は、優れた量子効率を有する蛍光体であり、ナノサイズ（例えば、直径２ｎｍ〜１０ｎｍ程度）の半導体結晶中に、電子・正孔や励起子を三次元空間全方位で閉じ込めることで、離散的エネルギー準位を有し、そのドットのサイズを変えることで発光光のピーク波長（発光色）等を自由に選択することができる。
【００９５】
本実施形態の場合、波長変換層中には、量子ドット蛍光体として、緑色光（約５００ｎｍ〜約５７０ｎｍの波長領域）を発光する緑色量子ドット蛍光体と、赤色光（約６００ｎｍ〜約７８０ｎｍの波長領域）を発光する赤色量子ドット蛍光体とが配合される。緑色量子ドット蛍光体及び赤色量子ドット蛍光体から発せられる緑色光の発光スペクトル及び赤色光の発光スペクトルは、それぞれシャープなピークを有しており、それらの半値幅が狭くなることから、緑色光及び赤色光の各純度は、極めて高くなり、それらの色域も広くなる。
【００９６】
緑色量子ドット蛍光体は、ＬＥＤ１７からの光（青色光、一次光、励起光）を吸収して励起し、緑色光（約５００ｎｍ〜約５７０ｎｍの波長領域）を放出する。つまり、緑色量子ドット蛍光体は、ＬＥＤ１７からの光（青色光、一次光、励起光）を、波長領域の異なる他の光（緑色光）に変換する機能を備えている。
【００９７】
赤色量子ドット蛍光体は、ＬＥＤ１７からの光（青色光、一次光、励起光）を吸収して励起し、赤色光（約６００ｎｍ〜約７８０ｎｍの波長領域）を放出する。つまり、赤色量子ドット蛍光体は、ＬＥＤ１７からの光（青色光、一次光、励起光）を、波長領域の異なる他の光（赤色光）に変換する機能を備えている。
【００９８】
量子ドット蛍光体に用いられる材料としては、２価の陽イオンになり得るＺｎ、Ｃｄ、Ｐｂ等と、２価の陰イオンになり得るＯ、Ｓ、Ｓｅ、Ｔｅ等とを組み合わせた材料（例えば、セレン化カドミウム（ＣｄＣｅ）、硫化亜鉛（ＺｎＳ）等）、３価の陽イオンとなり得るＧａ、Ｉｎ等と３価の陰イオンとなり得るＰ、Ａｓ、Ｓｂ等とを組み合わせた材料（例えば、リン化インジウム（ＩｎＰ）、ヒ化ガリウム（ＧａＡｓ）等）、更にはカルコパイライト型化合物（ＣｕＩｎＳｅ２等）等が挙げられる。本実施形態では、量子ドット蛍光体の材料の一例として、ＣｄＳｅが用いられる。
【００９９】
本実施形態において、量子ドット蛍光体（緑色量子ドット蛍光体、及び赤色量子ドット蛍光体）は、波長変換層を構成するアクリル系樹脂中に、略均一となるように分散配合される。なお、波長変換層中には、散乱剤等の他の成分が含まれてもよい。
【０１００】
バリア層は、アルミナや酸化ケイ素等の金属酸化物膜からなり、波長変換層中の量子ドット蛍光体が湿気（水分）や酸素等と接触しないように保護する機能を備えている。バリア層は、支持層上に、例えば、真空蒸着法を用いて形成される。
【０１０１】
次いで、補色部２２について、図３〜図５を参照しつつ説明する。図３は、補色部２２、導光板１９及びＬＥＤ１７の配置関係を模式的に表した平面図であり、図４は、図２の光入射面１９ｃ付近の拡大断面図であり、図５は、図２の反対側光源非対向面１９ｄ付近の拡大断面図である。
【０１０２】
補色部２２は、ＬＥＤ１７から出射された光（一次光、青色光）が呈する青色（基準色）と補色の関係にある色（本実施形態の場合、黄色）を呈する部材からなる。つまり、補色部２２は、補色部２２自体が呈する黄色に対して補色の関係にある青色の光（青色光、一次光）を吸収し、それ以外の光を反射する機能を備えている。
【０１０３】
補色部２２は、表面が黄色を呈する部材であれば、特に制限はない。補色部２２は、例えば、薄手の樹脂製のシート（又はフィルム）基材の表面に、黄色の塗膜を形成して、前記基材を着色したものからなる。
【０１０４】
本実施形態の照明装置１２において、補色部２２は、導光板１９の光入射面１９ｃ側と、その反対側にある反対側光源非対向面１９ｄ側とにそれぞれ設けられている。なお、本明細書において、光入射面１９ｃ側に設けられる補色部２２を「補色部２２Ａ」と表し、反対側光源非対向面１９ｄ側に設けられる補色部２２を「補色部２２Ｂ」と表す場合がある。
【０１０５】
光入射面１９ｃ側の補色部２２Ａは、図３及び図４に示されるように、ＬＥＤ１７と光入射面１９ｃを含む導光板１９の入射端部１９０との間に形成される隙間Ｓ１を、光出射面１９ａ側から少なくとも覆うように、形成されている。入射端部１９０は、導光板１９の１組の短辺側端部のうち、ＬＥＤ１７と対向する光入射面１９ｃを含むものからなる。
【０１０６】
補色部２２Ａは、導光板１９の短辺方向に沿って細長く延びた矩形状（帯状）をなし、隙間Ｓ１を跨ぐようにＬＥＤ１７から入射端部１９０に亘って形成されている。本実施形態の場合、補色部２２Ａは、ＬＥＤ基板１８の実装面１８ａから入射端部１９０に亘って形成されている。また、補色部２２Ａは、図３に示されるように、導光板１９の短辺方向に沿って連続的に形成されている。
【０１０７】
また、補色部２２Ａは、フレーム１６が備える枠部１６１のうち、入射端部１９０に沿って配される枠部１６１Ａの裏面１６１Ａａに対して、両面粘着テープ等の固定手段（不図示）を介して固定されている。
【０１０８】
ＬＥＤ１７から出射された光（一次光、青色光）の中には、光入射面１９ｃから導光板１９内に入らずに、ＬＥＤ１７と光入射面１９ｃとの間の隙間Ｓ１（又はＬＥＤ基板１８の実装面１８ａと光入射面１９ｃとの間の隙間）からフレーム１６の枠部１６１Ａ側に向うものもある。枠部１６１Ａ側に向う光としては、主に、ＬＥＤ１７から発せられた波長変換されていない光（青色光）が挙げられる。
【０１０９】
ＬＥＤ１７付近は、その他の部分と比べて光量が多く、尚且つ蛍光体シート１５０で波長変換されていない状態の光（つまり、一次光）の存在比率が高くなっている。そのような状況下において、フレーム１６の枠部１６１Ａ側に向った光は、枠部１６１Ａの裏面１６１Ａａに設けられている補色部２２Ａに当たり、その補色部２２Ａによって、青色光（一次光）がある程度、吸収される。
【０１１０】
補色部２２Ａに当たる光の中には、既に蛍光体シート１５０で波長変換された後のものもある。そのような光は、波長変換後に、光学部材１５等で再帰反射されて、再び導光板１９側に戻されたものである。波長変換後の光が、例えば、反射シート２０等で反射されて、フレーム１６の枠部１６１Ａ側に向った場合、その光は、補色部２２Ａにより反射され導光板１９側等へ戻される。
【０１１１】
フレーム１６が備える枠部１６１Ａの内周縁側は、遮光性を有する弾性部材２１を介して入射端部１９０に表側（光出射面１９ａ側）から載せられている。弾性部材２１は、導光板１９の短辺方向に沿って線状に細長く延びており、理想的には、枠部１６１Ａと入射端部１９０との間を密閉するものである。しかしながら、フレーム１６や導光板１９の各構成部材に反りや撓み等の変形等が生じた場合、弾性部材２１と入射端部１９０との間（つまり、枠部１６１Ａと入射端部１９０との間）に僅かな隙間が形成される場合がある。このような場合、その隙間から一次光（青色光）の存在比率が高くなっている光が漏れて、その光が蛍光体シート１５０の端部１５０ａに向かうことがある。
【０１１２】
ただし、本実施形態では、上述したようにフレーム１６の枠部１６１Ａの裏面１６１Ａａに補色部２２Ａが取り付けられているため、その補色部２２Ａにより一次光（青色光）がある程度、吸収され、残りの光が反射されるため、蛍光体シート１５０の端部１５０ａには、ある程度、一次光（青色光）の存在比率が低くされた光が供給されることになる。また、その光は、白味を帯びることになる。そのため、蛍光体シート１５０の端部１５０ａでは、波長変換されずにそのまま透過する一次光（青色光）を減らすことができ、最終的に光学部材１５を透過して液晶パネル１１に供給される光の色ムラを抑制することができる。つまり、照明装置１２から出射される面状に広がった光において、ＬＥＤ１７がある端側（導光板１９の入射端部１９０側）が中央側よりも青色（ＬＥＤ１７の一次光の色彩）に色付く色ムラを抑制することができる。
【０１１３】
次いで、反対側光源非対向面１９ｄ側の補色部２２Ｂについて、図３及び図５を参照しつつ説明する。補色部２２Ｂは、図３及び図５に示されるように、反対側光源非対向面（光源非対向面の一例）１９ｄを含む導光板１９の光源非対向端部１９１と、反対側光源非対向面１９ｄと対向するフレーム１６の立壁部（対向部材の一例）１６２Ｂとの間に形成される隙間（第２の隙間）Ｓ２を、光出射面１９ａ側から少なくとも覆うように、形成されている。光源非対向端部１９１は、導光板１９の１組の短辺側端部のうち、立壁部（対向部材の一例）１６２Ｂと対向する反対側光源非対向面１９ｄを含むものからなる。
【０１１４】
補色部２２Ｂは、上述した補色部２２Ａと同様、導光板１９の短辺方向に沿って細長く延びた矩形状（帯状）をなし、隙間Ｓ２を跨ぐように立壁部１６２Ｂから光源非対向端部１９１に亘って形成されている。なお、本実施形態の場合、補色部２２Ｂの線幅は、上述した補色部２２Ａよりも細くされている。また、図３に示されるように、補色部２２Ｂは、導光板１９の短辺方向に沿って連続的に形成されている。
【０１１５】
また、補色部２２Ｂは、フレーム１６が備える枠部１６１のうち、光源非対向端部１９１に沿って配される枠部１６１Ｂの裏面１６１Ｂａに対して、両面粘着テープ等の固定手段（不図示）を介して固定されている。
【０１１６】
ＬＥＤ１７から出射され、導光板１９内を伝播する光（一次光、青色光）の中には、反対側光源非対向面１９ｄから隙間Ｓ２側に出射し、立壁部１６２Ｂ等で反射されて前記隙間Ｓ２からフレーム１６の枠部１６１Ｂ側に向うものもある。枠部１６１Ｂ側に向う光としては、主に、波長変換されていない光（一次光、青色光）が挙げられる。
【０１１７】
光入射面１９ｃの反対側にある反対側光源非対向面１９ｄ付近は、蛍光体シート１５０で波長変換されていない状態の光（つまり、一次光）の存在比率が、例えば、導光板１９の中央側と比べて高くなっている。そのような状況下において、フレーム１６の枠部１６１Ｂ側に向った光は、枠部１６１Ｂの裏面１６１Ｂａに設けられている補色部２２Ｂに当たり、その補色部２２Ｂによって、青色光（一次光）がある程度、吸収される。
【０１１８】
補色部２２Ｂに当たる光の中には、既に蛍光体シート１５０で波長変換された後のものもある。そのような光は、波長変換後に、光学部材１５等で再帰反射されて、再び導光板１９側に戻されたものである。波長変換後の光が、例えば、反射シート２０等で反射されて、フレーム１６の枠部１６１Ｂ側に向った場合、その光は、補色部２２Ｂにより反射されて導光板１９側等へ戻される。
【０１１９】
フレーム１６が備える枠部１６１Ｂの内周縁側は、遮光性を有する弾性部材２１を介して光源非対向端部１９１に表側（光出射面１９ａ側）から載せられている。弾性部材２１は、導光板１９の短辺方向に沿って線状に細長く延びており、理想的には、枠部１６１Ｂと光源非対向端部１９１との間を密閉するものである。しかしながら、フレーム１６や導光板１９の各構成部材に反りや撓み等の変形等が生じた場合、弾性部材２１と源非対向端部１９１との間（つまり、枠部１６１Ｂと光源非対向端部１９１との間）に僅かな隙間が形成される場合がある。このような場合、その隙間から一次光（青色光）の存在比率が高くなっている光が漏れて、その光が蛍光体シート１５０の端部１５０ｂに向かうことがある。
【０１２０】
ただし、本実施形態では、上述したようにフレーム１６の枠部１６１Ｂの裏面１６１Ｂａに補色部２２Ｂが取り付けられているため、その補色部２２Ｂにより一次光（青色光）がある程度、吸収され、残りの光が反射されるため、蛍光体シート１５０の端部１５０ｂには、ある程度、一次光（青色光）の存在比率が低くされた光が供給されることになる。また、その光は、白味を帯びることになる。そのため、蛍光体シート１５０の端部１５０ｂでは、波長変換されずにそのまま透過する一次光（青色光）を減らすことができ、最終的に光学部材１５を透過して液晶パネル１１に供給される光の色ムラを抑制することができる。つまり、照明装置１２から出射される面状に広がった光において、ＬＥＤ１７側の反対側にある端側（導光板１９の光源非対向端部１９１側）が中央側よりも青色（ＬＥＤ１７の一次光の色彩）に色付く色ムラを抑制することができる。
【０１２１】
＜実施形態２＞
次いで、本発明の実施形態２を、図６〜図９を参照しつつ説明する。本実施形態では、照明装置１２Ａを備える液晶表示装置１０Ａについて例示する。なお、本実施形態の液晶表示装置１０Ａの基本的な構成は、実施形態１と同じである。そのため、実施形態１と同じ構成については、実施形態１と同じ符号を付し、その詳細説明は省略する。
【０１２２】
図６は、長手方向に沿って切断された実施形態２に係る液晶表示装置１０Ａの断面図である。本実施形態の液晶表示装置１０Ａは、実施形態１とは異なり、導光板１９の裏面（反対面）１９ｂ側に補色部２３が設けられている。
【０１２３】
補色部２３は、実施形態１のものと同様、ＬＥＤ１７から出射された光（一次光、青色光）が呈する青色（基準色）と補色の関係にある色（本実施形態の場合、黄色）を呈する部材からなり、補色部２３自体が呈する黄色に対して補色の関係にある青色の光（青色光、一次光）を吸収し、それ以外の光を反射する機能を備えている。
【０１２４】
本実施形態の照明装置１２Ａにおいて、補色部２３は、導光板１９の光入射面１９ｃ側の裏面１９ｂと、光入射面１９ｃの反対側にある反対側光源非対向面１９ｄ側の裏面１９ｂとにそれぞれ設けられている。本明細書において、光入射面１９ｃ側に設けられる補色部２３を「補色部２３Ａ」と表し、反対側光源非対向面１９ｄ側に設けられる補色部２３を「補色部２３Ｂ」と表す場合がある。
【０１２５】
図７は、補色部２３、導光板１９、反射シート２０Ａ及びＬＥＤ１７の配置関係を模式的に表した平面図であり、図８は、図６の光入射面１９ｃ付近の拡大断面図であり、図９は、図６の反対側光源非対向面１９ｄ付近の拡大断面図である。
【０１２６】
光入射面１９ｃ側の補色部２３Ａは、図７及び図８に示されるように、光入射面１９ｃを含む導光板１９の入射端部１９０を裏面（反対面）１９ｂ側から少なくとも覆うように、形成されている。
【０１２７】
補色部２３Ａは、反射シート（反射部材の一例）２０ＡのＬＥＤ１７側の端部上に、両面粘着テープ等の固定手段（不図示）を利用して貼り付けられている。反射シート２０Ａは、実施形態１と同様、白色の発泡ポリエチレンテレフタレートシートからなる。反射シート２０Ａは、シャーシ１４内において、導光板１９の裏面（反対面）１９ｂと重なる反射本体部２００と、この反射本体部２００からＬＥＤ１７側に向って延設され裏面（反対面）１９ｂから外側にはみ出した反射延設部２０１とを備えている。
【０１２８】
補色部２３Ａは、反射シート２０Ａのうち、反射延設部２０１の表面全域と、反射本体部２００のＬＥＤ１７側の端部２００ａの表面全域とに亘って形成されている。補色部２３Ａは、全体的には、導光板１９の短辺方向に沿って細長く延びた矩形状（帯状）をなしている。なお、補色部２３Ａは、図７に示されるように、導光板１９の短辺方向に沿って連続的に形成されている。
【０１２９】
本実施形態のように、導光板１９の下側に敷かれている反射シート２０Ａの端部（反射延設部２０１、反射本体部２００の端部２００ａ）が、ＬＥＤ１７付近に配されている場合、ＬＥＤ１７から出射された光（一次光）の中には、導光板１９内に入射されずに、反射シート２０Ａの端部（反射延設部２０１）により液晶パネル１１側等に立ち上がるように反射され、更に導光板１９を透過して、蛍光体シート１５０の端部１５０ａに供給されるものがある。特に、上述した実施形態１と同様、導光板１９とフレーム１６の枠部１６１Ａとの間（導光板１９と弾性部材２１との間）に隙間が形成された場合には、その隙間を反射シート２０Ａの端部で反射された光が通過して、蛍光体シート１５０の端部１５０ａに供給されることもある。
【０１３０】
また、ＬＥＤ１７から出射された光（一次光）の中には、導光板１９内に入射されても、反射シート２０Ａの端部（反射延設部２０１、反射本体部２００の端部２００ａ）により液晶パネル１１側に立ち上がるように反射され、更に導光板１９を透過して、蛍光体シート１５０の端部１５０ａに供給されるものがある。場合によっては、反射シート２０Ａの端部で反射された光が導光板１９とフレーム１６の枠部１６１Ａとの間（導光板１９と弾性部材２１との間）に形成される隙間を通過することもある。
【０１３１】
特に、反射シート２０Ａの端部に撓み等が生じて、導光板１９の裏面１９ｂと反射シート２０Ａとの間に隙間等が生じた場合、反射シート２０Ａの配置位置（配置角度）が当初の位置から変化するため、上記のような、蛍光体シート１５０の端部１５０ａに向かう光が生じ易い。
【０１３２】
なお、反射シート２０Ａの端部（反射延設部２０１、反射本体部２００の端部２００ａ）に当たる光は、それ以外の個所（例えば、反射シート２０Ａの中央側）と比べて、一次光（青色光）の存在比率が高くなっている。また、ＬＥＤ１７付近は、光量も多くなっている。
【０１３３】
本実施形態では、上述したように、反射シート２０Ａの端部（反射延設部２０１、反射本体部２００の端部２００ａ）の表面に、補色部２３Ａが設けられており、その補色部２３Ａにより一次光（青色光）がある程度、吸収され、残りの光が反射されるため、蛍光体シート１５０の端部１５０ａには、ある程度、一次光（青色光）の存在比率が低くされた光が供給されることになる。また、その光は、白味を帯びることになる。そのため、蛍光体シート１５０の端部１５０ａでは、波長変換されずにそのまま透過する一次光（青色光）を減らすことができ、最終的に光学部材１５を透過して液晶パネル１１に供給される光の色ムラを抑制することができる。つまり、照明装置１２Ａから出射される面状に広がった光において、ＬＥＤ１７がある端側（導光板１９の入射端部１９０側）が中央側よりも青色（ＬＥＤ１７の一次光の色彩）に色付く色ムラを抑制することができる。
【０１３４】
次いで、反対側光源非対向面１９ｄ側の補色部２３Ｂについて、図７及び図９を参照しつつ説明する。補色部２３Ｂは、図７及び図９に示されるように、反対側光源非対向面（光源非対向面の一例）１９ｄを含む導光板１９の光源非対向端部１９１を裏面（反対面）１９ｂ側から少なくとも覆うように、形成されている。
【０１３５】
補色部２３Ｂは、反射シート（反射部材の一例）２０Ａの立壁部（対向部材の一例）１６２Ｂ側の端部上に、両面粘着テープ等の固定手段（不図示）を利用して貼り付けられている。本実施形態の反射シート２０Ａは、反射本体部２００から立壁部１６２Ｂ側に向って延設され裏面（反対面）１９ｂから外側にはみ出した第２の反射延設部２０２を備えている。
【０１３６】
補色部２３Ｂは、反射シート２０Ａのうち、第２の反射延設部２０２の表面全域と、反射本体部２００の立壁部１６２Ｂ側の端部２００ｂの表面全域とに亘って形成されている。補色部２３Ｂは、全体的には、導光板１９の短辺方向に沿って細長く延びた矩形状（帯状）をなし、導光板１９の短辺方向に沿って連続的に形成されている。
【０１３７】
ＬＥＤ１７から出射され、導光板１９内を伝播する光（一次光、青色光）の中には、反射シート２０Ａの端部（第２の反射延設部２０２、反射本体部２００の端部２００ｂ）に向かうものもある。反対側光源非対向面１９ｄ付近は、蛍光体シート１５０で波長変換されていない状態の光（つまり、一次光）の存在比率が、例えば、導光板１９の中央側と比べて高くなっている。そのような状況下において、反射シート２０Ａの端部（第２の反射延設部２０２、反射本体部２００の端部２００ｂ）に向かった光は、補色部２３Ｂに当たり、その補色部２３Ｂによって、青色光（一次光）がある程度、吸収される。
【０１３８】
補色部２３Ｂに当たる光の中には、既に蛍光体シート１５０で波長変換された後のものもある。そのような光は、補色部２３Ｂにより反射されて蛍光体シート１５０側へ供給される。
【０１３９】
上述した実施形態１と同様、導光板１９とフレーム１６の枠部１６１Ｂとの間（導光板１９と弾性部材２１との間）に隙間が形成された場合には、その隙間を反射シート２０Ａの端部で反射された光が通過して、蛍光体シート１５０の端部１５０ａに供給されることもある。
【０１４０】
なお、反射シート２０Ａの端部に撓み等が生じて、導光板１９の裏面１９ｂと反射シート２０Ａとの間に隙間等が生じた場合、反射シート２０Ａの配置位置（配置角度）が当初の位置から変化するため、上記のような、蛍光体シート１５０の端部１５０ｂに向かう光が生じ易い。
【０１４１】
本実施形態では、上述したように、反射シート２０Ａの端部（第２の反射延設部２０２、反射本体部２００の端部２００ｂ）の表面に、補色部２３Ｂが設けられており、その補色部２３Ｂにより一次光（青色光）がある程度、吸収され、残りの光が反射されるため、蛍光体シート１５０の端部１５０ｂには、ある程度、一次光（青色光）の存在比率が低くされた光が供給されることになる。また、その光は、白味を帯びることになる。そのため、蛍光体シート１５０の端部１５０ｂでは、波長変換されずにそのまま透過する一次光（青色光）を減らすことができ、最終的に光学部材１５を透過して液晶パネル１１に供給される光の色ムラを抑制することができる。つまり、照明装置１２Ａから出射される面状に広がった光において、ＬＥＤ１７がある端側（導光板１９の入射端部１９０側）が中央側よりも青色（ＬＥＤ１７の一次光の色彩）に色付く色ムラを抑制することができる。
【０１４２】
＜実施形態３＞
次いで、本発明の実施形態３を、図１０及び図１１を参照しつつ説明する。本実施形態では、照明装置１２Ｂを備える液晶表示装置１０Ｂについて例示する。
【０１４３】
図１０は、実施形態３に係る照明装置１２Ｂを模式的に表した部分平面図であり、図１１は、実施形態３に係る液晶表示装置１０Ｂの光入射面付近の拡大断面図である。本実施形態の液晶表示装置１０Ｂで利用される照明装置１２Ｂは、波長変換部材として、蛍光体チューブ５０を備えている。
【０１４４】
蛍光体チューブ５０は、全体的には、長手状をなしており、複数個のＬＥＤ１７が一列に並ぶ方向（本実施形態の場合、導光板１９の短辺方向）に沿うように、ＬＥＤ１７の発光面１７ａと導光板１９の光入射面１９ｃとの間に配設される。蛍光体チューブ５０は、量子ドット蛍光体（蛍光体の一例）を含有する波長変換部５１と、波長変換部５１を包囲する形で収容しつつ光透過性を有する長手状の収容部５２とを備えている。
【０１４５】
波長変換部５１は、ＬＥＤ１７から出射された一次光（本実施形態の場合、青色光）を、一次光の波長領域とは異なる他の波長領域に含まれる二次光（本実施形態の場合、緑色光及び赤色光）に波長変換する機能を備えている。波長変換部５１としては、例えば、量子ドット蛍光体が添加されている樹脂の硬化物からなる。量子ドット蛍光体が添加される樹脂としては、例えば、紫外線硬化型樹脂が挙げられる。なお、本実施形態の波長変換部５１は、長手状の収容部５２内に収容された状態で、収容部５２の長手方向に沿って延びた形をなしている。また、量子ドット蛍光体としては、例えば、上記実施形態１で例示されたものが使用される。
【０１４６】
収容部５２は、全体的には長手状をなしており、波長変換部５１を収容した状態で両端が閉塞された光透過性を有する筒体からなる。収容部５２としては、例えば、一方の端部が開口しかつ他方の端部が閉塞したガラス製の筒体（例えば、ガラス管）を、内側に波長変換部５１を収容させた状態で、前記一方の端部を閉塞したものからなる。
【０１４７】
収容部５２は、波長変換部５１を取り囲む透明な筒状の壁からなり、内側に波長変換部５１を収容する空間を有する長手状の筒状本体部５３と、筒状本体部５３の長手方向の両端を閉塞（封止）する２つの封止端部５４，５５とからなる。なお、封止端部５４，５５は、収容部５２の長手方向の各端部であり、また蛍光体チューブ５０の長手方向の各端部でもある。
【０１４８】
このような蛍光体チューブ（波長変換部材）６０は、例えば、量子ドット蛍光体を、流動性を有する透明な紫外線硬化型樹脂に添加・混合し、得られた混合物を、ガラス管に入れてガラス管の開口端を封止（閉塞）した後、紫外線を照射してガラス管内の樹脂を硬化させることにより製造される。
【０１４９】
本実施形態の場合、蛍光体チューブ５０は、図示されない保持部材を利用しつつ、シャーシ１４の底板１４ａと、フレーム１６の枠部１６１Ａとの間で挟み込まれる形で、ＬＥＤ１７と光入射面１９ｃとの間の位置に固定されている。
【０１５０】
蛍光体チューブ５０は、図１０及び図１１に示されるように、収容部５２に収容された波長変換部５１が、ＬＥＤ１７の光出射方向（ＬＥＤ１７の光軸方向Ｌ）において、ＬＥＤ１７の発光面１７ａ及び導光板１９の光入射面１９ｃにそれぞれ重なるように、照明装置１２Ｂ内に設置されている。
【０１５１】
照明装置１２Ｂ内に設置された蛍光体チューブ５０において、照明装置１２Ｂの表側（フレーム１６側）に配される収容部５２の壁からなる長手方向に沿った透明な部分５２ａは、光透過性を有する部材（例えば、ガラス）のみからなり、波長変換機能を備えておらず、表側非波長変換部５２ａと称される。また、照明装置１２Ｂの裏側（シャーシ１４の底板１４ａ側）に配される収容部５２の壁からなる長手方向に沿った透明な部分も、非波長変換部５２ａと同様、光透過性を有する部材（例えば、ガラス）のみからなり、裏側非波長変換部５２ｂと称される。
【０１５２】
蛍光体チューブ５０は、図１１に示されるように、ＬＥＤ１７の光出射方向（ＬＥＤ１７の光軸方向Ｌ）において、ＬＥＤ１７の発光面１７ａ及び導光板１９の光入射面１９ｃと重ならない部分を、表側非波長変換部５２ａ及び裏側非波長変換部５２ｂとして含んでいる。
【０１５３】
なお、照明装置１２Ｂ内において、蛍光体チューブ５０の両端（封止端部）５４，５５は、光透過性を有する部材（例えば、ガラス）のみからなり、波長変換機能を備えていないため、ＬＥＤ１７の光出射方向（ＬＥＤ１７の光軸方向Ｌ）において、ＬＥＤ１７の発光面１７ａ及び導光板１９の光入射面１９ｃと重ならないように、図１１に示されるように光入射面１９ｃの外側に配されている。
【０１５４】
本実施形態の照明装置１２Ｂにおいて、導光板１９の光入射面１９ｃ側の上方には、補色部１２２が設けられている。この補色部１２２は、上述した実施形態１の補色部２２と同様、ＬＥＤ１７から出射された光（一次光、青色光）が呈する青色（基準色）と補色の関係にある色（本実施形態の場合、黄色）を呈する部材からなる。つまり、補色部１２２は、補色部１２２自体が呈する黄色に対して補色の関係にある青色の光（青色光、一次光）を吸収し、それ以外の光を反射する機能を備えている。
【０１５５】
補色部１２２は、表面が黄色を呈する部材であれば、特に制限はない。補色部１２２は、例えば、上述した実施形態１の補色部２２と同様、薄手の樹脂製のシート（又はフィルム）基材の表面に、黄色の塗膜を形成して、前記基材を着色したものからなる。
【０１５６】
補色部１２２は、図１１に示されるように、ＬＥＤ１７と光入射面１９ｃを含む導光板１９の入射端部１９０との間に形成される隙間を、光出射面１９ａ側から少なくとも覆うように、形成されている。本実施形態の場合、ＬＥＤ１７と光入射面１９ｃとの間には、蛍光体チューブ（波長変換部材）５０が配設されているため、補色部１２２は、蛍光体チューブ５０を上方から覆うように形成されている。なお、入射端部１９０は、導光板１９の１組の短辺側端部のうち、ＬＥＤ１７と対向する光入射面１９ｃを含むものからなる。
【０１５７】
補色部１２２は、導光板１９の短辺方向に沿って細長く延びた矩形状（帯状）をなし、ＬＥＤ１７と入射端部１９０との間の隙間を跨ぐように、ＬＥＤ１７から入射端部１９０に亘って形成されている。本実施形態の場合、補色部１２２は、ＬＥＤ基板１８の実装面１８ａから入射端部１９０に亘って形成されている。また、補色部１２２は、導光板１９の短辺方向（複数個のＬＥＤ１７が一列に並ぶ方向）に沿って連続的に形成されている。
【０１５８】
補色部１２２は、フレーム１６が備える枠部１６１のうち、入射端部１９０に沿って配される枠部１６１Ａの裏面１６１Ａａに対して、両面粘着テープ等の固定手段（不図示）を介して固定されている。
【０１５９】
ＬＥＤ１７から出射された光（一次光、青色光）の中には、蛍光体チューブ５０の波長変換部５１で波長変換されずに、表側非波長変換部５２ａ等をそのまま透過して、フレーム１６の枠部１６１Ａ側に向うものもある。
【０１６０】
ＬＥＤ１７付近は、その他の部分と比べて光量が多く、尚且つ蛍光体チューブ５０で波長変換されていない状態の光（つまり、一次光）の存在比率がその他の部分と比べて高くなっている。そのような状況下において、フレーム１６の枠部１６１Ａ側に向った光は、枠部１６１Ａの裏面１６１Ａａに設けられている補色部１２２に当たり、その補色部１２２によって、青色光（一次光）が吸収される。
【０１６１】
なお、補色部１２２に当たる光の中には、既に蛍光体チューブ５で波長変換された後のものもある。波長変換後の光（二次光）が、例えば、反射シート２０等で反射されて、フレーム１６の枠部１６１Ａ側に向った場合、その光は、補色部１２２により反射され導光板１９側等へ戻されることになる。
【０１６２】
フレーム１６が備える枠部１６１Ａの内周縁側は、遮光性を有する弾性部材２１を介して入射端部１９０に表側（光出射面１９ａ側）から載せられている。弾性部材２１は、導光板１９の短辺方向に沿って線状に細長く延びており、理想的には、枠部１６１Ａと入射端部１９０との間を密閉するものである。しかしながら、フレーム１６や導光板１９の各構成部材に反りや撓み等の変形等が生じた場合、弾性部材２１と入射端部１９０との間（つまり、枠部１６１Ａと入射端部１９０との間）に僅かな隙間が形成される場合がある。このような場合、その隙間から一次光（青色光）が漏れてしまう虞がある。
【０１６３】
ただし、本実施形態では、上述したようにフレーム１６の枠部１６１Ａの裏面１６１Ａａに補色部１２２が取り付けられているため、その補色部１２２により一次光（青色光）が吸収されることになる。つまり、導光板１９の入射端部１９０では、波長変換されずにそのまま透過する一次光（青色光）を減らすことができ、導光板１９の入射端部１９０からは、その他の部分と同様、白味を帯びた光が出射されることになる。その結果、最終的に光学部材１５を透過して液晶パネル１１に供給される光の色ムラを抑制することができる。このように補色部１２２を利用することで、照明装置１２Ｂから出射される面状に広がった光において、ＬＥＤ１７がある端側（導光板１９の入射端部１９０側）が中央側よりも青色（ＬＥＤ１７の一次光の色彩）に色付く色ムラを抑制することができる。
【０１６４】
＜実施形態４＞
次いで、本発明の実施形態４を、図１２を参照しつつ説明する。本実施形態では、照明装置１２Ｃを備える液晶表示装置１０Ｃについて例示する。
【０１６５】
図１２は、実施形態４に係る液晶表示装置１０Ｃの光入射面付近の拡大断面図である。本実施形態の液晶表示装置１０Ｃで利用される照明装置１２Ｃは、上記実施形態３と同様、波長変換部材として、蛍光体チューブ５０を備えている。
【０１６６】
ただし、本実施形態では、上記実施形態３とは異なり、光入射面１９ｃを含む導光板１９の入射端部１９０を裏面（反対面）１９ｂ側から少なくとも覆うように、補色部１２３が配されている。
【０１６７】
補色部１２３は、反射シート（反射部材の一例）２０のＬＥＤ１７側の端部上に、両面粘着テープ等の固定手段（不図示）を利用して貼り付けられている。反射シート２０は、実施形態１と同様、白色の発泡ポリエチレンテレフタレートシートからなる。反射シート２０は、シャーシ１４内において、導光板１９の裏面（反対面）１９ｂに対して全面的に重なりつつ、端部が光入射面１９ｃよりも外側にはみ出した形となっている。なお、補色部１２３は、上記実施形態３と同様、表面が黄色を呈する薄手の部材からなる。
【０１６８】
補色部１２３は、反射シート２０のうち、光入射面１９ｃから外側にはみ出した部分と共に、入射端部１９０と重なる部分に形成されている。補色部１２３は、全体的には、導光板１９の短辺方向に沿って細長く延びた矩形状（帯状）をなしている。なお、補色部１２３は、導光板１９の短辺方向に沿って連続的に形成されている。
【０１６９】
本実施形態のように、導光板１９の下側に敷かれている反射シート２０の端部が、ＬＥＤ１７付近に配されている場合、蛍光体チューブ５０より出射された光は、光入射面１９ｃよりも外側にはみ出している反射シート２０の部分や、入射端部１９０を裏側から覆う反射シート２０の部分により、液晶パネル１１側等に立ち上がるように反射され、導光板１９の入射端部１９０付近に供給される。
【０１７０】
特に、反射シート２０の端部に撓み等が生じて、導光板１９の裏面１９ｂと反射シート２０との間に隙間等が生じた場合、反射シート２０の配置位置（配置角度）が当初の位置から変化して、導光板１９の入射端部１９０付近に反射シート２０の端部で反射された反射光が多く供給されることがある。なお、上述した実施形態３等と同様、導光板１９とフレーム１６の枠部１６１Ａとの間（導光板１９と弾性部材２１との間）に隙間が形成された場合には、その隙間から、反射シート２０の端部で反射された光が漏れ出すことになる。
【０１７１】
ＬＥＤ１７から出射された一次光の中には、蛍光体チューブ５０の波長変換部５１で波長変換されずに、裏側非波長変換部５２ｂ等をそのまま透過して、入射端部１９０付近にある反射シート２０の端部付近に供給されるものがある。なお、反射シート２０Ａの端部に当たる光は、それ以外の個所（例えば、反射シート２０の中央側）と比べて、蛍光体チューブ５０で波長変換されなかった一次光（青色光）の存在比率が高くなっている。また、ＬＥＤ１７付近は、光量も多くなっている。
【０１７２】
本実施形態では、上述したように、反射シート２０の端部の表面に、補色部１２３が設けられているため、その補色部１２３により、一次光（青色光）が吸収されることになる。そのため、導光板１９の入射端部１９０付近において、蛍光体チューブ５０から出射された一次光（青色光）を減らすことができ、導光板１９の入射端部１９０付近からは、その他の部分と同様、白味を帯びた光が出射されることになる。その結果、最終的に光学部材１５を透過して液晶パネル１１に供給される光の色ムラを抑制することができる。このような補色部１２３を利用することで、照明装置１２Ｃから出射される面状に広がった光において、ＬＥＤ１７がある端側（導光板１９の入射端部１９０側）が中央側よりも青色（ＬＥＤ１７の一次光の色彩）に色付く色ムラを抑制することができる。
【０１７３】
＜実施形態５＞
次いで、本発明の実施形態５を、図１３及び図１４を参照しつつ説明する。本実施形態では、照明装置１２Ｄを備える液晶表示装置１０Ｄについて例示する。
【０１７４】
図１３は、実施形態５に係る液晶表示装置１０Ｄの光入射面付近の拡大断面図であり、図１４は、ホルダ６０の正面図である。本実施形態の液晶表示装置１０Ｄで利用される照明装置１２Ｄは、長手状のホルダ６０によって保持された蛍光体チューブ５０を備えている。
【０１７５】
本実施形態の蛍光体チューブ（波長変換部材）５０は、図１３に示されるように、ＬＥＤ１７と導光板１９の光入射面１９ｃとの間の隙間に、ホルダ６０によって保持された状態で配置されている。ホルダ６０は、全体的には、長手状をなした部材であり、光反射性に優れた白色を呈する合成樹脂の成形品からなる。ホルダ６０は、蛍光体チューブ５０のうち、波長変換部５１を内包する部分を、略全長に亘って上下方向（表裏方向）から挟み込むような断面略Ｃ字状の形をなしている。ホルダ６０は、蛍光体チューブ５０を上下方向から挟み込む一対の表側保持壁部６１及び裏側保持壁部６２と、上下方向（表裏方向）で表側保持壁部６１と裏側保持壁部６２とを繋ぐと共に、蛍光体チューブ５０よりもＬＥＤ１７側（ＬＥＤ基板１８側）に配される連結壁部６３とを備えている。なお、ホルダ６０は、蛍光体チューブ５０を上下方向から挟持した状態で、導光板１９の光入射面１９ｃ側に開放した形をなしている。
【０１７６】
連結壁部６３は、シャーシ１４内で上下方向に沿って起立しつつ、複数個のＬＥＤ１７が一列に並ぶ方向に沿って延びた形をなしている。また、連結壁部６３には、各ＬＥＤ１７を光入射面１９ｃ側に露出させるための複数の開口部６４が形成されている。なお、連結壁部６３は、シャーシ１４内において、各開口部６４から各ＬＥＤ１７を露出させた状態で、ＬＥＤ基板１８の実装面１８ａ上に宛がわれた状態となっている。
【０１７７】
蛍光体チューブ５０は、このようなホルダ６０によって保持された状態で、シャーシ１４の底板１４ａに対して図示されない固定手段により固定されている。なお、本実施形態の場合、図１３に示されるように、ＬＥＤ１７の発光面１７ａは、蛍光体チューブ５０の収容部５２の壁面に対して密着されている。
【０１７８】
また、本実施形態の照明装置１２Ｄにおいて、導光板１９の光入射面１９ｃ側の上方には、上記実施形態３の補色部１２２と同様な、表面が黄色を呈する薄手の補色部２２２が設けられている。
【０１７９】
補色部２２２は、導光板１９の入射端部１９０との間に形成される隙間を、光出射面１９ａ側から少なくとも覆うように、形成されている。本実施形態の場合、ＬＥＤ１７と光入射面１９ｃとの間には、ホルダ６０で保持された蛍光体チューブ（波長変換部材）５０が配設されているため、補色部２２２は、ホルダ６０と共に蛍光体チューブ５０を上方から覆うように形成されている。
【０１８０】
補色部２２２は、フレーム１６が備える枠部１６１のうち、入射端部１９０に沿って配される枠部１６１Ａの裏面１６１Ａａに対して、両面粘着テープ等の固定手段（不図示）を介して固定されている。
【０１８１】
ＬＥＤ１７から出射された光（一次光、青色光）の中には、蛍光体チューブ５０の波長変換部５１で波長変換されずに、表側非波長変換部５２ａ等をそのまま透過して、フレーム１６の枠部１６１Ａ側に向うものもある。
【０１８２】
特に、本実施形態のように、蛍光体チューブ５０がホルダ６０によって保持されていると、ホルダ６０の分（表側保持壁部６１の厚み分、及び裏側保持壁部６２の厚み分）だけ、蛍光体チューブ５０の上下外側に、波長変換されない部分が形成されることになる。そのため、ＬＥＤ１７から発せられた後、蛍光体チューブ５０で波長変換されずに、一次光のままフレーム１６の枠部１６１Ａ側に向う光がある程度存在することになる。
【０１８３】
なお、ＬＥＤ１７付近は、その他の部分と比べて光量が多く、尚且つ蛍光体チューブ５０で波長変換されていない状態の光（つまり、一次光）も、その他の部分と比べて、ある程度、存在している。そのような状況下において、フレーム１６の枠部１６１Ａ側に向った光は、枠部１６１Ａの裏面１６１Ａａに設けられている補色部２２２に当たり、その補色部１２２によって、青色光（一次光）が吸収される。
【０１８４】
つまり、本実施形態においても、導光板１９の入射端部１９０では、波長変換されずにそのまま透過する一次光（青色光）を減らすことができ、導光板１９の入射端部１９０からは、白味を帯びた光が出射されることになる。その結果、最終的に光学部材１５を透過して液晶パネル１１に供給される光の色ムラを抑制することができる。このように補色部２２２を利用することで、照明装置１２Ｄから出射される面状に広がった光において、ＬＥＤ１７がある端側（導光板１９の入射端部１９０側）が中央側よりも青色（ＬＥＤ１７の一次光の色彩）に色付く色ムラを抑制することができる。
【０１８５】
＜実施形態６＞
次いで、本発明の実施形態６を、図１５を参照しつつ説明する。本実施形態では、照明装置１２Ｅを備える液晶表示装置１０Ｅについて例示する。図１５は、実施形態６に係る液晶表示装置１０Ｅの光入射面付近の拡大断面図である。本実施形態の液晶表示装置１０Ｅで利用される照明装置１２Ｅは、上記実施形態５と同様、長手状のホルダ６０によって保持された蛍光体チューブ５０を備えている。
【０１８６】
また、本実施形態では、上記実施形態４と同様、光入射面１９ｃを含む導光板１９の入射端部１９０を裏面（反対面）１９ｂ側から少なくとも覆うように、補色部２２３が配されている。補色部２２３は、表面が黄色を呈する薄手の部材からなり、導光板１９の短辺方向に沿って連続的に形成されている。
【０１８７】
本実施形態のように、導光板１９の下側に敷かれている反射シート２０の端部が、ＬＥＤ１７付近に配されている場合、蛍光体チューブ５０より出射された光は、光入射面１９ｃよりも外側にはみ出している反射シート２０の部分や、入射端部１９０を裏側から覆う反射シート２０の部分により、液晶パネル１１側等に立ち上がるように反射され、導光板１９の入射端部１９０付近に供給される。
【０１８８】
特に、本実施形態のように、蛍光体チューブ５０がホルダ６０によって保持されていると、ホルダ６０の分（表側保持壁部６１の厚み分、及び裏側保持壁部６２の厚み分）だけ、蛍光体チューブ５０の上下外側に、波長変換されない部分が形成されることになる。そのため、ＬＥＤ１７から発せられた後、蛍光体チューブ５０で波長変換されずに、一次光のまま反射シート２０の端部側に向う光がある程度存在することになる。
【０１８９】
本実施形態では、上述したように、反射シート２０の端部の表面に、補色部２２３が設けられているため、その補色部２２３により、一次光（青色光）が吸収されることになる。そのため、導光板１９の入射端部１９０付近において、蛍光体チューブ５０から出射された一次光（青色光）を減らすことができ、導光板１９の入射端部１９０付近からは、その他の部分と同様、白味を帯びた光が出射されることになる。その結果、最終的に光学部材１５を透過して液晶パネル１１に供給される光の色ムラを抑制することができる。このような補色部２２３を利用することで、照明装置１２Ｃから出射される面状に広がった光において、ＬＥＤ１７がある端側（導光板１９の入射端部１９０側）が中央側よりも青色（ＬＥＤ１７の一次光の色彩）に色付く色ムラを抑制することができる。
【０１９０】
＜実施形態７＞
本発明の実施形態７を図１６から図２１によって説明する。
液晶表示装置４１０を構成液晶パネル（表示パネル）４１１は、実施形態１の液晶パネル１１と同様の構成を備えている。一方、バックライト装置４１２は、図１６に示すように、表側（液晶パネル４１１側）に向けて開口する光出射部４１４ｂを有した略箱型をなすシャーシ４１４と、シャーシ４１４の光出射部４１４ｂを覆う形で配される光学部材（光学シート）４１５と、を備える。さらに、シャーシ４１４内には、光源であるＬＥＤ４１７と、ＬＥＤ４１７が実装されたＬＥＤ基板４１８と、ＬＥＤ４１７からの光を導光して光学部材４１５（液晶パネル４１１）へと導く導光板４１９と、導光板４１９などを表側から押さえるフレーム４１６と、が備えられる。
【０１９１】
シャーシ４１４は、金属製とされ、図１６及び図１７に示すように、液晶パネル４１１と同様に横長の方形状をなす底部４１４ａと、底部４１４ａの各辺の外端からそれぞれ立ち上がる側部４１４ｃと、からなり、全体としては表側に向けて開口した浅い略箱型をなしている。シャーシ４１４（底部４１４ａ）は、その長辺方向がＸ軸方向（水平方向）と一致し、短辺方向がＹ軸方向（鉛直方向）と一致している。また、側部４１４ｃには、フレーム４１６及びベゼル４１３が固定可能とされる。
【０１９２】
光学部材４１５は、図１６に示すように、液晶パネル４１１及びシャーシ４１４と同様に平面に視て横長の方形状をなしている。光学部材４１５は、シャーシ４１４の光出射部４１４ｂを覆うとともに、液晶パネル４１１と導光板４１９との間に介在する形で配されている。光学部材４１５は、シート状をなしていて合計で４枚が備えられている。具体的には、光学部材４１５は、ＬＥＤ４１７から発せられた光（一次光）を他の波長の光（二次光）へと波長変換する板面波長変換シート（板面波長変換部材）４２０と、光に等方性集光作用を付与するマイクロレンズシート４２１と、光に異方性集光作用を付与するプリズムシート４２２と、光を偏光反射する反射型偏光シート４２３と、から構成される。光学部材４１５は、図１８及び図１９に示すように、裏側から板面波長変換シート４２０、マイクロレンズシート４２１、プリズムシート４２２、及び反射型偏光シート４２３の順で相互に積層されてそれらの外縁部がフレーム４１６に対してその表側に載せられている。
【０１９３】
フレーム４１６は、図１６に示すように、導光板４１９及び光学部材４１５の外周縁部に沿って延在する横長の枠状部（額縁状部）４１６ａを有しており、その枠状部４１６ａにより導光板４１９の外周縁部をほぼ全周にわたって表側から押さえるものとされる。この枠状部４１６ａのうち一方の長辺部における裏側の面、つまり導光板４１９及びＬＥＤ基板４１８（ＬＥＤ４１７）との対向面には、図１８に示すように、光を反射するフレーム側反射シート４２４が取り付けられている。フレーム側反射シート４２４は、表面が光の反射性に優れた白色を呈するとともに、枠状部４１６ａの一方の長辺部におけるほぼ全長にわたって延在する大きさを有しており、導光板４１９におけるＬＥＤ４１７側の端部に直接当接されて導光板４１９の上記端部とＬＥＤ基板４１８とを一括して表側から覆うものとされる。フレーム４１６の枠状部４１６ａは、光学部材４１５（板面波長変換シート４２０）と導光板４１９との間に介在するとともに、光学部材４１５の外周縁部を裏側から支持するものとされ、それにより光学部材４１５が導光板４１９との間に枠状部４１６ａ分の間隔を空けた位置に保たれる。また、フレーム４１６の枠状部４１６ａのうち、フレーム側反射シート４２４が設置された一長辺部を除く３つの辺部における裏側（導光板４１９側）の面には、例えばポロン（登録商標）などからなる緩衝材４２６が設けられている。さらには、フレーム４１６は、枠状部４１６ａから表側に向けて突出するとともに、液晶パネル４１１における外周縁部を裏側から支持する液晶パネル支持部４１６ｂを有している。
【０１９４】
ＬＥＤ４１７及びＬＥＤ４１７が実装されるＬＥＤ基板４１８は、実施形態１のＬＥＤ１７及びＬＥＤ基板１８と同様の構成とされる。
【０１９５】
導光板４１９は、屈折率が空気よりも十分に高く且つほぼ透明な（透光性に優れた）合成樹脂材料（例えばＰＭＭＡなどのアクリル樹脂材料など）からなる。導光板４１９は、図１６及び図１７に示すように、液晶パネル４１１及びシャーシ４１４と同様に平面に視て横長の方形状をなすとともに光学部材４１５よりも厚みが大きな板状をなしている。導光板４１９は、図１８及び図１９に示すように、シャーシ４１４内において液晶パネル４１１及び光学部材４１５の直下位置に配されており、その外周端面のうちの一方（図１６及び図１７に示す手前側、図１８に示す左側）の長辺側の端面がシャーシ４１４における長辺側の一端部に配されたＬＥＤ基板４１８の各ＬＥＤ４１７とそれぞれ対向状をなしている。そして、導光板４１９は、ＬＥＤ４１７からＹ軸方向に向けて発せられた光を導入するとともに、その光を内部で伝播させつつ光学部材４１５側（表側）へ向くよう立ち上げて出射させる機能を有する。
【０１９６】
導光板４１９における一対の板面のうちの表側の板面が、図１８及び図１９に示すように、内部の光を光学部材４１５及び液晶パネル４１１に向けて出射させる出光板面（光出射面）４１９ａとなっている。導光板４１９における板面に対して隣り合う外周端面のうち、Ｘ軸方向（ＬＥＤ４１７の並び方向、ＬＥＤ基板４１８の長辺方向）に沿って長手状をなす長辺側の一対の端面のうち、一方（図１６及び図１７に示す手前側）の長辺側の端面は、ＬＥＤ４１７（ＬＥＤ基板４１８）と所定の空間を空けて対向状をなしており、これがＬＥＤ４１７から発せられた光が直接的に入射される入光端面（光入射面）４１９ｂとなっている。この入光端面４１９ｂは、ＬＥＤ４１７と対向状をなしていることから、「ＬＥＤ対向端面（光源対向端面）」であるとも言える。入光端面４１９ｂは、Ｘ軸方向及びＺ軸方向に沿って並行する面とされ、出光板面４１９ａに対して略直交する面とされる。これに対して、導光板４１９の上記外周端面のうち、入光端面４１９ｂを除いた部分（他方の長辺側の端面及び短辺側の一対の端面）が、ＬＥＤ４１７から発せられた光が直接的に入射されることがない非入光端面４１９ｄとされる。この非入光端面４１９ｄは、ＬＥＤ４１７と対向状をなしていないことから、「ＬＥＤ非対向端面（光源非対向端面）」であるとも言える。非入光端面４１９ｄは、導光板４１９の上記外周端面における長辺側の一対の端面のうちの他方の端面、つまり上記した入光端面４１９ｂとは反対側の端面から構成される非入光反対端面４１９ｄ１と、入光端面４１９ｂ及び非入光反対端面４１９ｄ１に対して隣り合う短辺側の一対の端面から構成される一対の非入光側端面４１９ｄ２と、からなる。なお、本実施形態では、ＬＥＤ非対向端面のことを「非入光端面４１９ｄ」として説明しているが、光が全く入射しないことまでを意味するものではなく、例えば非入光端面４１９ｄから一旦外側に漏れ出した光がシャーシ４１４の側部４１４ｃによって反射されて戻された場合にはその戻される光が非入光端面４１９ｄに入射することもあり得る。
【０１９７】
導光板４１９における裏側、つまり出光板面４１９ａとは反対側の反対板面４１９ｃに対しては、板面反射シート（板面反射部材）４２５が裏側に重なる形で配されている。板面反射シート４２５は、表面が光の反射性に優れた白色を呈する合成樹脂製（例えば発泡ＰＥＴ製）とされていて、導光板４１９内を伝播して反対板面４１９ｃに達した光を反射することでその光を表側、つまり出光板面４１９ａへ向かうよう立ち上げるものとされる。板面反射シート４２５は、導光板４１９の反対板面４１９ｃをほぼ全域にわたって覆う形で配されている。板面反射シート４２５は、平面に視てＬＥＤ基板４１８（ＬＥＤ４１７）と重畳する範囲にまで拡張されてその拡張部分と表側のフレーム側反射シート４２４との間でＬＥＤ基板４１８（ＬＥＤ４１７）を挟み込む形で配されている。これにより、ＬＥＤ４１７からの光を両反射シート４２４，４２５間で繰り返し反射することで、入光端面４１９ｂに対して効率的に入射させることができる。この導光板４１９の反対板面４１９ｃには、導光板４１９内の光を出光板面４１９ａに向けて反射させることで出光板面４１９ａから出射を促すための光反射部からなる光反射パターン（図示せず）が形成されている。この光反射パターンを構成する光反射部は、多数の光反射ドットからなるものとされており、その分布密度が入光端面４１９ｂ（ＬＥＤ４１７）からの距離に応じて変化するものとされる。具体的には、光反射部を構成する光反射ドットの分布密度は、Ｙ軸方向について入光端面４１９ｂから遠ざかるほど（非入光反対端面４１９ｄ１に近づくほど）高くなり、逆に入光端面４１９ｂに近づくほど（非入光反対端面４１９ｄ１から遠ざかるほど）低くなる傾向にあり、それにより出光板面４１９ａからの出射光が面内において均一な分布となるよう制御されている。
【０１９８】
次に、板面波長変換シート４２０は、実施形態１の蛍光体シート１５０と同様の構成とされる。板面波長変換シート４２０は、図２０に示すように、ＬＥＤ４１７からの光を波長変換するための蛍光体（波長変換物質）を含有する波長変換層（蛍光体フィルム）４２０ａと、波長変換層４２０ａを表裏から挟み込んでこれを保護する一対の保護層（保護フィルム）４２０ｂと、から構成されている。波長変換層４２０ａには、ＬＥＤ４１７からの青色の単色光を励起光として、赤色の光（赤色に属する特定の波長領域の可視光線）を発する赤色蛍光体と、緑色（緑色に属する特定の波長領域の可視光線）の光を発する緑色蛍光体と、が分散配合されている。これにより、板面波長変換シート４２０は、ＬＥＤ４１７の発光光（青色の光、一次光）をその色味（青色）に対して補色となる色味（黄色）を呈する二次光（緑色の光及び赤色の光）に波長変換するものとされる。波長変換層４２０ａは、ほぼ透明な合成樹脂製でフィルム状をなす基材（蛍光体担体）４２０ａ１に、赤色蛍光体及び緑色蛍光体を分散配合した蛍光体層４２０ａ２を塗布してなるものとされる。保護層４２０ｂは、ほぼ透明な合成樹脂製でフィルム状をなしており、防湿性などに優れるものとされる。
【０１９９】
より詳しくは、波長変換層４２０ａに含有される各色の蛍光体は、励起波長が蛍光波長よりも短波長とされるダウンコンバージョン型（ダウンシフティング型）とされている。このダウンコンバージョン型の蛍光体は、相対的に短波長で且つ高いエネルギーを持つ励起光を、相対的に長波長で且つ低いエネルギーを持つ蛍光光に変換するものとされる。従って、仮に励起波長が蛍光波長よりも長波長とされるアップコンバージョン型の蛍光体を用いた場合（量子効率が例えば２８％程度）に比べると、量子効率（光の変換効率）が３０％〜５０％程度と、より高いものとなっている。各色の蛍光体は、それぞれ量子ドット蛍光体（Quantum Dot Phosphor）とされ、本実施形態において用いる量子ドット蛍光体は、いわゆるコア・シェル型量子ドット蛍光体とされる。コア・シェル型量子ドット蛍光体は、量子ドットの周囲を、比較的バンドギャップの大きな半導体物質からなるシェルによって被覆した構成とされる。具体的には、コア・シェル型量子ドット蛍光体として、シグマ  アルドリッチ  ジャパン合同会社の製品である「Lumidot（登録商標）  ＣｄＳｅ／ＺｎＳ」を用いるのが好ましい。
【０２００】
ところで、本実施形態のようなエッジライト型のバックライト装置４１２では、図１８及び図１９に示すように、導光板４１９の出光板面４１９ａから出射した光は、その全てが板面波長変換シート４２０により波長変換されてそのままバックライト装置４１２の出射光として利用されるとは限らず、再帰反射されて導光板４１９側に戻されるなどした後にバックライト装置４１２の出射光として利用される場合もある。この再帰反射光は、導光板４１９の中央側よりも外周側の方が反射回数、つまり板面波長変換シート４２０の通過回数が少なくなりがちとされるため、波長変換される確率が低いものとされる。このため、導光板４１９の外周側（非入光端面４１９ｄを含む）から出射する再帰反射光は、導光板４１９の中央側から出射する再帰反射光に比べてＬＥＤ４１７の光の色味、つまり青色に近い色味となっている。また、導光板４１９内を伝播する光の全てが出光板面４１９ａから出射するとは限らず、非入光端面４１９ｄからも出射され得るものとされる。特に、ＬＥＤ４１７から発せられて導光板４１９の入光端面４１９ｂに入射されて導光板４１９内を伝播され、そのまま非入光端面４１９ｄから出射する光は、青色を呈するものとされる。従来では、導光板４１９の外周側から出射した光は、板面波長変換シート４２０によって波長変換され難いものとされていたため、その光が例えば緩衝材４２６と導光板４１９との間の隙間を通って外部に漏れ出すと、バックライト装置４１２の出射光が外周側でのみ青色味を帯びたものとなるおそれがあった。このように、バックライト装置４１２の出射光は、外周側と中央側とで色味に差が生じ易いものとなっていた。
【０２０１】
そこで、本実施形態に係るバックライト装置４１２は、図１７から図１９に示すように、導光板４１９の非入光端面４１９ｄに重なりＬＥＤ４１７からの光を波長変換する蛍光体を含有する端面波長変換シート（端面波長変換部材）４２７と、端面波長変換シート４２７に対して非入光端面４１９ｄ側とは反対側に配されて端面波長変換シート４２７に重なり端面波長変換シート４２７を透過した光を反射する端面反射シート（端面反射部材）４２８と、を備えている。端面波長変換シート４２７には、板面波長変換シート４２０により波長変換される二次光と同色または同系色、つまりＬＥＤ４１７の発光光（青色の光、一次光）に対して補色となる色味（黄色）を呈する二次光（緑色の光及び赤色の光）を発する蛍光体（緑色蛍光体及び赤色蛍光体）が含有されている。このような構成によれば、導光板４１９内の外周側部分に存在していて非入光端面４１９ｄから出射する光を、端面波長変換シート４２７に含有される蛍光体によって波長変換することができる。つまり、ＬＥＤ４１７から発せられて導光板４１９の入光端面４１９ｂに入射されて導光板４１９内を伝播されてからそのまま非入光端面４１９ｄから出射する青色の光や、反射回数が少ないために青色味を帯びた（青色の光に係る含有比率が高い）再帰反射光が、端面波長変換シート２７を透過する際に端面波長変換シート４２７に含有される緑色蛍光体及び赤色蛍光体によって緑色の光及び赤色の光へと波長変換される。さらには、端面波長変換シート４２７を透過した光は、端面波長変換シート４２７に対して非入光端面４１９ｄ側とは反対側に配されて端面波長変換シート４２７に重なる端面反射シート４２８によって反射されることで再び端面波長変換シート４２７側に戻されてそこで再び波長変換されてから非入光端面４１９ｄに入射した後、出光板面４１９ａから出射されるなどする。従って、導光板４１９内の外周側部分に存在する光は、再帰反射時の反射回数が少なくても非入光端面４１９ｄから出射すると端面波長変換シート４２７により十分に波長変換されるのに加えて、端面反射シート４２８により非入光端面４１９ｄからそのまま外部へと出射することがないよう導光板４１９側に戻される。これにより、バックライト装置４１２における中央側と外周側とで出射光の色味に差が生じ難くなるので、色ムラの発生が抑制されるのに加えて光の利用効率が高いものとなる。なお、図１７では、端面波長変換シート４２７と端面反射シート４２８との区別を図るため、端面波長変換シート４２７に密なドットを、端面反射シート４２８に粗なドットを、それぞれ図示している。
【０２０２】
端面波長変換シート４２７は、既述した板面波長変換シート４２０と同様の構造とされる。すなわち、端面波長変換シート４２７は、図２０に示すように、ＬＥＤ４１７からの光を波長変換するための蛍光体を含有する波長変換層４２７ａと、波長変換層４２７ａを表裏から挟み込んでこれを保護する一対の保護層４２７ｂと、から構成されている。なお、図２０では、板面波長変換シート４２０及び端面波長変換シート４２７の詳しい断面構成を共通化して図示しており、端面波長変換シート４２７に係る構成の符号を括弧書きしている。一方、端面反射シート４２８は、図１８及び図１９に示すように、既述した板面反射シート４２５と同様の構造とされる。すなわち、端面反射シート４２８は、表面が光の反射性に優れた白色を呈する合成樹脂製（例えば発泡ＰＥＴ製）とされている。
【０２０３】
端面波長変換シート４２７は、図２１に示すように、導光板４１９の非入光端面４１９ｄに対して導光板側接着層４２９を介して接着されることで導光板４１９に対して一体に設けられている。これにより、導光板４１９の非入光端面４１９ｄと端面波長変換シート４２７との間に空気層などの界面が生じるのが避けられるから、非入光端面４１９ｄから出射した光が端面波長変換シート４２７に到達するまでの間に不適切に屈折されることが避けられる。従って、導光板４１９の非入光端面４１９ｄから出射した光が端面波長変換シート４２７をより確実に透過することになるから、波長変換効率がより高いものとなり、色ムラの抑制を図る上でより好適となる。一方、端面波長変換シート４２７は、端面反射シート４２８に対して端面反射シート側接着層（端面反射部材側接着層）４３０を介して接着されることで端面反射シート４２８に対して一体に設けられている。これにより、端面波長変換シート４２７と端面反射シート４２８との間に空気層などの界面が生じるのが避けられるから、端面波長変換シート４２７を透過した光が端面反射シート４２８に到達するまでの間に不適切に屈折されることが避けられる。従って、端面波長変換シート４２７を透過した光が端面反射シート４２８にてより確実に反射されることになるから、光の利用効率がより高いものとなる。
【０２０４】
また、端面波長変換シート４２７は、図１７から図１９に示すように、導光板４１９の非入光端面４１９ｄを、非入光端面４１９ｄの高さ方向（Ｚ軸方向）及び長さ方向（Ｘ軸方向またはＹ軸方向）についてそれぞれ全域にわたって覆う形で配されている。つまり、端面波長変換シート４２７は、その面積が、設置対象となる非入光端面４１９ｄの面積とほぼ同じかそれよりも大きくなっている。端面反射シート４２８は、端面波長変換シート４２７をその幅方向（Ｚ軸方向）及び長さ方向（Ｘ軸方向またはＹ軸方向）についてそれぞれ全域にわたって覆う形で配されている。つまり、端面反射シート４２８は、その面積が、設置対象となる端面波長変換シート４２７の面積とほぼ同じかそれよりも大きくなっている。
【０２０５】
そして、端面波長変換シート４２７は、図１７から図１９に示すように、導光板４１９の非入光端面４１９ｄのうち、非入光反対端面４１９ｄ１と、一対の非入光側端面４１９ｄ２と、に対してそれぞれ個別に外側に重なる形で合計３つ設けられている。つまり、端面波長変換シート４２７には、非入光反対端面４１９ｄ１に重なる反対端面波長変換シート４２７Ａと、一対の非入光側端面４１９ｄ２にそれぞれ重なる一対の側端面波長変換シート４２７Ｂと、が含まれている。端面反射シート４２８は、これら３つの端面波長変換シート４２７に対してそれぞれ個別に外側に重なる形で合計３つ設けられている。
【０２０６】
このように、導光板４１９の非入光端面４１９ｄには、図１７から図１９に示すように、その全域に対して各端面波長変換シート４２７が重なる形で設けられ、さらには各端面波長変換シート４２７には、その全域に対して端面反射シート４２８が重なる形で設けられている。このような構成によれば、導光板４１９内を伝播する光は、導光板４１９の非入光端面４１９ｄのうち、非入光反対端面４１９ｄ１から出射したり、一対の非入光側端面４１９ｄ２から出射したりする場合があるものの、非入光反対端面４１９ｄ１及び各非入光側端面４１９ｄ２から出射する光を、端面波長変換シート４２７に含有される蛍光体より効率的に波長変換することができる。しかも、端面反射シート４２８は、非入光反対端面４１９ｄ１に重ねられる端面波長変換シート４２７に対して非入光反対端面４１９ｄ１側とは反対側に重ねられるとともに、各非入光側端面４１９ｄ２に重ねられる端面波長変換シート４２７に対して各非入光側端面４１９ｄ２側とは反対側に重ねられているから、非入光反対端面４１９ｄ１や各非入光側端面４１９ｄ２から出射する光を端面反射シート４２８により反射して導光板４１９側に戻すことができる。これにより、色ムラの発生をより好適に抑制することができる。
【０２０７】
本実施形態は以上のような構造であり、続いてその作用を説明する。上記した構成の液晶表示装置４１０の電源をＯＮすると、図示しないコントロール基板のパネル制御回路により液晶パネル４１１の駆動が制御されるとともに、図示しないＬＥＤ駆動回路基板のＬＥＤ駆動回路からの駆動電力がＬＥＤ基板４１８の各ＬＥＤ４１７に供給されることでその駆動が制御される。各ＬＥＤ４１７からの光は、導光板４１９により導光されることで、光学部材４１５を介して液晶パネル４１１に照射され、液晶パネル４１１に所定の画像が表示される。以下、バックライト装置４１２に係る作用について詳しく説明する。
【０２０８】
各ＬＥＤ４１７を点灯させると、各ＬＥＤ４１７から出射した光は、図１８に示すように、導光板４１９における入光端面４１９ｂに入射する。ここで、ＬＥＤ４１７と入光端面４１９ｂとの間には、所定の空間が保有されているものの、その空間が表側のフレーム側反射シート４２４と裏側の板面反射シート４２５の延長部分との間に挟み込まれているから、ＬＥＤ４１７からの光は両反射シート４２４，４２５の対向部分により繰り返し反射されることで、効率的に入光端面４１９ｂに入射される。入光端面４１９ｂに入射した光は、導光板４１９における外部の空気層との界面にて全反射されたり、板面反射シート４２５により反射されるなどして導光板４１９内を伝播されつつ、光反射パターンの光反射部にて散乱反射されることで、出光板面４１９ａに対する入射角が臨界角を超えない光となって出光板面４１９ａからの出射が促されるようになっている。導光板４１９の出光板面４１９ａを出射した光は、各光学部材４１５を透過する過程でそれぞれ光学作用を付与された上で液晶パネル４１１に対して照射されるのであるが、その一部については各光学部材４１５にて再帰反射されることで導光板４１９内に戻された後に再帰反射光として出光板面４１９ａなどから出射してバックライト装置４１２の出射光となる。
【０２０９】
続いて、光学部材４１５の光学作用について詳しく説明する。導光板４１９の出光板面４１９ａを出射した青色の光は、図１８に示すように、出光板面４１９ａに対して表側に間隔を空けて配される板面波長変換シート４２０に含有される緑色蛍光体及び赤色蛍光体により緑色の光及び赤色の光（二次光）へと波長変換される。この波長変換された緑色の光及び赤色の光、つまり黄色の光（二次光）と、ＬＥＤ４１７の青色の光（一次光）と、によって概ね白色の照明光が得られることになる。これらＬＥＤ４１７の青色の光（一次光）と、波長変換された緑色の光及び赤色の光（二次光）と、は、マイクロレンズシート４２１にてＸ軸方向及びＹ軸方向について等方的に集光作用（等方性集光作用）が付与された後に、プリズムシート４２２にてＹ軸方向について選択的に集光作用（異方性集光作用）が付与される。その後、プリズムシート４２２を出射した光は、反射型偏光シート４２３にて特定の偏光光（ｐ波）が選択的に透過されて液晶パネル４１１に向けて出射するのに対し、それとは異なる特定の偏光光（ｓ波）が選択的に裏側へと反射される。反射型偏光シート４２３にて反射されたｓ波やプリズムシート４２２及びマイクロレンズシート４２１にて集光作用を付与されずに裏側へと反射された光などは、導光板４１９内に戻されて導光板４１９内を伝播する過程で板面反射シート４２５にて再び反射されるなどして再び出光板面４１９ａなどから表側へと出射されることになる。
【０２１０】
ここで、導光板４１９内を伝播する光には、図１８及び図１９に示すように、一旦出光板面４１９ａから出射した後に再び導光板４１９内に戻される再帰反射光が含まれているが、この再帰反射光は、導光板４１９の中央側よりも外周側の方が反射回数、つまり板面波長変換シート４２０の通過回数が少なくなりがちとされるため、導光板４１９の外周側（外周端面を含む）から出射する再帰反射光は、導光板４１９の中央側から出射する再帰反射光に比べてＬＥＤ４１７の青色の光の色味に近い青色味を帯びたものとなっている。また、ＬＥＤ４１７から発せられて導光板４１９内を伝播する青色の光（一次光）は、その全てが出光板面４１９ａから出射するとは限らず、一部については導光板４１９の外周端面のうち非入光端面４１９ｄからそのまま出射し得るものとされる。
【０２１１】
その点、本実施形態に係るバックライト装置４１２は、図２１に示すように、導光板４１９の非入光端面４１９ｄに重なる形で配されて板面波長変換シート４２０により波長変換される二次光と同色または同系色、つまりＬＥＤ４１７の発光光（青色の光、一次光）に対して補色となる色味（黄色）を呈する二次光（緑色の光及び赤色の光）を発する蛍光体（緑色蛍光体及び赤色蛍光体）が含有される端面波長変換シート４２７と、端面波長変換シート４２７に対して非入光端面４１９ｄ側とは反対側に配されて端面波長変換シート４２７に重なる端面反射シート４２８と、を備えているから、導光板４１９内の外周側部分に存在していて非入光端面４１９ｄから出射する光を、端面波長変換シート４２７に含有される蛍光体によって波長変換することができる。つまり、ＬＥＤ４１７から発せられて導光板４１９の入光端面４１９ｂに入射されて導光板４１９内を伝播されてからそのまま非入光端面４１９ｄから出射する青色の光や、反射回数が少ないために青色味を帯びた（青色の光に係る含有比率が高い）再帰反射光を、端面波長変換シート４２７を透過する際に端面波長変換シート４２７に含有される緑色蛍光体及び赤色蛍光体によって緑色の光及び赤色の光（一次光に対して補色となる色の光、板面波長変換シート４２０に係る二次光と同色または同系色となる光）へと波長変換することができる。
【０２１２】
さらには、端面波長変換シート４２７を透過した光は、端面波長変換シート４２７に対して非入光端面４１９ｄ側とは反対側に配されて端面波長変換シート４２７に重なる端面反射シート４２８によって反射されることで再び端面波長変換シート４２７側に戻されてそこで再び波長変換されてから非入光端面４１９ｄに入射した後、出光板面４１９ａから出射されるなどする。従って、導光板４１９内の外周側部分に存在する光は、再帰反射時の反射回数が少なくても非入光端面４１９ｄから出射すると端面波長変換シート４２７により十分に波長変換されるのに加えて、端面反射シート４２８により非入光端面４１９ｄからそのまま外部へと出射することがないよう導光板４１９側に戻される。これにより、非入光端面４１９ｄから出射した光が例えば緩衝材４２６と導光板４１９との間の隙間を通って外部に漏れ出した場合でも、バックライト装置４１２における中央側と外周側とで出射光の色味に差が生じ難くなり、色ムラの発生を好適に抑制することができる。
【０２１３】
しかも、端面波長変換シート４２７は、図２１に示すように、導光板４１９の非入光端面４１９ｄに対して導光板側接着層４２９を介して接着されることで導光板４１９に対して一体に設けられているので、導光板４１９の非入光端面４１９ｄと端面波長変換シート４２７との間に空気層などの界面が生じるのが避けられる。これにより、非入光端面４１９ｄから出射した光が端面波長変換シート４２７に到達するまでの間に不適切に屈折されることが避けられるので、導光板４１９の非入光端面４１９ｄから出射した光が端面波長変換シート４２７をより確実に透過することになり、波長変換効率がより高いものとなって、色ムラの抑制を図る上でより好適となる。一方、端面波長変換シート４２７は、端面反射シート４２８に対して端面反射シート側接着層（端面反射部材側接着層）４３０を介して接着されることで端面反射シート４２８に対して一体に設けられているから、端面波長変換シート４２７と端面反射シート４２８との間に空気層などの界面が生じるのが避けられる。これにより、端面波長変換シート４２７を透過した光が端面反射シート４２８に到達するまでの間に不適切に屈折されることが避けられる。従って、端面波長変換シート４２７を透過した光が端面反射シート４２８にてより確実に反射されることになるから、光の利用効率がより高いものとなる。
【０２１４】
さらには、導光板４１９の非入光端面４１９ｄ（非入光反対端面４１９ｄ１及び一対の非入光側端面４１９ｄ２）が、図１８及び図１９に示すように、全域にわたって端面波長変換シート４２７によって覆われるとともに、端面波長変換シート４２７が全域にわたって端面反射シート４２８によって覆われているので、非入光端面４１９ｄから出射する光をより高い波長変換効率でもって波長変換して導光板４１９内に戻すことができ、色ムラの発生をより好適に抑制することができる。
【０２１５】
＜実施形態８＞
本発明の実施形態８を図２２によって説明する。この実施形態８では、板面反射シート４１２５と端面反射シート４１２８とを一体化したものを示す。なお、上記した実施形態７と同様の構造、作用及び効果について重複する説明は省略する。
【０２１６】
本実施形態に係る板面反射シート４１２５には、図２２に示すように、端面反射シート４１２８が一体形成されている。つまり、端面反射シート４１２８は、板面反射シート４１２５における外縁部から表側に向けて立ち上がるようほぼ垂直に屈曲されており、それにより非入光端面４１１９ｄに重なる端面波長変換シート４１２７に対して外側（非入光端面４１１９ｄ側とは反対側）に重なる形で配されている。板面反射シート４１２５は、展開状態（端面反射シート４１２８を屈曲させる前の状態）では、導光板４１１９の非入光端面４１１９ｄよりも外側に延出する延出部を有しており、この延出部が端面反射シート４１２８を構成している。このような構成によれば、端面反射シート４１２８と板面反射シート４１２５とが一部品化されるから、部品点数が削減されるのに加えて、端面反射シート４１２８と板面反射シート４１２５との間に隙間が生じることが避けられるので、導光板４１１９からの光漏れがより生じ難いものとなる。なお、端面波長変換シート４１２７は、端面反射シート４１２８（板面反射シート４１２５の延出部）に対して端面反射シート側接着層４１３０を介して接着されるとともに、導光板４１１９の非入光端面４１１９ｄに対して導光板側接着層４１２９を介して接着されている。
【０２１７】
以上説明したように本実施形態によれば、端面反射シート４１２８は、板面反射シート４１２５に一体形成されている。このようにすれば、端面反射シート４１２８と板面反射シート４１２５とが一部品化されるから、部品点数が削減されるのに加えて、端面反射シート４１２８と板面反射シート４１２５との間に隙間が生じることが避けられるので、導光板４１１９からの光漏れがより生じ難いものとなる。
【０２１８】
＜実施形態９＞
本発明の実施形態９を図２３によって説明する。この実施形態９では、上記した実施形態８に記載した端面波長変換シート４１２７に代えて端面波長変換部材４３１を用いるようにしたものを示す。なお、上記した実施形態８と同様の構造、作用及び効果について重複する説明は省略する。
【０２１９】
本実施形態に係る端面波長変換部材４３１は、図２３に示すように、導光板４２１９の非入光端面４２１９ｄに対して直接的に塗布されることで、導光板４２１９に対して一体に設けられている。端面波長変換部材４３１は、図示しないＬＥＤからの青色の単色光を励起光として、赤色の光を発する赤色蛍光体と、緑色の光を発する緑色蛍光体と、をバインダに分散配合してなる蛍光体塗料（蛍光体分散液）からなる。具体的には、この蛍光体塗料を導光板４２１９の非入光端面４２１９ｄの表面にほぼ均一な膜厚でもって塗布することで、端面波長変換部材４３１が導光板４２１９の非入光端面４２１９ｄに対して上記した実施形態７に記載した導光板側接着層４２９（図２１を参照）や空気層などの界面を有することがないよう一体化される。また、端面波長変換部材４３１は、端面反射シート４２２８に対して端面反射シート側接着層４２３０を介して接着されている。端面波長変換部材４３１を構成する蛍光体塗料に含有される各蛍光体としては、次のようなものを用いるのが好ましい。すなわち、緑色蛍光体としては、(Ｃａ，Ｓｒ，Ｂａ) 3ＳｉＯ4：Ｅｕ2+、β−ＳｉＡｌＯＮ：Ｅｕ2+、Ｃａ3Ｓｃ2Ｓｉ3Ｏ12：Ｃｅ3+などを用いるのが好ましい。赤色蛍光体としては、(Ｃａ，Ｓｒ，Ｂａ) 2ＳｉＯ5Ｎ8：Ｅｕ2+、ＣａＡｌＳｉＮ3：Ｅｕ2+や複フッ化物蛍光体（マンガン付活のケイフッ化カリウム（Ｋ2ＴｉＦ6）など）などを用いるのが好ましい。
【０２２０】
以上説明したように本実施形態によれば、端面波長変換部材４３１は、導光板４２１９の非入光端面４２１９ｄの表面に塗布されている。このようにすれば、端面波長変換部材４３１を導光板４２１９の非入光端面４２１９ｄに対して空気層などの界面を有することがないよう一体化することができる。
【０２２１】
＜実施形態１０＞
本発明の実施形態１０を図２４によって説明する。この実施形態１０では、上記した実施形態９から端面波長変換部材の配置を変更したものを示す。なお、上記した実施形態９と同様の構造、作用及び効果について重複する説明は省略する。
【０２２２】
本実施形態に係る端面波長変換部材４３３１は、図２４に示すように、端面反射シート４３２８に対して直接的に塗布されることで、端面反射シート４３２８に対して一体に設けられている。具体的には、端面波長変換部材４３３１を構成する蛍光体塗料を端面反射シート４３２８の表面にほぼ均一な膜厚でもって塗布することで、端面波長変換部材４３３１が端面反射シート４３２８に対して上記した実施形態７に記載した端面反射シート側接着層４３０（図２１を参照）や空気層などの界面を有することがないよう一体化される。また、端面波長変換部材４３３１は、導光板４３１９の非入光端面４３１９ｄに対して導光板側接着層４３２９を介して接着されている。このような構成によれば、上記した実施形態９に比べると、端面波長変換部材４３３１を容易に設置することができる。
【０２２３】
以上説明したように本実施形態によれば、端面波長変換部材４３３１は、端面反射シート４３２８の表面に塗布されている。このようにすれば、端面波長変換部材４３３１を端面反射シート４３２８に対して空気層などの界面を有することがないよう一体化することができる。また、仮に導光板４３１９の非入光端面４３１９ｄに端面波長変換部材を塗布して一体に設ける場合に比べると、端面波長変換部材４３３１を容易に設置することができる。
【０２２４】
＜実施形態１１＞
本発明の実施形態１１を図２５によって説明する。この実施形態１１では、上記した実施形態１０に記載した構成を実施形態８に組み合わせたものを示す。なお、上記した実施形態８，１０と同様の構造、作用及び効果について重複する説明は省略する。
【０２２５】
本実施形態に係る端面反射シート４４２８は、図２５に示すように、板面反射シート４４２５に一体形成されるのに加えて、表面に端面波長変換部材４４３１が直接的に塗布されることで端面波長変換部材４４３１が一体に設けられている。
【０２２６】
＜実施形態１２＞
本発明の実施形態１２を図２６によって説明する。この実施形態１２では、上記した実施形態７から端面波長変換シート及び端面反射シートをそれぞれ一部品化したものを示す。なお、上記した実施形態７と同様の構造、作用及び効果について重複する説明は省略する。
【０２２７】
本実施形態に係る端面波長変換シート４５２７は、図２６に示すように、導光板４５１９の非入光反対端面４５１９ｄ１に重なる反対端面波長変換シート４５２７Ａと、導光板４５１９の一対の非入光側端面４５１９ｄ２にそれぞれ重なる一対の側端面波長変換シート４５２７Ｂと、が相互に連なることで一部品化されている。つまり、端面波長変換シート４５２７は、導光板４５１９の周方向に沿って延在して非入光端面４５１９ｄを全域にわたって覆う形で配されている。同様に、端面反射シート４５２８は、反対端面波長変換シート４５２７Ａに重なる反対端面反射シート４５２８Ａと、一対の側端面波長変換シート４５２７Ｂにそれぞれ重なる一対の側端面反射シート４５２８Ｂと、が相互に連なることで一部品化されている。つまり、端面反射シート４５２８は、導光板４５１９の周方向に沿って延在して端面波長変換シート４５２７を全域にわたって覆う形で配されている。
【０２２８】
＜実施形態１３＞
本発明の実施形態１３を図２７によって説明する。この実施形態１３では、上記した実施形態７から端面波長変換シートの設置数を変更したものを示す。なお、上記した実施形態７と同様の構造、作用及び効果について重複する説明は省略する。
【０２２９】
本実施形態に係る端面波長変換シート４６２７は、図２７に示すように、導光板４６１９の非入光端面４６１９ｄのうち、非入光反対端面４６１９ｄ１には重なることがなく、一対の非入光側端面４６１９ｄ２にのみ選択的に重なる形で配されている。つまり、本実施形態に係る端面波長変換シート４６２７には、一対の側端面波長変換シート４６２７Ｂのみが含まれている。なお、端面反射シート４６２８のうち、反対端面反射シート４６２８Ａは、導光板４６１９の非入光反対端面４６１９ｄ１に対して図示しない接着層を介して接着されている。
【０２３０】
＜実施形態１４＞
本発明の実施形態１４を図２８によって説明する。この実施形態１４では、上記した実施形態７から端面波長変換シート及び端面反射シートの設置数を変更したものを示す。なお、上記した実施形態７と同様の構造、作用及び効果について重複する説明は省略する。
【０２３１】
本実施形態に係る端面波長変換シート４７２７は、図２８に示すように、導光板４７１９の非入光端面４７１９ｄのうち、一対の非入光側端面４７１９ｄ２には重なることがなく、非入光反対端面４７１９ｄ１にのみ選択的に重なる形で配されている。つまり、本実施形態に係る端面波長変換シート４７２７には、反対端面波長変換シート４７２７Ａのみが含まれている。また、端面反射シート４７２８には、反対端面波長変換シート４７２７Ａに対して外側に重なる反対端面反射シート４７２８Ａのみが含まれている。
【０２３２】
＜実施形態１５＞
本発明の実施形態１５を図２９によって説明する。この実施形態１５では、上記した実施形態７からＬＥＤ及びＬＥＤ基板の配置を変更したものを示す。なお、上記した実施形態７と同様の構造、作用及び効果について重複する説明は省略する。
【０２３３】
本実施形態に係るバックライト装置４８１２では、図２９に示すように、ＬＥＤ４８１７及びＬＥＤ基板４８１８が、シャーシ４８１４における一方（図２９に示す左側）の短辺側の端部に配された構成となっている。詳しくは、ＬＥＤ基板４８１８は、シャーシ４８１４の一対の短辺側の側部４８１４ｃのうち、一方（図２９に示す左側）の短辺側の側部４８１４ｃに対して取り付けられており、ＬＥＤ基板４８１８に実装された各ＬＥＤ４８１７が導光板４８１９の外周端面のうちの一方の短辺側の端面と対向する形で配されている。従って、本実施形態では、導光板４８１９の外周端面のうち、一方の短辺側の端面がＬＥＤ４８１７からの光が入射される入光端面４８１９ｂとされるのに対し、残りの３つの端面（他方の短辺側の端面及び一対の長辺側の端面）が非入光端面４８１９ｄとされる。非入光端面４８１９ｄのうち、他方の短辺側の端面が入光端面４８１９ｂとは反対側に配される非入光反対端面４８１９ｄ１とされるのに対し、一対の長辺側の端面が入光端面４８１９ｂに隣り合う一対の非入光側端面４８１９ｄ２とされる。
【０２３４】
そして、端面波長変換シート４８２７には、導光板４８１９の外周端面のうち他方の短辺側の端面、つまり非入光反対端面４８１９ｄ１に重なる形で配される反対端面波長変換シート４８２７Ａと、一対の長辺側の端面、つまり一対の非入光側端面４８１９ｄ２に重なる形で配される一対の側端面波長変換シート４８２７Ｂと、が含まれている。端面反射シート４８２８には、反対端面波長変換シート４８２７Ａに対して外側に重なる反対端面反射シート４８２８Ａと、一対の側端面波長変換シート４８２７Ｂに対して外側に重なる一対の反対端面反射シート４８２８Ｂと、が含まれている。このような構成であっても、上記した実施形態７と同様の作用及び効果を得ることができる。
【０２３５】
＜実施形態１６＞
本発明の実施形態１６を図３０によって説明する。この実施形態１６では、上記した実施形態７から両側入光タイプのバックライト装置に変更したものを示す。なお、上記した実施形態７と同様の構造、作用及び効果について重複する説明は省略する。
【０２３６】
本実施形態に係るバックライト装置４９１２では、図３０に示すように、ＬＥＤ４９１７及びＬＥＤ基板４９１８が、シャーシ４９１４における長辺側の両端部にそれぞれ配された構成となっている。詳しくは、ＬＥＤ基板４９１８は、シャーシ４９１４における一方（図３０に示す下側）の長辺側の側部４９１４ｃと、他方（図３０に示す上側）の長辺側の側部４９１４ｃと、に対してそれぞれ取り付けられており、各ＬＥＤ基板４９１８に実装された各ＬＥＤ４９１７が導光板４９１９の外周端面のうちの一対の長辺側の端面のそれぞれと対向する形で配されている。従って、本実施形態では、導光板４９１９の外周端面のうちの一対の長辺側の端面のそれぞれがＬＥＤ４９１７からの光が入射される入光端面４９１９ｂとされるのに対し、残りの一対の短辺側の端面が非入光端面４９１９ｄとされる。従って、本実施形態に係る非入光端面４９１９ｄには、上記した実施形態７のような非入光反対端面４１９ｄ１（図１７を参照）が含まれることがなく、入光端面４９１９ｂに隣り合う一対の非入光側端面４９１９ｄ２のみが含まれている。このように本実施形態に係るバックライト装置４９１２は、導光板４９１９がその短辺方向（Ｙ軸方向）についての両側から一対のＬＥＤ基板４９１８及びそれらに実装された各ＬＥＤ４９１７によって挟み込まれてなる、両側入光タイプとされている。
【０２３７】
そして、端面波長変換シート４９２７には、上記した実施形態７のような反対端面波長変換シート４２７Ａ（図１７を参照）が含まれることがなく、一対の短辺側の端面、つまり一対の非入光側端面４９１９ｄ２に重なる形で配される一対の側端面波長変換シート４９２７Ｂのみが含まれている。端面反射シート４９２８には、上記した実施形態７のような反対端面反射シート４２８Ａ（図１７を参照）が含まれることがなく、一対の側端面波長変換シート４９２７Ｂに対して外側に重なる一対の反対端面反射シート４９２８Ｂのみが含まれている。このような構成であっても、上記した実施形態７と同様の作用及び効果を得ることができる。
【０２３８】
＜実施形態１７＞
本発明の実施形態１７を図３１によって説明する。この実施形態１７では、上記した実施形態１６からＬＥＤ及びＬＥＤ基板の配置を変更したものを示す。なお、上記した実施形態１６と同様の構造、作用及び効果について重複する説明は省略する。
【０２３９】
本実施形態に係るバックライト装置４１０１２では、図３１に示すように、ＬＥＤ４１０１７及びＬＥＤ基板４１０１８が、シャーシ４１０１４における短辺側の両端部にそれぞれ配された構成となっている。詳しくは、ＬＥＤ基板４１０１８は、シャーシ４１０１４における一方（図３１に示す左側）の短辺側の側部４１０１４ｃと、他方（図３１に示す右側）の短辺側の側部４１０１４ｃと、に対してそれぞれ取り付けられており、各ＬＥＤ基板４１０１８に実装された各ＬＥＤ４１０１７が導光板４１０１９の外周端面のうちの一対の短辺側の端面のそれぞれと対向する形で配されている。従って、本実施形態では、導光板４１０１９の外周端面のうちの一対の短辺側の端面のそれぞれがＬＥＤ４１０１７からの光が入射される入光端面４１０１９ｂとされるのに対し、残りの一対の長辺側の端面が非入光端面４１０１９ｄ（一対の非入光側端面４１０１９ｄ２）とされる。このように本実施形態に係るバックライト装置４１０１２は、導光板４１０１９がその長辺方向（Ｘ軸方向）についての両側から一対のＬＥＤ基板４１０１８及びそれらに実装された各ＬＥＤ４１０１７によって挟み込まれてなる、両側入光タイプとされている。
【０２４０】
そして、端面波長変換シート４１０２７には、一対の長辺側の端面、つまり一対の非入光側端面４１０１９ｄ２に重なる形で配される一対の側端面波長変換シート４１０２７Ｂのみが含まれている。端面反射シート４１０２８には、一対の側端面波長変換シート４１０２７Ｂに対して外側に重なる一対の反対端面反射シート４１０２８Ｂのみが含まれている。このような構成であっても、上記した実施形態７と同様の作用及び効果を得ることができる。
【０２４１】
＜実施形態１８＞
本発明の実施形態１８を図３２によって説明する。この実施形態１８では、上記した実施形態１６からＬＥＤ及びＬＥＤ基板の設置数を変更したものを示す。なお、上記した実施形態１６と同様の構造、作用及び効果について重複する説明は省略する。
【０２４２】
本実施形態に係るバックライト装置４１１１２では、図３２に示すように、ＬＥＤ４１１１７及びＬＥＤ基板４１１１８が、シャーシ４１１１４における長辺側の両端部と、一方（図３２に示す左側）の短辺側の端部と、にそれぞれ配された構成となっている。詳しくは、ＬＥＤ基板４１１１８は、シャーシ４１１１４における一方（図３２に示す下側）の長辺側の側部４１１１４ｃと、他方（図３２に示す上側）の長辺側の側部４１１１４ｃと、一方の短辺側の短辺側の側部４１１１４ｃと、に対してそれぞれ取り付けられており、各ＬＥＤ基板４１１１８に実装された各ＬＥＤ４１１１７が導光板４１１１９の外周端面のうちの一対の長辺側の端面及び一方の短辺側の端面のそれぞれと対向する形で配されている。従って、本実施形態では、導光板４１１１９の外周端面のうちの一対の長辺側の端面及び一方の短辺側の端面のそれぞれがＬＥＤ４１１１７からの光が入射される入光端面４１１１９ｂとされるのに対し、残りの他方の短辺側の端面が非入光端面４１１１９ｄとされる。従って、本実施形態に係る非入光端面４１１１９ｄは、短辺側の入光端面４１１１９ｂに対しては非入光反対端面４１１１９ｄ１となり且つ一対の長辺側の入光端面４１１１９ｂに対しては非入光側端面４１１１９ｄ２となっている。端面波長変換シート４１１２７は、この非入光端面４１１１９ｄに重なる形で１つのみ配されており、端面反射シート４１１２８は、端面波長変換シート４１１２７に対して外側に重なる形で１つのみ配されている。このように本実施形態に係るバックライト装置４１１１２は、導光板４１１１９がその３つの辺部に倣って配される３つのＬＥＤ基板４１１１８及びそれらに実装された各ＬＥＤ４１１１７から入光される、３辺入光タイプとされている。
【０２４３】
＜実施形態１９＞
本発明の実施形態１９を図３３〜図３８を参照しつつ説明する。
本実施形態の液晶表示装置５１０は、全体的には、左右方向に長く延びた横長の矩形状をなしている。また、液晶表示装置５１０は、図３３に示されるように、主として、表示パネルとして利用される液晶パネル５１１と、液晶パネル５１１に対して光を供給する外部光源としての照明装置（バックライト装置）５１２と、液晶パネル５１１及び照明装置５１２等を保持する枠状のベゼル５１３等を備えている。液晶パネル５１１は、実施形態１の液晶パネル１１と同様の構成である。
【０２４４】
照明装置５１２は、図３３に示されるように、シャーシ５１４、光学部材５１５、フレーム５１６、ＬＥＤ５１７、ＬＥＤ基板５１８、導光板５１９、反射シート５２０、補色部材５２３等を備えている。シャーシ５１４、光学部材５１５、フレーム５１６、ＬＥＤ５１７、ＬＥＤ基板５１８、導光板５１９は、実施形態１のシャーシ１４、光学部材１５、フレーム１６、ＬＥＤ１７、ＬＥＤ基板１８、導光板１９と同様の構成である。なお、導光板５１９の端部と反射シート５２０との間には、補色部材５２３が介在されている。
【０２４５】
導光板５１９の表面５１９ａは、液晶パネル５１１側に向けて光を出射する光出射面５１９ａとなっている。光出射面５１９ａと液晶パネル５１１との間には、光学部材５１５がフレーム５１６に支持された状態で配される。また、導光板５１９の一方の長辺側端面５１９ｃは、ＬＥＤ５１７からの光が入射される光入射面５１９ｃとなっている。なお、光入射面５１９ｃを含む導光板５１９の端部を、入射端部５１９０と称する。
【０２４６】
導光板５１９の他方の長辺側端面５１９ｄ、導光板５１９の２つの短辺側端面５１９ｅ，５１９ｆは、光源（ＬＥＤ５１７）と対向していないため、それらを「光源非対向面」と称する場合がある。特に、光入射面５１９ｃの反対側にある光源非対向面（長辺側端面５１９ｄ）を、「反対側光源非対向面」と称する場合がある。なお、本明細書において、光源非対向面を含む導光板の端部５１９１，５１９２，５１９３を、「光源非対向端部」と称し、特に、反対側光源非対向面を含む導光板５１９の端部５１９１を、「反対側光源非対向端部」と称する場合がある。また、光入射面５１９ｃに隣接する光源非対向面としての隣接端面（短辺側端面）５１９ｅ，５１９ｆを含む導光板の端部５１９２，５１９３を、「光源非対向隣接端部」と称する場合がある。
【０２４７】
光学部材５１５は、液晶パネル５１１等と同様、平面視で横長の略矩形状をなしている。光学部材５１５を構成する具体的な部材（光学シート）としては、例えば、拡散シート、レンズシート、反射型偏光シート等が挙げられる。特に、本実施形態の光学部材５１５は、必須の部材（光学シート）として、量子ドット蛍光体を含有する蛍光体シート（波長変換部材の一例）５１５０を備えている。光学部材５１５のうち、蛍光体シート５１５０が最も光出射面５１９ａ側に配されている。蛍光体シート５１５０は、液晶パネル５１１等と同様、平面視略矩形状をなしている。蛍光体シート５１５０は、ＬＥＤ５１７からの光の一部を厚み方向にそのまま透過させると共に、ＬＥＤ５１７からの光の一部を吸収してその光を他の波長領域の光（二次光）に変換して放出する機能を備えている。このような蛍光体シート５１５０は、例えば、波長変換層と、その波長変換層を挟む一対の支持層と、各支持層の外側に積層され、波長変換層及び一対の支持層を挟む一対のバリア層とを備えている。
【０２４８】
波長変換層は、バインダ樹脂としてのアクリル系樹脂と、そのアクリル系樹脂中に分散した状態で配合される量子ドット蛍光体（蛍光体の一例）とを含有する。アクリル系樹脂は、透明であり、光透過性を有すると共に、支持層に対する接着性を備えている。支持層は、ポリエチレンテレフタレート（ＰＥＴ）等のポリエステル系樹脂からなるシート状（フィルム状）の部材である。量子ドット蛍光体は、優れた量子効率を有する蛍光体であり、ナノサイズ（例えば、直径２ｎｍ〜１０ｎｍ程度）の半導体結晶中に、電子・正孔や励起子を三次元空間全方位で閉じ込めることで、離散的エネルギー準位を有し、そのドットのサイズを変えることで発光光のピーク波長（発光色）等を自由に選択することができる。
【０２４９】
図３６は、裏面側から見た状態のＬＥＤ５１７と導光板５１９との配置関係を模式的に表した平面図である。図３６に示されるように、導光板５１９の裏面５１９ｂには、各々が光反射性及び散乱性を有する複数のドット部５２２ａの集まりからなる光反射・散乱パターン５２２が形成されている。各ドット部５２２ａは、略円形状の白色の塗膜からなり、導光板５１９の裏面５１９ｂに対して、印刷技術等の公知の方法により形成されている。光反射・散乱パターン５２２において、ＬＥＤ５１７の近く（つまり、光入射面５１９ｃの近く）では、ドット部５２２ａの大きさが小さく、かつドット部５２２ａが形成される密度（単位面積あたりの密度）が低くなり、ＬＥＤ５１７から遠ざかるにつれて、ドット部５２２ａの大きさが大きく、かつドット部５２２ａが形成される密度（単位面積あたりの密度）が高くなるように設定されている。導光板５１９の光入射面５１９ｃより入射された光が、ドット部５２２ａに当たると、ドット部５２２ａより反射又は散乱されて、光出射面５１９ａから出射される。
【０２５０】
次いで、図３７及び図３８を参照しつつ、補色部材５２３について説明する。図３７は、表面側から見た状態のＬＥＤ５１７、導光板５１９、補色部材５２３及び反射シート５２０の配置関係を模式的に表した平面図であり、図３８は、光源非対向隣接端部５１９２付近における液晶表示装置５１０の拡大断面図である。なお、図３８には、図３７のＢ−Ｂ線に対応する部分の断面図が示されている。
【０２５１】
補色部材５２３は、シート状をなし、ＬＥＤ５１７から出射された光（一次光、青色光）が呈する青色（基準色）と補色の関係にある色（本実施形態の場合、黄色）を呈する部材からなる。特に、本実施形態の補色部材（第１の補色部材の一例）５２３は、上記蛍光体シート５１５０と同様、光透過性を有すると共に、ＬＥＤ５１７から出射された光（一次光、青色光）の一部を吸収してその光を他の波長領域の光（二次光）に変換して放出する機能を備えている。そのため、補色部材５２３は、ＬＥＤ５１７から出射された光（一次光、青色光）により励起されて前記他の波長領域の光（二次光）を放出する蛍光体を含有している。
【０２５２】
本実施形態の補色部材５２３は、上述した蛍光体シート５１５０と同様の構成からなり、例えば、波長変換層と、その波長変換層を挟む一対の支持層と、各支持層の外側に積層され、波長変換層及び一対の支持層を挟む一対のバリア層とを備えている。補色部材５２３の波長変換層は、蛍光体シート５１５０の波長変換層と同様、バインダ樹脂としてのアクリル系樹脂と、そのアクリル系樹脂中に分散した状態で配合される量子ドット蛍光体とを含有するものからなる。また、補色部材５２３の支持層は、蛍光体シート５１５０の支持層と同様、ＰＥＴ等のポリエステル系樹脂からなるシート状（フィルム状）の部材からなる。
【０２５３】
補色部材５２３は、図３７及び図３８に示されるように、導光板５１９の裏面（反対面）５１９ｂのうち、導光板５１９の両端部（光源非対向隣接端部）５１９２，５１９３と重なるように、それぞれ裏面（反対面）５１９ｂと反射シート５２０との間に介在される。補色部材５２３は、平面視矩形状であり、光入射面５１９ｃの左右両側に配される端部（光源非対向隣接端部）５１９２，５１９３を裏面（反対面）５１９ｂ側から覆うように１つずつ設けられている。なお、補色部材５２３の一部は、各端部（光源非対向隣接端部）５１９２，５１９３よりも外側にはみ出した状態となっている。そのため、導光板５１９の各端部（光源非対向隣接端部）５１９２，５１９３の裏面は、補色部材５２３によって隅々まで覆われている。
【０２５４】
以上のような照明装置５１２において、各ＬＥＤ５１７に電力が供給されると、各ＬＥＤ５１７が点灯して、各ＬＥＤ５１７より出射された光（一次光、青色光）が、光入射面５１９ｃより導光板５１９内に入射する。導光板５１９内に入射された光は、導光板５１９内で反射を繰り返しながら伝播する。導光板５１９内を伝播する際に、裏面５１９ｂの光反射・散乱パターン５２２（各ドット部５２２ａ）に当たった光は、光出射面５１９ａに向かって立ち上がり、更に光出射面５１９ａから蛍光体シート５１５０に供給される。
【０２５５】
蛍光体シート５１５０では、上述したように、一部の青色光は、そのまま青色光として透過するものの、他の一部の青色光は、波長変換されて黄色光として放出される。蛍光体シート５１５０より出射した光（青色光、黄色光）は、蛍光体シート５１５０に積層されている他の光学部材（光学シート）５１５や、導光板５１９の裏面５１９ｂ側に配されている反射シート５２０等に当たる等して、複数回の再帰反射を繰り返しつつ、蛍光体シート５１５０を複数回通過した後、最終的に液晶パネル５１１の背面に向かうように、光学部材５１５から面状に広がった光（面光）として出射する。
【０２５６】
図３５には、光出射面５１９ａ側から見た状態の導光板５１９が示されている。矩形状をなす光出射面５１９ａのうち、光入射面５１９ｃに隣接する２つの短辺側端面（光源非対向面）５１９ｅ，５１９ｆ付近の各領域Ｒ１，Ｒ２より出射される光は、光出射面５１９ａの中央側の領域と比べて、再帰反射の回数が少なくなっている。光出射面５１９ａのうち、中央側の領域には、主として、列状に並んだ複数のＬＥＤ５１７のうち、中央側に配される複数のＬＥＤ５１７より、光が供給される。これに対し、光出射面５１９ａの左右両側に存在する領域Ｒ１，Ｒ２には、列状に並んだ複数のＬＥＤ５１７のうち、その端側に配されるＬＥＤ５１７より供給される。各ＬＥＤ５１７より出射される光は、ある程度の角度で広がった配向分布を有するものの、直進性が高くなっている。そのため、導光板５１９の両端側（光入射面５１９ｃに隣接する光源非対向面５１９ｅ，５１９ｆ側）には、ＬＥＤ基板５１８の中央側に配される各ＬＥＤ５１７からの光が供給され難くなっている。
【０２５７】
なお、図３５において、光出射面５１９ａの周端部に沿うように示される矩形状の領域（一点鎖線）５１３０は、フレーム５１６の内周縁（枠本体部５１６１の内周縁、ベゼル５１３の内周縁）の位置を表す。導光板５１９の光出射面５１９ａより出射される光のうち、実際に液晶パネル５１１に供給される光（つまり、照明装置５１２より出射される光）は、フレーム５１６の内周縁の内側を通過する光である。そのため、照明装置５１２の光出射側を平面視した際、領域５１３０と領域Ｒ１とで囲まれる領域Ｒ１１と、領域５１３０と領域Ｒ２とで囲まれる領域Ｒ２２とが、中央側と比べて再帰反射の回数が少ない光が出射する部分となっている。
【０２５８】
本実施形態では、このように、再帰反射の回数が少ない光が出射する部分（領域Ｒ１１及び領域Ｒ２２）と少なくとも重なるように、補色部材５２３が導光板５１９の各端部（光源非対向隣接端部）５１９２，５１９３と反射シート５２０との間に介在される。なお、上記領域Ｒ１１は、平面視した際に、導光板５１９の裏面（反対面）５１９ｂのうち、光源非対向隣接端部５１９２に相当する部分と全面的に重なり、また、上記領域Ｒ２２は、平面視した際に、導光板５１９の裏面（反対面）５１９ｂのうち、光源非対向端部５１９３に相当する部分と全面的に重なる。
【０２５９】
仮に、補色部材５２３を取り除いた状態で、各ＬＥＤ５１７より光を供給すると、導光板５１９の各領域Ｒ１１，Ｒ２２からは、青色光の存在比率が、中央側よりも高くなっている光が出射することになる。その場合、液晶パネル５１１の表示面では、両端部分（領域Ｒ１１，Ｒ２２に対応する部分）が中央側よりも青味を帯びた状態となる。
【０２６０】
本実施形態の照明装置５１２では、光出射面５１９ａの各領域Ｒ１１，Ｒ２２（Ｒ１，Ｒ２）において、再帰反射の回数が少なくても、蛍光体シート５１５０と同種の補色部材５２３を、反射シート５２０に載せた状態で、導光板５１９の各端部（光源非対向隣接端部）５１９２，５１９３の裏面（反対面）５１９ｂ側に配することで、一次光（青色光）を二次光（赤色光、緑色光）に波長変換する効率を高くしている。つまり、本実施形態では、光出射面５１９ａの各領域Ｒ１１，Ｒ２２（Ｒ１，Ｒ２）より出射される光は、蛍光体シート５１５０以外に、補色部材５２３によっても波長変換される。
【０２６１】
例えば、導光板５１９内に入射された一次光（青色光）のうち、裏面（反対面）５１９ｂを通過して補色部材５２３に供給された光の一部は、補色部材５２３が備える蛍光体により波長変換され、二次光（緑色光及び赤色光からなる黄色光）として出射される。補色部材５２３によって波長変換された二次光が、反射シート５２０側に向った場合、その光（二次光）は、反射シート５２０で反射され、再び導光板５１９内へ戻される。なお、補色部材５２３に対して、二次光が供給された場合、その光は、補色部材５２３を透過して反射シート５２０で反射等されて、再び導光板５１９内へ戻される。
【０２６２】
このように、導光板５１９の左右両側の端部（光源非対向隣接端部）５１９２、５１９２の裏面５１９ｂに、補色部材５２３を反射シート５２０に載せた状態で配置することで、光出射面５１９ａの各領域Ｒ１１，Ｒ２２（Ｒ１，Ｒ２）における、青色と補色の関係にある黄色を呈する光（補色光）の存在比率を高くし、青色を呈する光（青色光）の存在比率を低くすることができる。その結果、照明装置５１２からは、中央側と同様、両端側も白味を帯びた光が出射される。つまり、照明装置５１２では、面状に広がった出射光（面光）において、端側（光源非対向隣接端部５１９２，５１９３側）が中央側よりもＬＥＤ５１７の一次光の色彩（青色）で色付くことが抑制されている。
【０２６３】
なお、導光板５１９の裏面５１９ｂに形成される光反射・散乱パターン５２２等の条件によっては、光出射面５１９ａのうち、光入射面５１９ｃの反対側にある長辺側端面（反対側光源非対向面）５１９ｄの付近でも、青色光の存在比率が、中央側よりも高くなっている光が出射する場合がある。ただし、長辺側端面（反対側光源非対向面）５１９ｄ付近で生じ得る青味を帯びた光は、上述した導光板５１９の両端側（光入射面５１９ｃに隣接する光源非対向面５１９ｅ，５１９ｆ側）で生じるものと比べて、格段に範囲が狭く、しかも液晶パネル５１１に表示される画像を視認する際に、実質的に問題とならない程度のものである。
【０２６４】
また、光出射面５１９ａのうち、光入射面５１９ｃ付近についても、形成される光反射・散乱パターン５２２等の条件によっては、青色光の存在比率が、中央側よりも高くなっている光が出射する場合がある。ただし、光入射面５１９ｃ付近で生じ得る青味を帯びた光は、範囲が狭く、かつ液晶パネル５１１に表示される画像を視認する際に、実質的に問題とならない程度のものである。
【０２６５】
＜実施形態２０＞
次いで、本発明の実施形態２０を、図３９等を参照しつつ説明する。本実施形態では、実施形態１９の補色部材５２３を、補色部材５２３Ａに代えた照明装置（液晶表示装置）について説明する。なお、本実施形態の照明装置（液晶表示装置）の基本的な構成は、上記実施形態１９と同様である。そのため、実施形態１９と同じ構成については、実施形態１９と同じ符号を付し、その詳細説明は省略する。
【０２６６】
図３９は、実施形態２０に係る照明装置で利用されるＬＥＤ５１７、導光板５１９、補色部材５２３Ａ及び反射シート５２０の配置関係を表した説明図である。本実施形態の補色部材（第１の補色部材の一例）５２３Ａは、実施形態１９と同様の材質からなり、光透過性を有すると共に、ＬＥＤ５１７から出射された光（一次光、青色光）の一部を吸収してその光を他の波長領域の光（二次光、赤色光、緑色光）に変換して放出する機能を備えている。
【０２６７】
補色部材５２３Ａは、導光板５１９の左右両側の端部（光源非対向端部）５１９２，５１９３のみならず、入射端部５１９０の反対側にある端部（反対側光源非対向端部）５１９１と重なるように、導光板５１９と反射シート５２１との間に介在されている。補色部材５２３Ａは、実施形態１９の補色部材５２３と同様、左右両側の端部（光源非対向端部）５１９２，５１９３にそれぞれ割り当てられる２つの短辺側補色部材５２３０と、入射端部５１９０の反対側にある端部（反対側光源非対向端部）５１９１に割り当てられ、２つの短辺側補色部材５２３０の間を繋ぐ長辺側補色部材５２３１とからなる。なお、短辺側補色部材５２３０は、実施形態１９の補色部材５２３と同形状である。
【０２６８】
本実施形態では、導光板５１９の裏面に設けられている光反射・散乱パターンの違い等により、長辺側端面（反対側光源非対向面）５１９ｄ付近で青味を帯びた光が出射される。なお、上述したように、長辺側端面（反対側光源非対向面）５１９ｄ付近で生じ得る青味を帯びた光は、導光板５１９の両端側（光源非対向面５１９ｅ，５１９ｆ側）で生じるものと比べて、範囲が狭くなっている。そのため、長辺側補色部材５２３１は、短辺側補色部材２３０と比べて、線幅が細くされている。
【０２６９】
本実施形態のように、導光板５１９の左右両側の端部（光源非対向端部）５１９２，５１９３のみならず、入射端部５１９０の反対側にある端部（反対側光源非対向端部）５１９１に、補色部材５２３Ａが割り当てられてもよい。このような補色部材５２３Ａを備えた照明装置では、面状に広がった出射光（面光）において、端側（光源非対向隣接端部５１９２，５１９３側、反対側光源非対向端部５１９１側）が中央側よりもＬＥＤ５１７の一次光の色彩（青色）で色付くことが抑制されている。
【０２７０】
＜実施形態２１＞
次いで、本発明の実施形態２１を、図４０等を参照しつつ説明する。本実施形態では、上記実施形態１９の補色部材５２３に代えて、補色部材５２３Ｂを用いた照明装置５１２Ｂを備える液晶表示装置５１０Ｂについて説明する。図４０は、実施形態２１に係る液晶表示装置５１０Ｂの光源非対向隣接端部５１９２付近の拡大断面図である。なお、図４０には、上記実施形態１９の図３８に対応する部分が示されている。
【０２７１】
本実施形態の補色部材５２３Ｂは、上記実施形態５１９と同様、シート状をなし、ＬＥＤ５１７から出射された光（一次光、青色光）が呈する青色（基準色）と補色の関係にある色（本実施形態の場合、黄色）を呈する部材からなる。ただし、補色部材５２３Ｂは、上記実施形態１９のものとは異なり、ＬＥＤ５１７からの光（一次光、青色光）を選択的に吸収する機能を備えている。なお、補色部材５２３Ｂは、蛍光体シート５１５０に含まれる蛍光体により波長変換された二次光（緑色光、赤色光）を透過させる機能（光透過性）も備えている。このような補色部材５２３Ｂとしては、例えば、黄色のセロファンフィルムが利用される。
【０２７２】
本実施形態では、上記実施形態１９と同様、再帰反射の回数が少ない光が出射する部分（領域Ｒ１１及び領域Ｒ２２）と少なくとも重なるように、補色部材５２３が導光板５１９の各端部（光源非対向端部）５１９２，５１９３と反射シート５２０との間に介在される（図３５参照）。例えば、導光板５１９内に入射された一次光（青色光）のうち、裏面（反対面）５１９ｂを通過して補色部材５２３Ｂに供給された光の一部は、補色部材５２３Ｂで吸収される。これに対して、補色部材５２３Ｂに、二次光（緑色光、赤色光）が供給された場合、その光は、補色部材５２３Ｂを透過して反射シート５２０で反射等されて、再び導光板１９内へ戻される。
【０２７３】
本実施形態の照明装置５１２Ｂでは、光出射面５１９ａの各領域Ｒ１１，Ｒ２２（Ｒ１，Ｒ２）において、再帰反射の回数が少なくても、一次光（青色光）を選択的に吸収しつつ、二次光（緑色光及び赤色光からなる黄色光）を選択的に透過させる補色部材５２３Ｂを、反射シート５２０に載せた状態で、導光板５１９の各端部（光源非対向端部）５１９２，５１９３の裏面（反対面）５１９ｂ側に配することで、光出射面５１９ａの各領域Ｒ１１，Ｒ２２（Ｒ１，Ｒ２）における、青色と補色の関係にある黄色を呈する光（補色光）の存在比率を高くし、青色を呈する光（青色光）の存在比率を低くすることができる。
【０２７４】
その結果、照明装置５１２Ｂからは、中央側と同様、両端側も白味を帯びた光が出射される。つまり、照明装置５１２Ｂでは、面状に広がった出射光（面光）において、端側（光源非対向隣接端部５１９２，５１９３側）が中央側よりもＬＥＤ５１７の一次光の色彩（青色）で色付くことが抑制されている。このように、ＬＥＤ５１７からの光（一次光、青色光）を選択的に吸収する機能を備えつつ、二次光（緑色光、赤色光）を透過させる機能（光透過性）も備えた補色部材５２３Ｂを利用してもよい。
【０２７５】
＜実施形態２２＞
次いで、本発明の実施形態２２を、図４１及び図４２等を参照しつつ説明する。本実施形態では、上記実施形態１９の補色部材５２３に代えて、補色部材（第２の補色部材の一例）５２４を用いた照明装置５１２Ｃを備える液晶表示装置５１０Ｃについて説明する。図４１は、実施形態２２に係る照明装置５１２Ｃで利用されるＬＥＤ５１７、導光板５１９、補色部材５２４及び反射シート５２０の配置関係を表した説明図であり、図４２は、実施形態２２に係る液晶表示装置５１０Ｃの光源非対向隣接端部５１９２付近の拡大断面図である。なお、図４２には、図４１のＣ−Ｃ線に対応する部分の断面図が示されている。
【０２７６】
本実施形態の補色部材５２４は、実施形態１９と同じ材質からなる。つまり、補色部材５２４は、上記実施形態１９の蛍光体シート５１５０と同様、光透過性を有すると共に、ＬＥＤ５１７から出射された光（一次光、青色光）の一部を吸収してその光を他の波長領域の光（二次光としての赤色光及び緑色光）に変換して放出する機能を備えている。また、本実施形態の補色部材５２４は、実施形態１９の補色部材５２３と同形状に設定されている。
【０２７７】
ただし、本実施形態の補色部材５２４は、上記実施形態１９とは異なり、光出射面５１９ａのうち、導光板５１９の左右両側の端部（光源非対向隣接端部５１９２，５１９３）と重なるように光出射面と、蛍光体シート５１５０との間に配されている。補色部材５２４の一部は、図４１等に示されるように、導光板５１９の左右両側の端部（光源非対向隣接端部５１９２，５１９３）よりも外側にはみ出した状態となっている。
【０２７８】
本実施形態では、再帰反射の回数が少ない光が出射する部分（領域Ｒ１１及び領域Ｒ２２）と少なくとも重なるように、補色部材５２４が導光板５１９の各端部（光源非対向端部）５１９２，５１９３と蛍光体シート５１５０との間に介在される。本実施形態の照明装置５１２Ｃでは、光出射面５１９ａの各領域Ｒ１１，Ｒ２２（Ｒ１，Ｒ２）において、再帰反射の回数が少なくても、蛍光体シート５１５０と同種の補色部材５２４を、導光板５１９の各端部（光源非対向端部）５１９２，５１９３の光出射面５１９ａ側に配することで、一次光（青色光）を二次光（赤色光、緑色光）に波長変換する効率を高くしている。つまり、本実施形態では、光出射面５１９ａの各領域Ｒ１１，Ｒ２２（Ｒ１，Ｒ２）より出射される光は、蛍光体シート５１５０以外に、補色部材５２４によっても波長変換される。
【０２７９】
このように、導光板５１９の左右両側の端部（光源非対向端部）５１９２、５１９２と重なるように補色部材５２４を光出射面５１９ａ側から配置することで、光出射面５１９ａの各領域Ｒ１１，Ｒ２２（Ｒ１，Ｒ２）における、青色と補色の関係にある黄色を呈する光（補色光）の存在比率を高くし、青色を呈する光（青色光）の存在比率を低くすることができる。その結果、照明装置５１２Ｃからは、中央側と同様、両端側も白味を帯びた光が出射される。つまり、本実施形態の照明装置５１２Ｃでも、面状に広がった出射光（面光）において、端側（光源非対向隣接端部５１９２，５１９３側）が中央側よりもＬＥＤ５１７の一次光の色彩（青色）で色付くことが抑制されている。以上のように、導光板５１９の光出射面５１９ａと蛍光体シート５１５０との間に、補色部材５２４を配置してもよい。
【０２８０】
＜実施形態２３＞
次いで、本発明の実施形態２３を、図４３等を参照しつつ説明する。本実施形態では、上記実施形態２２の補色部材５２４に代えて、補色部材（第２の補色部材の一例）５２４Ｄを用いた照明装置について説明する。図４３は、実施形態２３に係る照明装置で利用されるＬＥＤ５１７、導光板５１９、補色部材５２４Ｄ及び反射シート５２０の配置関係を表した説明図である。
【０２８１】
補色部材５２４Ｄは、上記実施形態２２と同様の材質からなる。ただし、補色部材５２４Ｄは、導光板５１９の左右両側の端部（光源非対向端部）５１９２，５１９３のみならず、入射端部５１９０の反対側にある端部（反対側光源非対向端部）５１９１と重なるように、導光板５１９の光出射面５１９ａ側に配置されている。補色部材５２４Ｄは、実施形態２２の補色部材５２４と同様、左右両側の端部（光源非対向端部）５１９２，５１９３にそれぞれ割り当てられる２つの短辺側補色部材５２４０と、入射端部５１９０の反対側にある端部（反対側光源非対向端部）５１９１に割り当てられ、２つの短辺側補色部材５２３０の間を繋ぐ長辺側補色部材５２４１とからなる。なお、短辺側補色部材５２４０は、実施形態２２の補色部材５２４と同形状である。
【０２８２】
本実施形態では、導光板５１９の裏面に設けられている光反射・散乱パターンの違い等により、長辺側端面（反対側光源非対向面）５１９ｄ付近で青味を帯びた光が出射される。なお、上述したように、長辺側端面（反対側光源非対向面）５１９ｄ付近で生じ得る青味を帯びた光は、導光板５１９の両端側（光源非対向面５１９ｅ，５１９ｆ側）で生じるものと比べて、範囲が狭くなっている。そのため、長辺側補色部材５２４１は、短辺側補色部材２４０と比べて、線幅が細くされている。
【０２８３】
本実施形態のように、導光板５１９の左右両側の端部（光源非対向隣接端部）５１９２，５１９３のみならず、入射端部５１９０の反対側にある端部（反対側光源非対向端部）５１９１に、補色部材５２４Ｄが割り当てられてもよい。このような補色部材５２４Ｄを備えた照明装置では、面状に広がった出射光（面光）において、端側（光源非対向隣接端部５１９２，５１９３側、反対側光源非対向端部５１９１側）が中央側よりもＬＥＤ５１７の一次光の色彩（青色）で色付くことが抑制されている。
【０２８４】
＜実施形態２４＞
次いで、本発明の実施形態２４を、図４４等を参照しつつ説明する。本実施形態では、上記実施形態２２の補色部材５２４に代えて、補色部材（第２の補色部材の一例）５２４Ｅを用いた照明装置５１２Ｅを備える液晶表示装置５１０Ｅについて説明する。図４４は、実施形態２４に係る液晶表示装置５１０Ｅの光源非対向隣接端部５１９２付近の拡大断面図である。なお、図４４には、上記実施形態２２の図４２に対応する部分が示されている。
【０２８５】
本実施形態の補色部材５２４Ｅは、上記実施形態２２と同様、シート状をなし、ＬＥＤ５１７から出射された光（一次光、青色光）が呈する青色（基準色）と補色の関係にある色（本実施形態の場合、黄色）を呈する部材からなる。ただし、補色部材５２４Ｅは、上記実施形態２２のものとは異なり、ＬＥＤ５１７からの光（一次光、青色光）を選択的に吸収する機能を備えている。なお、補色部材５２４Ｅは、蛍光体シート５１５０に含まれる蛍光体により波長変換された二次光（緑色光、赤色光）を透過させる機能（光透過性）も備えている。このような補色部材５２４Ｅとしては、上記実施形態２１と同様、例えば、黄色のセロファンフィルムが利用される。
【０２８６】
本実施形態では、上記実施形態２２と同様、再帰反射の回数が少ない光が出射する部分（領域Ｒ１１及び領域Ｒ２２）と少なくとも重なるように、補色部材５２４Ｅが導光板５１９の各端部（光源非対向隣接端部）５１９２，５１９３の光出射面５１９ａ側と蛍光体シート５１５０との間に介在される。例えば、導光板５１９内に入射された一次光（青色光）のうち、光出射面５１９ａを通過して補色部材５２４Ｅに供給された光の一部は、補色部材５２４Ｅで吸収される。これに対して、補色部材５２４Ｅに、二次光（緑色光、赤色光）が供給された場合、その光は、補色部材５２４Ｅを透過し、蛍光体シート５１５０に供給される。
【０２８７】
本実施形態の照明装置５１２Ｅでは、光出射面５１９ａの各領域Ｒ１１，Ｒ２２（Ｒ１，Ｒ２）において、再帰反射の回数が少なくても、一次光（青色光）を選択的に吸収しつつ、二次光（緑色光及び赤色光からなる黄色光）を選択的に透過させる補色部材５２４Ｅを、導光板５１９の各端部（光源非対向隣接端部）５１９２，５１９３の光出射面５１９ａ側に配することで、光出射面５１９ａの各領域Ｒ１１，Ｒ２２（Ｒ１，Ｒ２）における、青色と補色の関係にある黄色を呈する光（補色光）の存在比率を高くし、青色を呈する光（青色光）の存在比率を低くすることができる。
【０２８８】
その結果、照明装置５１２Ｅからは、中央側と同様、両端側も白味を帯びた光が出射される。つまり、照明装置５１２Ｅでは、面状に広がった出射光（面光）において、端側（光源非対向隣接端部５１９２，５１９３側）が中央側よりもＬＥＤ５１７の一次光の色彩（青色）で色付くことが抑制されている。このように、ＬＥＤ５１７からの光（一次光、青色光）を選択的に吸収する機能を備えつつ、二次光（緑色光、赤色光）を透過させる機能（光透過性）も備えた補色部材５２４Ｅを利用してもよい。
【０２８９】
＜実施形態２５＞
本発明の実施形態２５を図４５から図５５によって説明する。本実施形態２５の液晶表示装置６１０を構成する液晶パネル６１１については、実施形態１の液晶パネル１１と同様の構成である。
【０２９０】
一方、バックライト装置６１２は、図４５に示すように、シャーシ６１４と、複数の光学部材（光学シート）６１５と、光源であるＬＥＤ６１７と、ＬＥＤ６１７が実装されたＬＥＤ基板６１８と、ＬＥＤ６１７からの光を導光して光学部材６１５（液晶パネル６１１）へと導く導光板６１９と、導光板６１９などを表側から押さえるとともに光学部材６１５を裏側から受けるフレーム６１６と、が備えられる。シャーシ６１４、ＬＥＤ６１７、ＬＥＤ基板６１８、導光板６１９については、実施形態１のシャーシ１４、ＬＥＤ１７、ＬＥＤ基板１８、導光板１９と同様の構成である。
【０２９１】
光学部材６１５は、図４５に示すように、シート状をなしていて合計で４枚が備えられている。具体的には、光学部材６１５は、ＬＥＤ６１７から発せられた光の一部（一次光）を他の波長の光（二次光）へと波長変換する波長変換シート（波長変換部材）６２０と、光に等方性集光作用を付与するマイクロレンズシート６２１と、光に異方性集光作用を付与するプリズムシート６２２と、光を偏光反射する反射型偏光シート６２３と、から構成される。光学部材６１５は、図４７及び図４８に示すように、裏側から波長変換シート６２０、マイクロレンズシート６２１、プリズムシート６２２、及び反射型偏光シート６２３の順で相互に積層されてそれらの外縁部がフレーム６１６に対してその表側に載せられている。
【０２９２】
フレーム６１６は、図４５に示すように、導光板６１９及び光学部材６１５の外周縁部に沿って延在する横長の枠状部（額縁状部、枠状支持部）６１６ａを有しており、その枠状部６１６ａにより導光板６１９の外周縁部をほぼ全周にわたって表側から押さえて支持するものとされる。フレーム６１６の枠状部６１６ａは、光学部材６１５（波長変換シート２０）と導光板６１９との間に介在するとともに、光学部材６１５の外周縁部を裏側から受けて支持するものとされ、それにより光学部材６１５が導光板６１９との間に枠状部６１６ａ分の間隔を空けた位置に保たれる。また、フレーム６１６の枠状部６１６ａにおける裏側（導光板６１９側）の面には、例えばポロン（登録商標）などからなる緩衝材６２４が設けられている。緩衝材６２４は、枠状部６１６ａの全周にわたって延在するよう枠状をなしている。さらには、フレーム６１６は、枠状部６１６ａから表側に向けて突出するとともに、液晶パネル６１１における外周縁部を裏側から支持する液晶パネル支持部６１６ｂを有している。
【０２９３】
なお、波長変換シート６２０は、図４７及び図４８に示すように、その外周縁部が、フレーム６１６の枠状部６１６ａに対して表側から直接載せられている。波長変換シート６２０は、図５０に示すように、ＬＥＤ６１７からの光を波長変換するための蛍光体（波長変換物質）を含有する波長変換層（蛍光体フィルム）６２０ａと、波長変換層６２０ａを表裏から挟み込んでこれを保護する一対の保護層（保護フィルム）６２０ｂと、を少なくとも有している。波長変換層６２０ａには、ＬＥＤ６１７からの青色の単色光を励起光として、赤色の光（赤色に属する特定の波長領域の可視光線）を発する赤色蛍光体と、緑色（緑色に属する特定の波長領域の可視光線）の光を発する緑色蛍光体と、が分散配合されている。これにより、波長変換シート６２０は、ＬＥＤ６１７の発光光（青色の光、一次光）をその色味（青色）に対して補色となる色味（黄色）を呈する二次光（緑色の光及び赤色の光）に波長変換するものとされる。波長変換層６２０ａは、ほぼ透明な合成樹脂製でフィルム状をなす基材（蛍光体担体）６２０ａ１に、赤色蛍光体及び緑色蛍光体を分散配合した蛍光体層６２０ａ２を塗布してなるものとされる。保護層６２０ｂは、ほぼ透明な合成樹脂製でフィルム状をなしており、防湿性などに優れるものとされる。このようにその構成は実施形態７の波長変換シート４２０（図２０参照）と同様とされている。
【０２９４】
ところで、バックライト装置６１２では、図４７及び図４８に示すように、その外周側において構成部材間に隙間が生じ易いものとなっているため、そのような隙間から光が漏れ出すことが懸念される。バックライト装置６１２の外周側に生じた隙間から漏れ出す光には、波長変換シート６２０によって波長変換される前の一次光、つまりＬＥＤ６１７から発せられた青色の光が多く含まれる傾向にあるため、バックライト装置６１２の外周側では中央側に比べるとＬＥＤ６１７の発光光と同系色である青色味を帯びた色ムラが視認されるおそれがあった。
【０２９５】
そこで、本実施形態に係るバックライト装置６１２には、図４７，図４８及び図５１に示すように、波長変換シート６２０を中央側部分６２９と外周側部分６３０とに区分したときに中央側部分６２９とは非重畳とされ外周側部分６３０の少なくとも一部に重畳する形で配されて光の一部を出光側とは反対側、つまり裏側に再帰反射させる再帰反射部６３１が備えられている。このような構成によれば、波長変換シート６２０の外周側部分６３０付近に存在する光の一部を再帰反射部６３１によって裏側に再帰反射させることができる。再帰反射部６３１にて裏側に再帰反射された光は、再び波長変換シート６２０を透過して波長変換され易くなるので、上記のようにバックライト装置６１２の外周側において構成部材間に生じた隙間から光が漏れ出した場合でも、バックライト装置６１２の外周側において出射光がＬＥＤ６１７の発光光（一次光）と同系色である青色味を帯び難いものとなる。これにより、バックライト装置６１２における中央側と外周側とで出射光の色味に差が生じ難くなり、出射光に色ムラが生じ難いものとされる。
【０２９６】
再帰反射部６３１は、図５５に示すように、シート状（フィルム状）をなす基材６３２と、基材６３２中に分散配合されて光を散乱反射（拡散反射）する多数の光散乱粒子（光拡散粒子）６３３と、からなる。つまり、再帰反射部６３１は、一般的な光学部材の一種である光散乱反射シート（光拡散シート）と同様の構造を有していることから、そのような一般的な光学部材を用いて製造することができ、もって製造コストの低廉化を図る上で好適とされる。再帰反射部６３１を構成する基材６３２は、例えばアクリル系樹脂、ポリウレタン、ポリエステル、シリコーン樹脂、エポキシ樹脂、紫外線硬化型樹脂などのほぼ透明で優れた透光性を有する合成樹脂材料を主原料としている。再帰反射部６３１を構成する光散乱粒子６３３は、例えばシリカ、水酸化アルミニウム、酸化亜鉛などの無機材料やアクリル系樹脂、ポリウレタン、ポリスチレンなどの有機材料などの白色またはほぼ透明な材料からなり、その表面にて光を散乱反射（ランバート反射）させることができる。つまり、光散乱粒子６３３は、光を殆ど吸収することなく散乱反射することで、その散乱反射した光の一部を裏側に再帰反射させることができるので、光の利用効率が高いものとなり、また経時的な性能劣化が生じ難いものとされる。光散乱粒子６３３は、略球状をなしており、所定の分布濃度でもって基材６３２中に分散配合されている。
【０２９７】
再帰反射部６３１は、図４７及び図４８に示すように、波長変換シート６２０に対して出光側、つまり表側に重なる形で配されている。このようにすれば、一旦波長変換シート６２０を透過した光が再帰反射部６３１にて再帰反射されるとすぐに波長変換シート６２０を透過することになる。これにより、光が波長変換シート６２０を通過する回数がより多くなるので光の波長変換がより促進され、色ムラの抑制を図る上でより好適とされる。その上で、再帰反射部６３１は、図５２に示すように、波長変換シート６２０の外周側部分６３０における全周にわたって延在しており、全体として平面に視て横長の枠状をなしている。従って、再帰反射部６３１は、波長変換シート６２０の外周側部分６３０に対して全周にわたって重畳する形で配されている。言い換えると、再帰反射部６３１は、波長変換シート６２０の外周側部分６３０のうち、導光板６１９の外周端面である非入光端面６１９ｄに並行する部分に対して重畳するのに加えて、入光端面６１９ｂに並行する部分に対しても重畳している。このような構成によれば、波長変換シート６２０の外周側部分６３０のうち導光板６１９の非入光端面６１９ｄに並行する部分付近に存在する光や導光板６１９の入光端面６１９ｂに並行する部分付近に存在する光の一部を再帰反射部６３１により裏側に再帰反射させることができる。従って、導光板６１９内を伝播する光が導光板６１９の非入光端面６１９ｄから出射したり、入光端面６１９ｂから出射したりして上記したバックライト装置６１２の構成部材間の隙間から漏れ出した場合であっても、色ムラの発生を好適に抑制することができる。また、バックライト装置６１２の構成部材間の隙間が周方向についてどの位置に生じた場合であってもその隙間から生じ得る光漏れに起因する色ムラを好適に抑制することができる。
【０２９８】
再帰反射部６３１は、図４７，図４８及び図５１に示すように、導光板６１９の外縁部を表側から支持するフレーム６１６の枠状部６１６ａに重畳する部分と、フレーム６１６の枠状部６１６ａの内端位置よりも内側に配される部分と、を有している。つまり、再帰反射部６３１は、枠状部６１６ａの内端位置を内外に跨ぐ形で配されている。このフレーム６１６の枠状部６１６ａの内端位置は、導光板６１９の出光板面６１９ａにおける有効出光領域と非有効出光領域との境界位置と一致していることから、再帰反射部６３１は、導光板６１９の出光板面６１９ａにおける有効出光領域と非有効出光領域とに跨る範囲にわたって配されている。このような構成によれば、フレーム６１６の枠状部６１６ａの内端位置よりも内側の有効出光領域に存在する光についてもその一部を再帰反射部６３１によって裏側に再帰反射させることができる。これにより、波長変換シート６２０の外周側部分６３０付近に存在する光をより効率的に再帰反射させることができるので、フレーム６１６と導光板６１９との間の隙間やフレーム６１６と波長変換シート６２０との間の隙間から光漏れが生じた場合に生じ得る色ムラを好適に抑制することができる。
【０２９９】
上記のような構成の再帰反射部６３１は、光学部材６１５（波長変換シート６２０を含む）と共にフレーム６１６に対して位置決めされるようになっており、その位置決め構造について詳しく説明する。フレーム６１６には、図４７，図４８及び図５３に示すように、光学部材６１５及び再帰反射部６３１を位置決めするための位置決め部６３４が設けられている。位置決め部６３４は、フレーム６１６を構成する枠状部６１６ａにおける表側の面から表側に向けて突出する形で設けられている。位置決め部６３４は、平面に視て横長または縦長の長円形状をなしており、枠状部６１６ａからの突出寸法が全ての光学部材６１５及び再帰反射部６３１を重ねた厚みよりも大きなものとされる。位置決め部６３４は、枠状部６１６ａにおいてその周方向について間隔を空けた位置に複数が並んで設けられている。詳しくは、位置決め部６３４は、枠状部６１６ａを構成する一方（図５３に示す上側）の長辺部分には３つ、他方（図５３に示す下側）の長辺部分には２つ、一対の短辺部分には１つずつ、それぞれ配置されている。合計７つの位置決め部６３４は、図５３に示す上下非対称となる配置とされている。
【０３００】
光学部材６１５には、フレーム６１６の位置決め部６３４によって位置決めされる第１被位置決め部６３５が設けられている。第１被位置決め部６３５は、図５４に示すように、光学部材６１５の外周縁部をその板面に沿って部分的に外向きに突出（延出）させてなるものとされる。この第１被位置決め部６３５は、光学部材６１５を構成する波長変換シート６２０、マイクロレンズシート６２１、プリズムシート６２２及び反射型偏光シート６２３のそれぞれに個別に設けられている。第１被位置決め部６３５は、光学部材６１５においてその周方向について間隔を空けた位置に複数が並んで設けられており、その平面配置は上記したフレーム６１６における位置決め部６３４の配置と同様であり、図５４に示す上下非対称となる配置とされている。第１被位置決め部６３５は、平面に視て横長または縦長の方形状をなしており、平面に視た大きさが位置決め部６３４よりも十分に大きなものとされる。第１被位置決め部６３５における中央側部分には、位置決め部６３４を挿通可能な第１被位置決め孔６３５ａが開口して設けられている。第１被位置決め孔６３５ａは、その平面形状が第１被位置決め部６３５と同様に横長または縦長の方形状をなしており、平面に視た大きさが位置決め部６３４よりも一回り小さなものとなっている。そして、光学部材６１５は、図４７，図４８及び図５１に示すように、第１被位置決め部６３５における第１被位置決め孔６３５ａの内周面（孔縁）に対して位置決め部６３４の外周面の少なくとも一部が当接されることで、その板面に沿う方向（Ｘ軸方向及びＹ軸方向）についてフレーム６１６に対して位置決めされるようになっている。
【０３０１】
再帰反射部６３１には、フレーム６１６の位置決め部６３４によって位置決めされる第２被位置決め部６３６が設けられている。第２被位置決め部６３６は、図５２に示すように、再帰反射部６３１の外周縁部をその板面に沿って部分的に外向きに突出（延出）させてなるものとされる。第２被位置決め部６３６は、再帰反射部６３１においてその周方向について間隔を空けた位置に複数が並んで設けられており、その平面配置は上記したフレーム６１６における位置決め部６３４の配置（光学部材６１５における第１被位置決め部６３５の配置）と同様であり、図５２に示す上下非対称となる配置とされている。この第２被位置決め部６３６は、平面に視て横長または縦長の方形状をなしており、平面に視た大きさが位置決め部６３４よりも十分に大きく且つ第１被位置決め部６３５とほぼ同じ程度とされる。第２被位置決め部６３６における中央側部分には、位置決め部６３４を挿通可能な第２被位置決め孔６３６ａが開口して設けられている。第２被位置決め孔６３６ａは、その平面形状が第２被位置決め部６３６と同様に横長または縦長の方形状をなしており、平面に視た大きさが位置決め部６３４よりも一回り小さく且つ第１被位置決め孔６３５ａとほぼ同じ程度とされる。従って、第２被位置決め孔６３６ａは、第２被位置決め部６３６が第１被位置決め部６３５に対して平面に視て整合する配置にされると、第１被位置決め孔６３５ａに対して平面に視て整合して互いの内周面がほぼ面一状をなすものとされる（図４７及び図４８を参照）。そして、再帰反射部６３１は、図４７，図４８及び図５１に示すように、第２被位置決め部６３６における第２被位置決め孔６３６ａの内周面（孔縁）に対して位置決め部６３４の外周面の少なくとも一部が当接されることで、その板面に沿う方向（Ｘ軸方向及びＹ軸方向）についてフレーム６１６に対して位置決めされるようになっている。つまり、再帰反射部６３１は、光学部材６１５と共通の位置決め部６３４によって位置決めが図られているから、波長変換シート６２０に対して接着などの手法に依らずとも高い位置精度でもって位置決め状態に保持されるとともに、位置決め構造の簡素化を図る上でも好適とされる。
【０３０２】
本実施形態は以上のような構造であり、続いてその作用を説明する。上記した構成の液晶表示装置６１０の製造に際しては、液晶パネル６１１及びバックライト装置６１２をそれぞれ製造した後、それらをベゼル６１３などを用いて一体的に組み付けるようにする。このうちのバックライト装置６１２の製造方法について説明する。バックライト装置６１２の製造に際しては、シャーシ６１４内に光出射部６１４ｂを通して反射シート６２５、導光板６１９及びＬＥＤ基板６１８を収容した後に、シャーシ６１４にフレーム６１６を組み付ける。シャーシ６１４に組み付けられたフレーム６１６には、光学部材６１５及び再帰反射部６３１が組み付けられる。具体的には、フレーム６１６の枠状部６１６ａには、波長変換シート６２０、再帰反射部６３１、マイクロレンズシート６２１、プリズムシート６２２、反射型偏光シート６２３の順で積層される。
【０３０３】
ここで、波長変換シート６２０の組み付け時には、波長変換シート６２０の外周縁部に設けられた各第１被位置決め部６３５の各第１被位置決め孔６３５ａにフレーム６１６の各位置決め部６３４が整合・挿通されるとともに、各位置決め部６３４の外周面が各第１被位置決め孔６３５ａの内周面（孔縁）に当接される（図４７，図４８及び図５１を参照）。これにより、波長変換シート６２０がその板面に沿う方向について位置ずれが規制された状態とされ、位置決めが図られる。波長変換シート６２０に対して表側に積層される再帰反射部６３１の組み付け時には、再帰反射部６３１の外周縁部に設けられた各第２被位置決め部６３６の各第２被位置決め孔６３６ａにフレーム６１６の各位置決め部６３４が挿通されるとともに、各位置決め部６３４の外周面が各第２被位置決め孔６３６ａの内周面（孔縁）に当接される（図４７，図４８及び図５１を参照）。この状態では、各第２被位置決め孔６３６ａが各第１被位置決め孔６３５ａと平面に視て整合した配置とされる。これにより、再帰反射部６３１が波長変換シート６２０と共にその板面に沿う方向について位置ずれが規制された状態とされ、位置決めが図られる。また、波長変換シート６２０以外の光学部材６１５（マイクロレンズシート６２１、プリズムシート６２２及び反射型偏光シート６２３）についても、上記と同様に位置決め部６３４及び第１被位置決め部６３５によってそれぞれの位置決めが図られる。なお、シャーシ６１４に対してフレーム６１６を組み付ける前の段階において、フレーム６１６に対して光学部材６１５及び再帰反射部６３１を予め組み付けるようにし、ユニット化されたフレーム６１６、光学部材６１５及び再帰反射部６３１を一括してシャーシ６１４に対して組み付けるようにしても構わない。
【０３０４】
上記のようにして製造された液晶表示装置６１０の電源をＯＮすると、図示しないコントロール基板のパネル制御回路により液晶パネル６１１の駆動が制御されるとともに、図示しないＬＥＤ駆動回路基板のＬＥＤ駆動回路からの駆動電力がＬＥＤ基板６１８の各ＬＥＤ６１７に供給されることでその駆動が制御される。各ＬＥＤ６１７からの光は、導光板６１９により導光されることで、光学部材６１５を介して液晶パネル６１１に照射され、液晶パネル６１１に所定の画像が表示される。以下、バックライト装置６１２に係る作用について詳しく説明する。
【０３０５】
各ＬＥＤ６１７を点灯させると、各ＬＥＤ６１７から出射した青色の光は、図４７に示すように、導光板６１９における入光端面６１９ｂに入射する。入光端面６１９ｂに入射した光は、導光板６１９における外部の空気層との界面にて全反射されたり、反射シート６２５により反射されるなどして導光板６１９内を伝播されつつ、光反射パターンの光反射部にて散乱反射されることで、出光板面６１９ａに対する入射角が臨界角を超えない光となって出光板面６１９ａからの出射が促されるようになっている。導光板６１９の出光板面６１９ａを出射した光は、各光学部材６１５を透過する過程でそれぞれ光学作用を付与された上で液晶パネル６１１に対して照射されるのであるが、その一部については各光学部材６１５にて再帰反射されることで導光板６１９内に戻された後に再帰反射光として出光板面６１９ａなどから出射してバックライト装置６１２の出射光となる。
【０３０６】
続いて、光学部材６１５の光学作用について詳しく説明する。導光板６１９の出光板面６１９ａを出射した青色の光の一部は、図４７に示すように、出光板面６１９ａに対して表側に間隔を空けて配される波長変換シート６２０に含有される緑色蛍光体及び赤色蛍光体により緑色の光及び赤色の光（二次光）へと波長変換される。この波長変換された緑色の光及び赤色の光と、ＬＥＤ６１７の青色の光と、によって、概ね白色の照明光が得られることになる。これらＬＥＤ６１７の青色の光と、波長変換シート６２０にて波長変換された緑色の光及び赤色の光と、は、マイクロレンズシート６２１にてＸ軸方向及びＹ軸方向について等方的に集光作用（等方性集光作用）が付与された後に、プリズムシート６２２にてＹ軸方向について選択的に集光作用（異方性集光作用）が付与される。その後、プリズムシート６２２を出射した光は、反射型偏光シート６２３にて特定の偏光光（ｐ波）が選択的に透過されて液晶パネル６１１に向けて出射するのに対し、それとは異なる特定の偏光光（ｓ波）が選択的に裏側へと反射される。反射型偏光シート６２３にて反射されたｓ波やプリズムシート６２２及びマイクロレンズシート６２１にて集光作用を付与されずに裏側へと反射された光などは、導光板６１９内に戻されて導光板６１９内を伝播する過程で反射シート６２５にて再び反射されるなどして再び出光板面６１９ａなどから表側へと出射されることになる。
【０３０７】
ＬＥＤ６１７から発せられた光は、上記した出光経路を辿ってバックライト装置６１２の出射光として利用されることになる。ここで、バックライト装置６１２における外周側ではその構成部材間に隙間が生じ得るものとされるため、そのような隙間から光が漏れ出すことが懸念される。具体的には、導光板６１９と緩衝材６２４（フレーム６１６）との間やフレーム６１６と光学部材６１５との間などには、構成部材間に生じるがたつきなどに起因して隙間が生じる可能性があり、そのような隙間が生じるとそこから波長変換シート６２０にて未だ変換されていない青色の光が漏れ出してしまい、バックライト装置６１２の外周側では中央側に比べると青色味を帯びた色ムラが視認されることが懸念される。その点、本実施形態に係る波長変換シート６２０には、図４７，図４８及び図５１に示すように、中央側部分６２９とは非重畳とされるものの外周側部分６３０に重畳する形で再帰反射部６３１が積層配置されているから、外周側部分６３０付近に存在する光の一部を再帰反射部６３１によって裏側に再帰反射させることができる。この再帰反射部６３１により再帰反射される光は、上記のような漏れ光が含まれるのは勿論のこと、漏れ光ではない未変換の青色の光も含まれる。再帰反射部６３１にて裏側に再帰反射された光は、再び波長変換シート６２０を透過して波長変換され易くなるので、上記のような隙間から光が漏れ出した場合でも、バックライト装置６１２の外周側において出射光がＬＥＤ６１７と同系色の色味、つまり青色味を帯び難いものとなり、色ムラを抑制することができる。しかも、再帰反射部６３１は、波長変換シート６２０に対して表側に重なる形で配されているので、再帰反射部６３１にて再帰反射された光がすぐに波長変換シート６２０に透過されてそこで波長変換が促進される。これにより、光が波長変換シート６２０を通過する回数がより多くなるので光の波長変換がより促進され、色ムラの抑制を図る上でより好適とされる。
【０３０８】
上記したバックライト装置６１２の構成部材間の隙間から生じ得る漏れ光には、導光板６１９内を伝播する未変換の青色の光が導光板６１９の外周端面から出射したものが含まれている。特に、導光板６１９の外周端面のうち、非入光端面６１９ｄからは光が外部に出射し易いものとされる。その点、再帰反射部６３１は、図４７及び図４８に示すように、波長変換シート６２０の外周側部分６３０のうち、導光板６１９の非入光端面６１９ｄに並行する部分に対して重畳する形で配されているので、波長変換シート６２０の外周側部分６３０のうち導光板６１９の非入光端面６１９ｄに並行する部分付近に存在する光の一部を再帰反射部６３１により裏側に再帰反射させることができる。従って、導光板６１９内を伝播する光が導光板６１９の非入光端面６１９ｄから出射して上記したバックライト装置６１２の構成部材間の隙間から漏れ出した場合であっても、色ムラの発生を好適に抑制することができる。しかも、再帰反射部６３１は、波長変換シート６２０の外周側部分６３０のうち、導光板６１９の非入光端面６１９ｄに並行する部分に加えて入光端面６１９ｂに並行する部分に対して重畳する形で配されているので、波長変換シート６２０の外周側部分６３０のうち導光板６１９の入光端面６１９ｂに並行する部分付近に存在する光の一部を再帰反射部６３１により裏側に再帰反射させることができる。従って、導光板６１９内を伝播する光が導光板６１９の入光端面６１９ｂから出射して上記したバックライト装置６１２の構成部材間の隙間から漏れ出した場合であっても、色ムラの発生を好適に抑制することができる。このように再帰反射部６３１は、波長変換シート６２０の外周側部分６３０における全周にわたって延在する形で配されているから、バックライト装置６１２の構成部材間の隙間が周方向についてどの位置に生じた場合であってもその隙間から生じ得る光漏れに起因する色ムラを好適に抑制することができる。
【０３０９】
さらには、再帰反射部６３１は、図４７，図４８及び図５１に示すように、導光板６１９の外縁部を表側から支持するフレーム６１６の枠状部６１６ａに重畳する部分と、フレーム６１６の枠状部６１６ａの内端位置よりも内側に配される部分と、を有しているから、フレーム６１６の枠状部６１６ａの内端位置よりも内側の有効出光領域に存在する光についてもその一部を再帰反射部６３１によって裏側に再帰反射させることができる。これにより、波長変換シート６２０の外周側部分６３０付近に存在する光をより効率的に再帰反射させることができるので、フレーム６１６と導光板６１９との間の隙間やフレーム６１６と波長変換シート６２０との間の隙間から光漏れが生じた場合に生じ得る色ムラを好適に抑制することができる。
【０３１０】
＜実施形態２６＞
本発明の実施形態２６を図５６から図６１によって説明する。この実施形態２６では、バックライト装置６１１２を直下型に変更したものを示す。なお、上記した実施形態２５と同様の構造、作用及び効果について重複する説明は省略する。
【０３１１】
本実施形態に係る液晶表示装置６１１０は、図５６に示すように、液晶パネル６１１１と、直下型のバックライト装置６１１２と、をベゼル６１１３などにより一体化した構成とされる。なお、液晶パネル６１１１の構成は、上記した実施形態２５と同様であるから、重複する説明は省略する。以下、直下型のバックライト装置６１１２の構成について説明する。
【０３１２】
バックライト装置６１１２は、図５７に示すように、表側、つまり出光側（液晶パネル６１１１側）の外部に開口する光出射部６１１４ｂを有した略箱型をなすシャーシ６１１４と、シャーシ６１１４の光出射部６１１４ｂを覆うようにして配される光学部材６１１５と、シャーシ６１１４の外縁部に沿って配され光学部材６１１５の外縁部をシャーシ６１１４との間で挟んで保持するフレーム６１１６と、を備える。さらに、シャーシ６１１４内には、光学部材６１１５（液晶パネル６１１１）の直下となる位置に対向状に配されるＬＥＤ６１１７と、ＬＥＤ６１１７が実装されたＬＥＤ基板６１１８と、ＬＥＤ基板６１１８においてＬＥＤ６１１７に対応した位置に取り付けられる拡散レンズ（光源）６３７と、が備えられる。その上、シャーシ６１１４内には、シャーシ６１１４内の光を光学部材６１１５側に反射させる反射シート６３８が備えられる。このように本実施形態に係るバックライト装置６１１２は、直下型であるから、実施形態２５にて示したエッジライト型のバックライト装置６１２において用いていた導光板６１９（図４７を参照）が備えられていない。また、フレーム６１１６の構成については、実施形態２５とは緩衝材６２４及び液晶パネル支持部６１６ｂ（図４７を参照）を有していない点などで異なる。続いて、バックライト装置６１１２の各構成部品について詳しく説明する。
【０３１３】
シャーシ６１１４は、金属製とされ、図５７から図５９に示すように、液晶パネル６１１１と同様に横長な方形状をなす底部６１１４ａと、底部６１１４ａの各辺の外端からそれぞれ表側（光出射側）に向けて立ち上がる側部６１１４ｃと、からなり、全体としては表側に向けて開口した浅い略箱型をなしている。シャーシ６１１４は、その長辺方向がＸ軸方向（水平方向）と一致し、短辺方向がＹ軸方向（鉛直方向）と一致している。底部６１１４ａは、ＬＥＤ基板６１１８に対して裏側、つまりＬＥＤ６１１７に対してその発光面６１１７ａ側（出光側）とは反対側に配されている。側部６１１４ｃは、底部６１１４ａの外周縁部に対して全周にわたって連なる略筒状をなしていて表側の開口端側（光出射部６１１４ｂ側、底部６１１４ａ側とは反対側）ほど開口間口が広くなっている。側部６１１４ｃには、相対的に低い第１段部６１１４ｃ１と、相対的に高い第２段部６１１４ｃ２と、が設けられており、このうちの第１段部６１１４ｃ１に次述する光学部材６１１５（具体的には拡散板６３９）及び反射シート６３８の各外周縁部が載せられるのに対し、第２段部６１１４ｃ２に液晶パネル６１１１の外周縁部が載せられるようになっている。また、側部６１１４ｃには、フレーム６１１６及びベゼル６１１３が固定されている。
【０３１４】
光学部材６１１５は、図５８及び図５９に示すように、上記した実施形態２５に記載したものと同様の波長変換シート６１２０、マイクロレンズシート６１２１、プリズムシート６１２２、及び反射型偏光シート６１２３に加えて拡散板６３９が備えられている。拡散板６３９は、その板厚が他の光学部材６１２０〜６１２３の板厚よりも厚いものとされ、最も裏側、つまりＬＥＤ６１１７及び拡散レンズ６３７の近くに配されている。拡散板６３９は、その外周縁部がシャーシ６１１４の側部６１１４ｃの第１段部６１１４ｃ１に直接的に載せられている。これら光学部材６１１５は、シャーシ６１１４の光出射部６１１４ｂを覆う形、つまりＬＥＤ６１１７及び拡散レンズ６３７に対して出光経路の出口側に配されており、それによりＬＥＤ６１１７及び拡散レンズ６３７からの光が光出射部６１１４ｂから出射する過程でその光に光学作用を付与することができる。拡散板６３９以外の他の光学部材６１２０〜６１２３は、上記した実施形態２５に記載したものと同様の構成である。
【０３１５】
次に、ＬＥＤ６１１７が実装されるＬＥＤ基板６１１８について説明する。ＬＥＤ基板６１１８に実装されるＬＥＤ６１１７は、上記した実施形態２５に記載したものと同様の構成である。ＬＥＤ基板６１１８は、図５７から図５９に示すように、平面に視て横長な方形状（矩形状、長方形状）をなしており、長辺方向がＸ軸方向と一致し、短辺方向がＹ軸方向と一致する状態でシャーシ６１１４内において底部６１１４ａに沿って延在しつつ収容されている。このＬＥＤ基板６１１８の板面のうち、表側を向いた板面（光学部材６１１５側を向いた板面）には、ＬＥＤ６１１７が表面実装されており、ここが実装面６１１８ａとされる。ＬＥＤ６１１７は、ＬＥＤ基板６１１８の実装面６１１８ａの面内において複数が直線的に且つ間欠的に並列して配されるとともに、実装面６１１８ａの面内に配索形成された配線パターンによって相互が電気的に接続されている。具体的には、ＬＥＤ基板６１１８の実装面６１１８ａ上には、その長辺方向（Ｘ軸方向）に沿って８個のＬＥＤ６１１７が並んで配置されている。ＬＥＤ基板６１１８における各ＬＥＤ６１１７の配列ピッチは、ほぼ一定とされ、詳しくはＸ軸方向についてほぼ等間隔に配列されている。
【０３１６】
上記した構成のＬＥＤ基板６１１８は、図５７に示すように、シャーシ６１１４内においてＹ軸方向に沿って複数が互いに長辺方向及び短辺方向を揃えた状態で並列して配置されている。具体的には、ＬＥＤ基板６１１８は、シャーシ６１１４内においてＹ軸方向に沿って４枚並んで配されており、その並び方向がＹ軸方向と一致している。Ｙ軸方向について隣り合うＬＥＤ基板６１１８間の配列間隔は、ほぼ一定とされる。そして、シャーシ６１１４の底部６１１４ａの面内においてＬＥＤ６１１７は、Ｘ軸方向（行方向）及びＹ軸方向（列方向）についてそれぞれほぼ等間隔となるよう行列状に並ぶよう平面配置されている。具体的には、ＬＥＤ６１１７は、シャーシ６１１４の底部６１１４ａの面内においてその長辺方向（Ｘ軸方向）に沿って８個ずつ、短辺方向（Ｙ軸方向）に沿って４個ずつが行列状に並ぶ形で平面配置されている。これらの全ＬＥＤ６１１７の発光面６１１７ａに対して、シャーシ６１１４の光出射部６１１４ｂを覆う形で配された光学部材６１１５は、表側に所定の間隔を空けて離れた位置にて対向状に配されている。なお、各ＬＥＤ基板６１１８には、図示しない配線部材が接続されるコネクタ部が設けられており、配線部材を介して図示しないＬＥＤ駆動基板（光源駆動基板）から駆動電力が供給されるようになっている。
【０３１７】
拡散レンズ６３７は、ほぼ透明で（高い透光性を有し）且つ屈折率が空気よりも高い合成樹脂材料（例えばポリカーボネートやアクリルなど）からなる。拡散レンズ６３７は、図５７から図５９に示すように、所定の厚みを有するとともに、平面に視て略円形状に形成されており、ＬＥＤ基板６１１８に対して各ＬＥＤ６１１７の発光面６１１７ａを表側（出光側）から個別に覆うよう、つまり平面に視て各ＬＥＤ６１１７と重畳するようそれぞれ取り付けられている。従って、バックライト装置６１１２における拡散レンズ６３７の設置数及び平面配置は、既述したＬＥＤ６１１７の設置数及び平面配置と同一の関係とされる。そして、この拡散レンズ６３７は、ＬＥＤ６１１７から発せられた指向性の強い光を拡散させつつ出射させることができる。つまり、ＬＥＤ６１１７から発せられた光は、拡散レンズ６３７を介することにより指向性が緩和された形で光学部材６１１５へ向けて照射されるので、隣り合うＬＥＤ６１１７間の間隔を広くとってもその間の領域が暗部として視認され難くなる。つまり、拡散レンズ６３７は、ＬＥＤ６１１７の光を拡散させる擬似光源として光学的に機能する。これにより、ＬＥＤ６１１７の設置個数を少なくすることが可能となっている。この拡散レンズ６３７は、平面に視てＬＥＤ６１１７とほぼ同心となる位置に配されている。
【０３１８】
この拡散レンズ６３７は、図６０及び図６１に示すように、裏側を向き、ＬＥＤ基板６１１８（ＬＥＤ６１１７）と対向する面がＬＥＤ６１１７からの光が入射される光入射面６３７ａとされるのに対し、表側を向き、光学部材６１１５と対向する面が光を出射する光出射面（発光面）６３７ｂとされる。このうち、光入射面６３７ａは、全体としてはＬＥＤ基板６１１８の板面（Ｘ軸方向及びＹ軸方向）に沿って並行する形態とされるものの、平面に視てＬＥＤ６１１７と重畳する領域に光入射側凹部６３７ｃが形成されることでＬＥＤ６１１７の光軸（Ｚ軸方向）に対して傾斜した傾斜面を有している。光入射側凹部６３７ｃは、断面逆Ｖ字型の略円錐状をなすとともに拡散レンズ６３７においてほぼ同心位置に配されている。ＬＥＤ６１１７から発せられて光入射側凹部６３７ｃ内に入った光は、傾斜面によって広角に屈折されつつ拡散レンズ６３７に入射する。また、光入射面６３７ａからは、ＬＥＤ基板６１１８に対する取付構造である取付脚部６３７ｄが突設されている。光出射面６３７ｂは、扁平な略球面状に形成されており、それにより、拡散レンズ６３７から出射する光を広角に屈折させつつ出射させることが可能とされる。この光出射面６３７ｂのうち平面に視てＬＥＤ６１１７と重畳する領域には、略擂鉢状をなす光出射側凹部６３７ｅが形成されている。この光出射側凹部６３７ｅにより、ＬＥＤ６１１７からの光の多くを広角に屈折させつつ出射させるなどすることができる。
【０３１９】
反射シート６３８は、表面が光の反射性に優れた白色を呈するものとされており、図５６から図５９に示すように、シャーシ６１１４の内面をほぼ全域にわたって覆う大きさ、つまり底部６１１４ａに沿って平面配置された全ＬＥＤ基板６１１８を一括して覆う大きさを有している。この反射シート６３８によりシャーシ６１１４内の光を表側（光出射側、光学部材６１１５側）に向けて反射させることができるようになっている。反射シート６３８は、全体としては略擂鉢状をなしており、ＬＥＤ基板６１１８及び底部６１１４ａに倣って延在するとともに各ＬＥＤ基板６１１８を一括してそのほぼ全域を覆う大きさの底側反射部６３８ａと、底側反射部６３８ａの各外端から表側に立ち上がるとともに底側反射部６３８ａに対して傾斜状をなす４つの立ち上がり反射部６３８ｂと、各立ち上がり反射部６３８ｂの外端から外向きに延出するとともにシャーシ６１１４の側部６１１４ｃの第１段部６１１４ｃ１に載せられる延出部（外縁部）６３８ｃと、から構成されている。
【０３２０】
反射シート６３８の底側反射部６３８ａは、図５７から図５９に示すように、各ＬＥＤ基板６１１８における表側の面、つまりＬＥＤ６１１７の実装面６１１８ａに対して表側に重なるよう配される。底側反射部６３８ａは、シャーシ６１１４の底部６１１４ａ及び光学部材６１１５の板面に並行する形で延在する構成とされているため、光学部材６１１５までのＺ軸方向についての間隔が面内の全域にわたってほぼ一定とされている。底側反射部６３８ａには、各ＬＥＤ６１１７と平面に視て重畳する位置に各ＬＥＤ６１１７及び各拡散レンズ６３７を個別に挿通する挿通孔（光源挿通孔）６３８ｄが開口して設けられている。この挿通孔６３８ｄは、各ＬＥＤ６１１７及び各拡散レンズ６３７の配置に対応してＸ軸方向及びＹ軸方向について行列状（マトリクス状）に複数が並んで配置されている。このように底側反射部６３８ａは、平面に視てＬＥＤ６１１７及び拡散レンズ６３７と重畳する配置とされており、反射シート６３８の中の「ＬＥＤ配置領域（光源配置領域）」である、と言える。立ち上がり反射部６３８ｂは、立ち上がり基端位置から立ち上がり先端位置に至るまで直線状をなす形で底側反射部６３８ａ及び光学部材６１１５の板面に対して傾斜状をなしている。従って、立ち上がり反射部６３８ｂと光学部材６１１５との間のＺ軸方向についての間隔は、立ち上がり基端位置から立ち上がり先端位置へ向けて連続的に漸次減少するものとされており、立ち上がり基端位置にて最大（底側反射部６３８ａと光学部材６１１５との間のＺ軸方向についての間隔とほぼ等しい大きさ）となり、立ち上がり先端位置にて最小となっている。立ち上がり反射部６３８ｂは、平面に視てＬＥＤ６１１７とは非重畳となる配置とされており、反射シート６３８の中の「ＬＥＤ非配置領域（光源非配置領域）」である、と言える。
【０３２１】
さて、本実施形態に係る再帰反射部６１３１は、図６０及び図６１に示すように、反射シート６３８における立ち上がり反射部６３８ｂとは非重畳とされて立ち上がり反射部６３８ｂの外端位置よりも外側に配されている。詳しくは、再帰反射部６１３１は、波長変換シート６１２０の中央側部分６１２９とは非重畳とされて外周側部分６１３０に対して全周にわたって表側に重なる形で配されていて、反射シート６３８のうち各立ち上がり反射部６３８ｂに対して平面に視て外側に配された各延出部６３８ｃに対してそれぞれ重畳する配置とされている。このような構成によれば、波長変換シート６１２０の外周側部分６１３０付近に存在する光の一部を再帰反射部６１３１により裏側に再帰反射させることができるので、その再帰反射した光が再び波長変換シート６１２０を透過して波長変換され易くなる。これにより、シャーシ６１１４の側部６１１４ｃと反射シート６３８の延出部６３８ｃとの間に生じた隙間や拡散板６３９と延出部６３８ｃとの間に生じた隙間などから光が漏れ出した場合でも、バックライト装置６１１２の外周側において出射光がＬＥＤ６１１７と同系色の色味、つまり青色味を帯び難いものとなり、もって色ムラを抑制することができる。
【０３２２】
ここで、波長変換シート６１２０を透過した光は、その全てがそのままバックライト装置６１１２の出射光として利用されるとは限らず、再帰反射されて反射シート６３８側に戻されるなどした後にバックライト装置６１１２の出射光として利用される場合もある。この再帰反射光は、バックライト装置６１１２のうち反射シート６３８の底側反射部６３８ａが配される中央側よりも立ち上がり反射部６３８ｂが配される外周側の方が再帰反射回数が多くなりがちとされるため、波長変換シート６１２０を通過する回数が多くなり、波長変換される確率が高いものとされる。これに対し、再帰反射部６１３１は、立ち上がり反射部６３８ｂとは非重畳とされて立ち上がり反射部６３８ｂの外端位置よりも外側に配されているから、立ち上がり反射部６３８ｂによる反射光が過剰に再帰反射され難いものとなる。これにより、バックライト装置６１１２における立ち上がり反射部６３８ｂ付近の出射光がＬＥＤ６１１７の発光光の補色となる色味（波長変換シート６１２０にて波長変換された光の色味）、つまり黄色味を帯び難いものとなり、色ムラの抑制を図る上で好適となる。しかも、再帰反射部６１３１は、波長変換シート６１２０の外周側部分６１３０における全周にわたって延在する形で配されているから、バックライト装置６１１２の構成部材間の隙間が周方向についてどの位置に生じた場合であってもその隙間から生じ得る光漏れに起因する色ムラを好適に抑制することができる。
【０３２３】
本実施形態は以上のような構造であり、続いてその作用を説明する。上記した構成の液晶表示装置６１１０の電源をＯＮすると、図示しないコントロール基板のパネル制御回路により液晶パネル６１１１の駆動が制御されるとともに、図示しないＬＥＤ駆動回路基板のＬＥＤ駆動回路からの駆動電力がＬＥＤ基板６１１８の各ＬＥＤ６１１７に供給されることでその駆動が制御される。点灯された各ＬＥＤ６１１７からの光は、図５８及び図５９に示すように、直接的に光学部材６１１５に照射されたり、反射シート６３８により反射されて間接的に光学部材６１１５に照射されたりして光学部材６１１５にて所定の光学作用が付与された後に液晶パネル６１１１へと照射されることで、液晶パネル６１１１の表示領域にて画像の表示に利用される。以下、バックライト装置６１１２に係る作用について詳しく説明する。
【０３２４】
各ＬＥＤ６１１７から発せられた青色の光は、図５８及び図５９に示すように、光学部材６１１５を構成する拡散板６３９にて拡散作用を付与された後に、青色の光の一部が波長変換シート６１２０にて緑色の光及び赤色の光へと波長変換される。この波長変換された緑色の光及び赤色の光（二次光）と、ＬＥＤ６１１７の青色の光（一次光）と、によって概ね白色の照明光が得られることになる。これらＬＥＤ６１１７の青色の光と、波長変換された緑色の光及び赤色の光と、は、マイクロレンズシート６１２１にてＸ軸方向及びＹ軸方向について等方的に集光作用（等方性集光作用）が付与された後に、プリズムシート６１２２にてＹ軸方向について選択的に集光作用（異方性集光作用）が付与される。その後、プリズムシート６１２２を出射した光は、反射型偏光シート６１２３にて特定の偏光光（ｐ波）が選択的に透過されて液晶パネル６１１１に向けて出射するのに対し、それとは異なる特定の偏光光（ｓ波）が選択的に裏側へと反射される。反射型偏光シート６１２３にて反射されたｓ波や、マイクロレンズシート６１２１及びプリズムシート６１２２にて集光作用を付与されずに裏側へと反射された光や、拡散板６３９にて裏側へ向けて反射された光などは、反射シート６３８にて再び反射されて再び表側へ向けて進行することになる。以上のように直下型のバックライト装置６１１２によれば、ＬＥＤ６１１７からの光がエッジライト型で用いられる導光板などの部材を介することなく出射されるから、光の利用効率が優れたものとなる。
【０３２５】
ＬＥＤ６１１７から発せられた光は、上記した出光経路を辿ってバックライト装置６１１２の出射光として利用されることになる。ここで、バックライト装置６１１２における外周側ではその構成部材間に隙間が生じ得るものとされるため、そのような隙間から光が漏れ出すことが懸念される。具体的には、シャーシ６１１４の側部６１１４ｃと反射シート６３８の延出部６３８ｃとの間や拡散板６３９と延出部６３８ｃとの間などには、構成部材間に生じるがたつきなどに起因して隙間が生じる可能性があり、そのような隙間が生じるとそこから波長変換シート６１２０にて未だ変換されていない青色の光が漏れ出してしまい、バックライト装置６１１２の外周側では中央側に比べると青色味を帯びた色ムラが視認されることが懸念される。その点、本実施形態に係る波長変換シート６１２０には、図６０及び図６１に示すように、中央側部分６１２９とは非重畳とされるものの外周側部分６１３０に重畳する形で再帰反射部６１３１が積層配置されているから、外周側部分６１３０付近に存在する光の一部を再帰反射部６１３１によって裏側に再帰反射させることができる。この再帰反射部６１３１により再帰反射される光は、上記のような漏れ光が含まれるのは勿論のこと、漏れ光ではない未変換の青色の光も含まれる。再帰反射部６１３１にて裏側に再帰反射された光は、再び波長変換シート６１２０を透過して波長変換され易くなるので、上記のような隙間から光が漏れ出した場合でも、バックライト装置６１１２の外周側において出射光がＬＥＤ６１１７と同系色の色味、つまり青色味を帯び難いものとなり、もって色ムラを抑制することができる。
【０３２６】
また、反射シート６３８を構成する立ち上がり反射部６３８ｂは、底側反射部６３８ａよりも光学部材６１１５までの距離が短いものとされているから、立ち上がり反射部６３８ｂによる反射光が底側反射部６３８ａによる反射光よりも再帰反射回数、つまり波長変換シート６１２０の通過回数が多くなる傾向にある。これに対し、再帰反射部６１３１は、反射シート６３８のうち立ち上がり反射部６３８ｂとは非重畳とされて立ち上がり反射部６３８ｂの外端位置よりも外側（延出部６３８ｃと重畳する位置）に配されているので、立ち上がり反射部６３８ｂによる反射光が過剰に再帰反射され難いものとなる。これにより、バックライト装置６１１２における立ち上がり反射部６３８ｂ付近の出射光が黄色味を帯び難いものとなり、色ムラの抑制を図る上で好適となる。
【０３２７】
以上説明したように本実施形態によれば、シャーシ６１１４は、ＬＥＤ６１１７に対してその発光面６１１７ａ側とは反対側に配される底部６１１４ａを有しており、ＬＥＤ６１１７からの光を反射する反射シート（反射部材）６３８であって、底部６１１４ａに倣う形で配される底側反射部６３８ａと、底側反射部６３８ａから出光側に向けて立ち上がる立ち上がり反射部６３８ｂと、を少なくとも有する反射シート６３８を備えており、波長変換シート６１２０は、ＬＥＤ６１１７の発光面６１１７ａと対向状をなす形で出光側に離れて配されている。このようにすれば、シャーシ６１１４に収容されたＬＥＤ６１１７から発せられる光は、反射シート６３８を構成する底側反射部６３８ａ及び立ち上がり反射部６３８ｂにより反射されるなどしてＬＥＤ６１１７の発光面６１１７ａと対向状をなす形で出光側に離れて配される波長変換シート６１２０に含有される蛍光体によって波長変換されて出射される。このような直下型のバックライト装置６１１２によれば、ＬＥＤ６１１７からの光がエッジライト型で用いられる導光板などの部材を介することなく出射されるから、光の利用効率が優れたものとなる。
【０３２８】
また、再帰反射部６３１は、立ち上がり反射部６３８ｂとは非重畳とされて立ち上がり反射部６３８ｂの外端位置よりも外側に配されている。波長変換シート６１２０を透過した光は、その全てがそのまま当該バックライト装置６１１２の出射光として利用されるとは限らず、再帰反射されて反射シート６３８側に戻されるなどした後に当該バックライト装置６１１２の出射光として利用される場合もある。この再帰反射光は、当該バックライト装置６１１２のうち反射シート６３８の底側反射部６３８ａが配される中央側よりも立ち上がり反射部６３８ｂが配される外周側の方が再帰反射回数が多くなりがちとされるため、波長変換シート６１２０を通過する回数が多くなり、波長変換される確率が高いものとされる。これに対し、再帰反射部６３１は、立ち上がり反射部６３８ｂとは非重畳とされて立ち上がり反射部６３８ｂの外端位置よりも外側に配されているから、立ち上がり反射部６３８ｂによる反射光が過剰に再帰反射され難いものとなる。
【０３２９】
＜実施形態２７＞
本発明の実施形態２７を図６２によって説明する。この実施形態２７では、上記した実施形態２５から再帰反射部の構成を変更したものを示す。なお、上記した実施形態２５と同様の構造、作用及び効果について重複する説明は省略する。
【０３３０】
本実施形態に係る再帰反射部６２３１は、図６２に示すように、光に屈折作用を付与するマイクロレンズ部（屈折光学素子）６４０を有している。詳しくは、再帰反射部６２３１は、シート状（フィルム状）をなす基材６２３２と、基材６２３２における表側の板面に設けられるマイクロレンズ部６４０と、を有する構成とされる。このうちのマイクロレンズ部６４０は、Ｘ軸方向及びＹ軸方向に沿って多数ずつマトリクス状（行列状）に並ぶ形で平面配置される単位マイクロレンズ６４０ａから構成されている。単位マイクロレンズ６４０ａは、平面に視て略円形をなすとともに全体として略半球状をなす凸レンズとされる。この再帰反射部６２３１は、一般的な光学部材の一種であるマイクロレンズシート（例えば実施形態２５に記載したマイクロレンズシート６２１）と同様の構造を有していることから、そのような一般的な光学部材を用いて製造することができ、もって製造コストの低廉化を図る上で好適とされる。
【０３３１】
再帰反射部６２３１を構成するマイクロレンズ部６４０は、図示しない波長変換シートの外周側部分付近に存在する光を屈折させることでその一部を裏側に再帰反射することができる。これにより、バックライト装置の構成部材間に生じた隙間から光漏れが生じた場合に生じ得る色ムラを好適に抑制することができる。しかも、マイクロレンズ部６４０は、光を殆ど吸収することなく屈折させてその一部を裏側に再帰反射させているので、光の利用効率が高いものとなる。また、マイクロレンズ部６４０が光を殆ど吸収することがないので、光の吸収に伴う性能劣化が経時的に進行し難いものとされ、製品寿命の長寿命化などを図る上で好適とされる。
【０３３２】
以上説明したように本実施形態によれば、再帰反射部６２３１は、光を屈折させるマイクロレンズ部（屈折光学素子）６４０を有している。このようにすれば、波長変換シートの外周側部分付近に存在する光を再帰反射部６２３１のマイクロレンズ部６４０によって屈折させることでその一部を出光側とは反対側に再帰反射させることができる。これにより、当該バックライト装置の構成部材間の隙間から光漏れが生じた場合に生じ得る色ムラを好適に抑制することができる。しかも、マイクロレンズ部６４０は、光を殆ど吸収することなく屈折させてその一部を出光側とは反対側に再帰反射させるので、光の利用効率が高いものとなり、また経時的な性能劣化が生じ難いものとされる。
【０３３３】
＜実施形態２８＞
本発明の実施形態２８を図６３によって説明する。この実施形態２８では、上記した実施形態２５から再帰反射部の構成を変更したものを示す。なお、上記した実施形態２５と同様の構造、作用及び効果について重複する説明は省略する。
【０３３４】
本実施形態に係る再帰反射部６３３１は、図６３に示すように、光に屈折作用を付与するプリズム部（屈折光学素子）６４１を有している。詳しくは、再帰反射部６３３１は、シート状（フィルム状）をなす基材６３３２と、基材６３３２における表側の板面に設けられるプリズム部６４１と、を有する構成とされる。このうちのプリズム部６４１は、Ｘ軸方向またはＹ軸方向に沿って延在するとともにＹ軸方向またはＸ軸方向に沿って多数並んで配される単位プリズム６４１ａから構成されている。単位プリズム６４１ａは、平面に視てＸ軸方向またはＹ軸方向に並行するレール状（線状）をなすとともにＹ軸方向またはＸ軸方向に沿った断面形状が略二等辺三角形状とされる。この再帰反射部６３３１は、一般的な光学部材の一種であるプリズムシート（例えば実施形態２５に記載したプリズムシート６２２）と同様の構造を有していることから、そのような一般的な光学部材を用いて製造することができ、もって製造コストの低廉化を図る上で好適とされる。
【０３３５】
再帰反射部６３３１を構成するプリズム部６４１は、図示しない波長変換シートの外周側部分付近に存在する光を屈折させることでその一部を裏側に再帰反射することができる。これにより、バックライト装置の構成部材間に生じた隙間から光漏れが生じた場合に生じ得る色ムラを好適に抑制することができる。しかも、プリズム部６４１は、光を殆ど吸収することなく屈折させてその一部を裏側に再帰反射させているので、光の利用効率が高いものとなる。また、プリズム部６４１が光を殆ど吸収することがないので、光の吸収に伴う性能劣化が経時的に進行し難いものとされ、製品寿命の長寿命化などを図る上で好適とされる。
【０３３６】
＜実施形態２９＞
本発明の実施形態２９を図６４によって説明する。この実施形態２９では、上記した実施形態２５から再帰反射部の構成を変更したものを示す。なお、上記した実施形態２５と同様の構造、作用及び効果について重複する説明は省略する。
【０３３７】
本実施形態に係る再帰反射部６４３１は、図６４に示すように、波長変換シート６４２０の外周側部分６４３０のうち、ＬＥＤ６４１７及びＬＥＤ基板６４１８側の長辺部分を除いた部分、つまり一対の短辺部分と、ＬＥＤ６４１７及びＬＥＤ基板６４１８側とは反対側の長辺部分と、に選択的に重畳する形で配されている。波長変換シート６４２０の外周側部分６４３０は、ＬＥＤ６４１７及びＬＥＤ基板６４１８側の長辺部分が図示しない導光板の入光端面に並行する部分とされるのに対し、それ以外の部分が導光板の非入光端面に並行する部分とされる。従って、再帰反射部６４３１は、波長変換シート６４２０の外周側部分６４３０のうち、導光板の非入光端面に並行する部分のみに選択的に重なる配置とされる。このような構成によれば、波長変換シート６４２０の外周側部分６４３０のうち導光板の非入光端面に並行する部分付近に存在する光の一部を再帰反射部６４３１により裏側に再帰反射させることができる。従って、導光板内を伝播する光が導光板の非入光端面から出射してバックライト装置の構成部材間の隙間から漏れ出した場合であっても、色ムラの発生を好適に抑制することができる。なお、図６４では、ＬＥＤ６４１７、ＬＥＤ基板６４１８及び波長変換シート６４２０を二点鎖線により図示している。
【０３３８】
＜他の実施形態＞
本発明は上記記述及び図面によって説明した実施形態に限定されるものではなく、例えば次のような実施形態も本発明の技術的範囲に含まれる。
【０３３９】
（１）上記実施形態１，３，５では、補色部２２をフレーム１６に対して、両面粘着テープ等の固定部材を介して貼り付け、また、上記実施形態２，４，６では、補色部２３を反射シート２０Ａに対して、両面粘着テープ等の固定部材を介して貼り付けていたが、本発明はこれに限られない。例えば、フレーム１６の枠部１６１や、反射シート２０Ａの端部に対して、直接、所定の色（ＬＥＤ１７の一次光が呈する青色（基準色）と補色の関係にある色）の塗料を塗布して、補色部２２及び補色部２３を形成してもよい。
【０３４０】
（２）上記実施形態１〜６では、各補色部として、連続的な長手形状のものを利用したが、本発明はこれに限れず、例えば、各ＬＥＤ１７の前方のみに、部分的に補色部を設けてもよい。
【０３４１】
（３）上記実施形態１〜６において、補色部は、基材の表面に塗料を塗布してなるものとされる場合を示したが、補色部を、例えば、半透明の基材などの透光性を有する基材（例えば、セロハン）に特定の波長領域の光を選択的に吸収する色素を所定の濃度でもって含有させてなるものとすることも可能である。
【０３４２】
（４）上記各実施形態では、光源として青色の単色光を発するＬＥＤを用いた場合を示したが、光源として青色以外の色の光を発するＬＥＤを用いることも可能であり、その場合は補色部が呈する色もＬＥＤの光の色に応じて変更すればよい。例えば、マゼンタ色の光を発するＬＥＤを用いるとともに、補色部として表面が緑色を呈するものを用いることができる。この場合は、蛍光体シート（波長変換部材）に含有させる蛍光体として緑色蛍光体を用いれば、照明装置の出射光を白色化することができる。
【０３４３】
（５）上記（４）以外にも、紫色の光を発するＬＥＤを用いるとともに、補色部として表面が黄緑色を呈するものを用いることができる。この場合、蛍光体シート（波長変換部材）に含有させる蛍光体として黄色蛍光体及び緑色蛍光体を所定の含有比率でもって用いれば、照明装置の出射光を白色化することができる。
【０３４４】
（６）上記（４），（５）以外にも、シアン色の光を発するＬＥＤを用いるとともに、補色部として表面が赤色を呈するものを用いることができる。この場合は、蛍光体シート（波長変換部材）に含有させる蛍光体として赤色蛍光体を用いれば、照明装置の出射光を白色化することができる。
【０３４５】
（７）上記各実施形態１〜６では、蛍光体シート及び蛍光体チューブ（波長変換部材）に、蛍光体として、量子ドット蛍光体を含有させていたが、他の実施形態においては、他の種類の蛍光体を蛍光体シート及び蛍光体チューブ（波長変換部材）に含有させるようにしても構わない。例えば、光体シート及び蛍光体チューブ（波長変換部材）に含有させる蛍光体として硫化物蛍光体を用いることができ、具体的には緑色蛍光体としてＳｒＧａ２Ｓ４：Ｅｕ２＋を、赤色蛍光体として（Ｃａ，Ｓｒ，Ｂａ）Ｓ：Ｅｕ２＋を、それぞれ用いることが可能である。
【０３４６】
（８）上記（７）以外にも、蛍光体シート及び蛍光体チューブ（波長変換部材）に含有させる緑用蛍光体を、（Ｃａ，Ｓｒ，Ｂａ）３ＳｉＯ４：Ｅｕ２＋、β−ＳｉＡｌＯＮ：Ｅｕ２＋、Ｃａ３Ｓｃ２Ｓｉ３Ｏ１２：Ｃｅ３＋等とすることができる。また、蛍光体シート及び蛍光体チューブ（波長変換部材）に含有させる赤色用蛍光体を、（Ｃａ，Ｓｒ，Ｂａ）２ＳｉＯ５Ｎ８：Ｅｕ２＋、ＣａＡｌＳｉＮ３：Ｅｕ２＋等とすることができる。さらには、蛍光体シート及び蛍光体チューブ（波長変換部材）に含有させる黄色用蛍光体を、（Ｙ，Ｇｄ）３（Ａｌ，Ｇａ）５Ｏ１２：Ｃｅ３＋（通称 ＹＡＧ：Ｃｅ３＋）、α−ＳｉＡｌＯＮ：Ｅｕ２＋、（Ｃａ，Ｓｒ，Ｂａ）３ＳｉＯ４：Ｅｕ２＋等とすることができる。それ以外にも、蛍光体シート及び蛍光体チューブ（波長変換部材）に含有させる蛍光体として、複フッ化物蛍光体（マンガン付活のケイフッ化カリウム（Ｋ２ＴｉＦ６）等）を用いることも可能である。
【０３４７】
（９）上記（７），（８）以外にも、蛍光体シート及び蛍光体チューブ（波長変換部材）に含有させる蛍光体として有機蛍光体を用いることができる。有機蛍光体としては、例えばトリアゾール又はオキサジアゾールを基本骨格とした低分子の有機蛍光体を用いることができる。
【０３４８】
（１０）上記した（７），（８），（９）以外にも、蛍光体シート及び蛍光体チューブ（波長変換部材）に含有させる蛍光体としてドレスト光子（近接場光）を介したエネルギー移動によって波長変換を行う蛍光体を用いることも可能である。この種の蛍光体としては、具体的には、直径３ｎｍ〜５ｎｍ（好ましくは４ｎｍ程度）の酸化亜鉛量子ドット（ＺｎＯ−ＱＤ）にＤＣＭ色素を分散・混合させた構成の蛍光体を用いるのが好ましい。
【０３４９】
（１１）上記した実施形態７〜１８では、端面波長変換シート（波長変換部材）及び端面反射シートが導光板の外周端面を構成する各辺部における全長にわたって重なる長さを有する場合を例示したが、端面波長変換シート（波長変換部材）及び端面反射シートが導光板の外周端面を構成する各辺部における全長に満たない長さを有する構成を採ることも可能である。つまり、端面波長変換シート（波長変換部材）及び端面反射シートが導光板の外周端面を構成する各辺部に対して長さ方向について部分的に重なる構成であっても構わない。その場合、導光板の外周端面のうち、四隅の角部に対して端面波長変換シート（波長変換部材）及び端面反射シートが選択的に重なる構成を採るのが特に好ましい。
【０３５０】
（１２）上記した実施形態７〜１８では、端面波長変換シート（波長変換部材）及び端面反射シートが導光板の外周端面を構成する各辺部における全高にわたって重なる幅を有する場合を例示したが、端面波長変換シート（波長変換部材）及び端面反射シートが導光板の外周端面を構成する各辺部における全高に満たない幅を有する構成を採ることも可能である。つまり、端面波長変換シート（波長変換部材）及び端面反射シートが導光板の外周端面を構成する各辺部に対して高さ方向について部分的に重なる構成であっても構わない。
【０３５１】
（１３）上記した実施形態７〜１８では、シャーシとは別途に端面反射シートを設けるようにした場合を例示したが、端面反射シートを省略するとともに、シャーシのうち少なくとも側部を光の反射性に優れた白色などとし、当該側部により端面波長変換シートを透過した光を反射して導光板側に戻すような構成を採ることも可能である。つまり、端面波長変換シートに対してシャーシのうちの光反射性を有する側部を外側（非入光端面側とは反対側）に重なる形で配すれば、端面反射シートを省略することが可能となる。その場合、光反射性を有する側部を端面波長変換シートに対して接する形で配置するのが好ましいものとされる。
【０３５２】
（１４）上記した実施形態７〜１８に記載した導光板側接着層や端面反射シート側接着層の具体例としては、例えばＯＣＡなどの透明光学粘着フィルム、ほぼ透明な接着剤、ほぼ透明な光硬化性樹脂（紫外線硬化性樹脂などを含む）、ほぼ透明な両面テープなどを用いることが可能であり、それ以外にも適宜に変更可能である。
【０３５３】
（１５）上記した実施形態７〜１８では、板面波長変換シートと端面波長変換シートとを同一の母材から得た場合を例示したが、板面波長変換シートと端面波長変換シートとを異なる母材から得るようにしてもよい。その場合、板面波長変換シートと端面波長変換シートとで、各蛍光体の含有量、各蛍光体の含有比率、各蛍光体の種類、各蛍光体が発する蛍光光が呈する色味（具体的には、発光スペクトルのピーク波長や半値幅など）などが多少異なっていても構わない。つまり、端面波長変換シートは、二次光が板面波長変換シートと同系色であれば、その色味が多少異なっていても構わない。
【０３５４】
（１６）上記した実施形態９〜１１において、端面波長変換部材により波長変換される二次光の色味は、板面波長変換シートに係る二次光と同系色であれば、板面波長変換シートに係る二次光の色味と多少異なっていても構わない。
【０３５５】
（１７）上記した実施形態９〜１１では、端面波長変換部材を導光板の非入光端面と端面反射シートとのいずれか一方のみに塗布して設けるようにした場合を示したが、端面波長変換部材を導光板の非入光端面と端面反射シートとの両方にそれぞれ塗布して設けるようにしてもよい。
【０３５６】
（１８）上記した実施形態１２では、板面波長変換シート及び端面波長変換シートを一部品化した場合を示したが、板面波長変換シートと端面波長変換シートとのいずれか一方のみを一部品化するようにしても構わない。
【０３５７】
（１９）上記した実施形態１３では、反対端面波長変換シートを省略するものの、端面反射シートについては実施形態１と同様に配置した場合を示したが、反対端面反射シートを省略することも可能である。
【０３５８】
（２０）上記した実施形態８に記載した構成を、実施形態９，１２〜１６に記載した構成に組み合わせることも可能である。上記した実施形態９に記載した構成を、実施形態１２〜１６に記載した構成に組み合わせることも可能である。上記した実施形態１０に記載した構成を、実施形態１２〜１６に記載した構成に組み合わせることも可能である。上記した実施形態１１に記載した構成を、実施形態１２〜１６に記載した構成に組み合わせることも可能である。上記した実施形態１２に記載した構成を、実施形態１５に記載した構成に組み合わせることも可能である。上記した実施形態１３に記載した構成を、実施形態１５に記載した構成に組み合わせることも可能である。上記した実施形態１４に記載した構成を、実施形態１５に記載した構成に組み合わせることも可能である。
【０３５９】
（２１）上記した実施形態７〜１８では、光源として青色の単色光を発するＬＥＤを用いた場合を示したが、光源として青色以外の色の光を発するＬＥＤを用いることも可能であり、その場合は板面波長変換シート及び端面波長変換シート（端面波長変換部材）に含有させる蛍光体が呈する色もＬＥＤの光の色に応じて変更すればよい。例えば、マゼンタ色の光を発するＬＥＤを用いる場合には、板面波長変換シート及び端面波長変換シート（端面波長変換部材）に含有させる蛍光体としてマゼンダ色の補色となる緑色を呈する緑色蛍光体を用いるようにすれば、バックライト装置の照明光（出射光）を白色化することができる。
【０３６０】
（２２）上記した実施形態では、板面波長変換シート及び端面波長変換シート（端面波長変換部材）が緑色蛍光体及び赤色蛍光体を含む構成とされる場合を示したが、板面波長変換シート及び端面波長変換シート（端面波長変換部材）に黄色蛍光体のみを含ませた構成としたり、黄色蛍光体に加えて赤色蛍光体や緑色蛍光体を含ませた構成としたりすることも可能である。特に、上記した実施形態３〜５に記載した端面波長変換部材に含有させる黄色蛍光体については、(Ｙ，Ｇｄ) 3 (Ａｌ，Ｇａ) 5Ｏ12：Ｃｅ3+（通称 ＹＡＧ：Ｃｅ3+）、α−ＳｉＡｌＯＮ：Ｅｕ2+、(Ｃａ，Ｓｒ，Ｂａ) 3ＳｉＯ4：Ｅｕ2+などを用いることができる。
【０３６１】
（２３）上記した実施形態（実施形態９〜１１を除く）では、板面波長変換シート及び端面波長変換シートに含まれる蛍光体として用いた量子ドット蛍光体をＣｄＳｅ及びＺｎＳからなるコア・シェル型とした場合を例示したが、内部組成を単一組成としたコア型量子ドット蛍光体を用いることも可能である。例えば、２価の陽イオンになるＺｎ、Ｃｄ、Ｈｇ、Ｐｂ等と２価の陰イオンになるＯ、Ｓ、Ｓｅ、Ｔｅ等とを組み合わせた材料（ＣｄＳｅ、ＣｄＳ、ＺｎＳ）を単独で用いることが可能である。さらには、３価の陽イオンとなるＧａ、Ｉｎ等と３価の陰イオンとなるＰ、Ａｓ、Ｓｂ等とを組み合わせた材料（ＩｎＰ（リン化インジウム）、ＧａＡｓ（ヒ化ガリウム）等）やカルコパイライト型化合物（ＣｕＩｎＳｅ2等）などを単独で用いることも可能である。また、コア・シェル型やコア型の量子ドット蛍光体以外にも、合金型の量子ドット蛍光体を用いることも可能である。また、カドミウムを含有しない量子ドット蛍光体を用いることも可能である。
【０３６２】
（２４）上記した実施形態（実施形態９〜１１を除く）では、板面波長変換シート及び端面波長変換シートに含まれる蛍光体として用いた量子ドット蛍光体をＣｄＳｅ及びＺｎＳのコア・シェル型とした場合を例示したが、他の材料同士を組み合わせてなるコア・シェル型の量子ドット蛍光体を用いることも可能である。
【０３６３】
（２５）上記した実施形態では、板面波長変換シート及び端面波長変換シートに量子ドット蛍光体を含有させた構成のものを例示したが、他の種類の蛍光体を板面波長変換シート及び端面波長変換シートに含有させるようにしても構わない。例えば、板面波長変換シート及び端面波長変換シートに含有させる蛍光体として硫化物蛍光体を用いることができ、具体的には緑色蛍光体としてＳｒＧａ2Ｓ4：Ｅｕ2+を、赤色蛍光体として（Ｃａ，Ｓｒ，Ｂａ）Ｓ：Ｅｕ2+を、それぞれ用いることが可能である。
【０３６４】
（２６）上記した（２５）以外にも、板面波長変換シート及び端面波長変換シートに含有させる緑色蛍光体を、(Ｃａ，Ｓｒ，Ｂａ) 3ＳｉＯ4：Ｅｕ2+、β−ＳｉＡｌＯＮ：Ｅｕ2+、Ｃａ3Ｓｃ2Ｓｉ3Ｏ12：Ｃｅ3+などとすることができる。また、板面波長変換シート及び端面波長変換シートに含有させる赤色蛍光体を、(Ｃａ，Ｓｒ，Ｂａ) 2ＳｉＯ5Ｎ8：Ｅｕ2+、ＣａＡｌＳｉＮ3：Ｅｕ2+などとすることができる。さらには、板面波長変換シート及び端面波長変換シートに含有させる黄色蛍光体を、(Ｙ，Ｇｄ) 3 (Ａｌ，Ｇａ) 5Ｏ12：Ｃｅ3+（通称 ＹＡＧ：Ｃｅ3+）、α−ＳｉＡｌＯＮ：Ｅｕ2+、(Ｃａ，Ｓｒ，Ｂａ) 3ＳｉＯ4：Ｅｕ2+などとすることができる。それ以外にも、板面波長変換シート及び端面波長変換シートに含有させる蛍光体として、複フッ化物蛍光体（マンガン付活のケイフッ化カリウム（Ｋ2ＴｉＦ6）など）を用いることも可能である。
【０３６５】
（２７）上記した（２５），（２６）以外にも、板面波長変換シート及び端面波長変換シートに含有させる蛍光体として有機蛍光体を用いることができる。有機蛍光体としては、例えばトリアゾールまたはオキサジアゾールを基本骨格とした低分子の有機蛍光体を用いることができる。
【０３６６】
（２８）上記した（２５），（２６），（２７）以外にも、板面波長変換シート及び端面波長変換シートに含有させる蛍光体としてドレスト光子（近接場光）を介したエネルギー移動によって波長変換を行う蛍光体を用いることも可能である。この種の蛍光体としては、具体的には、直径３ｎｍ〜５ｎｍ（好ましくは４ｎｍ程度）の酸化亜鉛量子ドット（ＺｎＯ−ＱＤ）にＤＣＭ色素を分散・混合させた構成の蛍光体を用いるのが好ましい。
【０３６７】
（２９）上記実施形態１９〜２４では、導光板の各端面のうち、長辺側の端面の１つを光入射面として設定していたが、これに限られず、例えば、２つの長辺側の端面を光入射面としてもよいし、１つ又は２つの短辺側の端面を光入射面としてもよい。
【０３６８】
（３０）上記実施形態１９〜２４では、第１の補色部材５２３等と、第２の補色部材５２４等とをそれぞれ別々に使用したが、これに限られず、例えば、第１の補色部材５２３と、第２の補色部材５２４とを併用してもよい。
【０３６９】
（３１）上記実施形態１９〜２４では、第１の補色部材２３等及び第２の補色部材２４等は、導光板１９に対する位置ずれ等を防止するため、両面粘着テープ等の固定手段を利用して部分的に固定することにより、導光板１９や反射シート２０等に対して位置決めされてもよい。
【０３７０】
（３２）上記実施形態１９〜２４では、一次光を出射する光源として青色の単色光を発するＬＥＤを用いた場合を示したが、光源として青色以外の色の光を発するＬＥＤを用いることも可能である。例えば、マゼンタ色の光を一次光として発するＬＥＤを用いることができる。この場合、蛍光体シート（波長変換部材）、及び補色部材に含有させる蛍光体として緑色蛍光体を用いれば、照明装置の出射光を白色化することができる。
【０３７１】
（３３）上記実施形態１９〜２４において、蛍光体シート（波長変換部材）、及び補色部材に含まれる蛍光体として用いた量子ドット蛍光体は、コア・シェル型であってもよいし、内部組成を単一組成としたコア型量子ドット蛍光体であってもよい。
【０３７２】
（３４）上記実施形態１９〜２４では、蛍光体シート（波長変換部材）、及び補色部材に、蛍光体として、量子ドット蛍光体を含有させていたが、他の実施形態においては、他の種類の蛍光体を蛍光体シート（波長変換部材）、及び補色部材に含有させるようにしても構わない。例えば、蛍光体シート（波長変換部材）、及び補色部材に含有させる蛍光体として硫化物蛍光体を用いることができ、具体的には緑色蛍光体としてＳｒＧａ２Ｓ４：Ｅｕ２＋を、赤色蛍光体として（Ｃａ，Ｓｒ，Ｂａ）Ｓ：Ｅｕ２＋を、それぞれ用いることが可能である。
【０３７３】
（３５）上記（３４）以外にも、蛍光体シート（波長変換部材）、及び補色部材に含有させる緑用蛍光体を、(Ｃａ，Ｓｒ，Ｂａ)３ＳｉＯ４：Ｅｕ２＋、β−ＳｉＡｌＯＮ：Ｅｕ２＋、Ｃａ３Ｓｃ２Ｓｉ３Ｏ１２：Ｃｅ３＋等とすることができる。また、蛍光体シート（波長変換部材）、及び補色部材に含有させる赤色用蛍光体を、(Ｃａ，Ｓｒ，Ｂａ)２ＳｉＯ５Ｎ８：Ｅｕ２＋、ＣａＡｌＳｉＮ３：Ｅｕ２＋等とすることができる。さらには、蛍光体シート（波長変換部材）、及び補色部材に含有させる黄色用蛍光体を、(Ｙ，Ｇｄ)３(Ａｌ，Ｇａ)５Ｏ１２：Ｃｅ３＋（通称 ＹＡＧ：Ｃｅ３＋）、α−ＳｉＡｌＯＮ：Ｅｕ２＋、(Ｃａ，Ｓｒ，Ｂａ)３ＳｉＯ４：Ｅｕ２＋等とすることができる。それ以外にも、蛍光体シート（波長変換部材）、及び補色部材に含有させる蛍光体として、複フッ化物蛍光体（マンガン付活のケイフッ化カリウム（Ｋ２ＴｉＦ６）等）を用いることも可能である。
【０３７４】
（３６）上記（３４），（３５）以外にも、蛍光体シート（波長変換部材）、及び補色部材に含有させる蛍光体として有機蛍光体を用いることができる。有機蛍光体としては、例えばトリアゾール又はオキサジアゾールを基本骨格とした低分子の有機蛍光体を用いることができる。
【０３７５】
（３７）上記した（３４），（３５），（３６）以外にも、蛍光体シート（波長変換部材）、及び補色部材に含有させる蛍光体としてドレスト光子（近接場光）を介したエネルギー移動によって波長変換を行う蛍光体を用いることも可能である。この種の蛍光体としては、具体的には、直径３ｎｍ〜５ｎｍ（好ましくは４ｎｍ程度）の酸化亜鉛量子ドット（ＺｎＯ−ＱＤ）にＤＣＭ色素を分散・混合させた構成の蛍光体を用いるのが好ましい
【０３７６】
（３８）実施形態２５〜２９では、再帰反射部が、光散乱粒子、マイクロレンズ部、またはプリズム部を有する構成を例示したが、これら以外にも、例えば再帰反射部が光を偏光反射する反射型偏光部（屈折光学素子）を有する構成を採ることも可能である。この反射型偏光部は、実施形態２５に記載した反射型偏光シートと同様の構成を有しているので、反射型偏光シートを用いて再帰反射部の製造を行うことができて製造コストの低廉化を図る上で好適とされる。また、再帰反射部が反射型偏光部以外の屈折光学素子を有する構成を採ることも可能である。
【０３７７】
（３９）実施形態２５〜２９では、再帰反射部が波長変換シートに対して表側に重なる配置とされる場合を例示したが、再帰反射部が波長変換シートに対して裏側に重なる配置とすることも可能である。
【０３７８】
（４０）実施形態２５〜２９では、再帰反射部が波長変換シートに対して直接重なる配置とされる場合を例示したが、再帰反射部が波長変換シートに対して他の光学部材（マイクロレンズシート、プリズムシート、反射型偏光シート、拡散板など）を介して重なる配置とすることも可能である。
【０３７９】
（４１）実施形態２５〜２９では、エッジライト型のバックライト装置において、再帰反射部がフレームの内端位置を内外に跨る範囲にわたって配される構成を例示したが、再帰反射部においてフレームの内端位置から内側に張り出す具体的な寸法などは適宜に変更することが可能である。また、再帰反射部の内端位置がフレームの内端位置と面一状とされる配置や再帰反射部の内端位置がフレームの内端位置よりも外側となる配置を採ることも可能である。
【０３８０】
（４２）上記した実施形態２５以外にも、各光学部材及び再帰反射部をフレームに対して位置決めする位置決め構造（位置決め部、第１被位置決め部及び第２被位置決め部）の具体的な設置数、平面配置、平面に視た大きさなどは適宜に変更可能である。
【０３８１】
（４３）上記した実施形態２９では、エッジライト型のバックライト装置において、再帰反射部が波長変換シートの外周側部分のうち導光板の非入光端面に並行する部分のみに選択的に配置された構成を例示したが、波長変換シートの外周側部分のうち導光板の一対の非入光側端面のみに並行する部分に選択的に再帰反射部を配置した構成を採ることも可能である。それ以外にも、波長変換シートの外周側部分のうち導光板の非入光反対端面のみに並行する部分に選択的に再帰反射部を配置した構成を採ることも可能である。
【０３８２】
（４４）実施形態２５〜２９では、ＬＥＤが青色ＬＥＤ素子を備える構成を示したが、青色ＬＥＤ素子に代えて可視光線である紫色の光を発する紫色ＬＥＤ素子を備えたＬＥＤや紫外線（例えば近紫外線）を発する紫外線ＬＥＤ素子（近紫外線ＬＥＤ素子）などを用いることも可能である。紫色ＬＥＤ素子または紫外線ＬＥＤ素子を備えるＬＥＤに組み合わせて用いられる波長変換シートには、赤色蛍光体、緑色蛍光体及び青色蛍光体を含有させるのが好ましいものとされる。それ以外にも、紫色ＬＥＤ素子または紫外線ＬＥＤ素子を備えるＬＥＤに組み合わせて用いられる波長変換シートには、赤色蛍光体、緑色蛍光体及び青色蛍光体の中から選択される１色または２色の蛍光体を含有させ、残りの２色または１色の蛍光体をＬＥＤの封止材に含有させるようにしてもよい。また、これら以外にも具体的な蛍光体の色などは適宜に変更可能である。
【０３８３】
（４５）実施形態２５〜２９では、ＬＥＤが青色ＬＥＤ素子を有し、波長変換シートが緑色蛍光体及び赤色蛍光体を有する構成を例示したが、ＬＥＤが青色ＬＥＤ素子に加えて赤色の光を発する赤色ＬＥＤ素子を有することでマゼンタ色の光を発する構成とし、それに組み合わせて用いられる波長変換シートが緑色蛍光体を有する構成とすることも可能である。この赤色ＬＥＤ素子に代えて、ＬＥＤの封止材に青色の光を励起光として赤色の光を発する赤色蛍光体を含有させるようにしても構わない。
【０３８４】
（４６）上記した（４５）以外にも、ＬＥＤが青色ＬＥＤ素子に加えて緑色の光を発する緑色ＬＥＤ素子を有することでシアン色の光を発する構成とし、それに組み合わせて用いられる波長変換シートが赤色蛍光体を有する構成とすることも可能である。この緑色ＬＥＤ素子に代えて、ＬＥＤの封止材に青色の光を励起光として緑色の光を発する緑色蛍光体を含有させるようにしても構わない。
【０３８５】
（４７）上記した実施形態２６に記載した構成を、実施形態２７〜２９に記載した構成に組み合わせることも可能である。上記した実施形態２７に記載した構成を、実施形態２９に記載した構成に組み合わせることも可能である。上記した実施形態２８に記載した構成を、実施形態２９に記載した構成に組み合わせることも可能である。
【０３８６】
（４８）実施形態２５〜２９では、波長変換シートが緑色蛍光体及び赤色蛍光体を含む構成とされる場合を示したが、波長変換シートに黄色蛍光体のみを含ませた構成としたり、黄色蛍光体に加えて赤色蛍光体や緑色蛍光体を含ませた構成としたりすることも可能である。
【０３８７】
（４９）実施形態２５〜２９では、波長変換シートに含まれる蛍光体として用いた量子ドット蛍光体をＣｄＳｅ及びＺｎＳからなるコア・シェル型とした場合を例示したが、内部組成を単一組成としたコア型量子ドット蛍光体を用いることも可能である。例えば、２価の陽イオンになるＺｎ、Ｃｄ、Ｈｇ、Ｐｂ等と２価の陰イオンになるＯ、Ｓ、Ｓｅ、Ｔｅ等とを組み合わせた材料（ＣｄＳｅ、ＣｄＳ、ＺｎＳ）を単独で用いることが可能である。さらには、３価の陽イオンとなるＧａ、Ｉｎ等と３価の陰イオンとなるＰ、Ａｓ、Ｓｂ等とを組み合わせた材料（ＩｎＰ（リン化インジウム）、ＧａＡｓ（ヒ化ガリウム）等）やカルコパイライト型化合物（ＣｕＩｎＳｅ2等）などを単独で用いることも可能である。また、コア・シェル型やコア型の量子ドット蛍光体以外にも、合金型の量子ドット蛍光体を用いることも可能である。また、カドミウムを含有しない量子ドット蛍光体を用いることも可能である。
【０３８８】
（５０）実施形態２５〜２９では、波長変換シートに含まれる蛍光体として用いた量子ドット蛍光体をＣｄＳｅ及びＺｎＳのコア・シェル型とした場合を例示したが、他の材料同士を組み合わせてなるコア・シェル型の量子ドット蛍光体を用いることも可能である。また、波長変換シートに含まれる蛍光体として用いた量子ドット蛍光体を、Ｃｄ（カドミウム）を含有しない量子ドット蛍光体とすることも可能である。
【０３８９】
（５１）実施形態２５〜２９では、波長変換シートに量子ドット蛍光体を含有させた構成のものを例示したが、他の種類の蛍光体を波長変換シートに含有させるようにしても構わない。例えば、波長変換シートに含有させる蛍光体として硫化物蛍光体を用いることができ、具体的には緑色蛍光体としてＳｒＧａ2Ｓ4：Ｅｕ2+を、赤色蛍光体として（Ｃａ，Ｓｒ，Ｂａ）Ｓ：Ｅｕ2+を、それぞれ用いることが可能である。
【０３９０】
（５２）上記した（５１）以外にも、波長変換シートに含有させる緑色蛍光体を、(Ｃａ，Ｓｒ，Ｂａ) 3ＳｉＯ4：Ｅｕ2+、β−ＳｉＡｌＯＮ：Ｅｕ2+、Ｃａ3Ｓｃ2Ｓｉ3Ｏ12：Ｃｅ3+などとすることができる。また、波長変換シートに含有させる赤色蛍光体を、(Ｃａ，Ｓｒ，Ｂａ) 2ＳｉＯ5Ｎ8：Ｅｕ2+、ＣａＡｌＳｉＮ3：Ｅｕ2+、複フッ化物蛍光体（マンガン付活のケイフッ化カリウム（Ｋ2ＴｉＦ6）など）などとすることができる。さらには、波長変換シートに含有させる黄色蛍光体を、(Ｙ，Ｇｄ) 3 (Ａｌ，Ｇａ) 5Ｏ12：Ｃｅ3+（通称 ＹＡＧ：Ｃｅ3+）、α−ＳｉＡｌＯＮ：Ｅｕ2+、(Ｃａ，Ｓｒ，Ｂａ) 3ＳｉＯ4：Ｅｕ2+などとすることができる。
【０３９１】
（５３）上記した（５１），（５２）以外にも、波長変換シートに含有させる蛍光体として有機蛍光体を用いることができる。有機蛍光体としては、例えばトリアゾールまたはオキサジアゾールを基本骨格とした低分子の有機蛍光体を用いることができる。
【０３９２】
（５４）上記した（５１），（５２），（５３）以外にも、波長変換シートに含有させる蛍光体としてドレスト光子（近接場光）を介したエネルギー移動によって波長変換を行う蛍光体を用いることも可能である。この種の蛍光体としては、具体的には、直径３ｎｍ〜５ｎｍ（好ましくは４ｎｍ程度）の酸化亜鉛量子ドット（ＺｎＯ−ＱＤ）にＤＣＭ色素を分散・混合させた構成の蛍光体を用いるのが好ましい。
【０３９３】
（５５）上記各実施形態では、ＬＥＤの発光スペクトル（ピーク波長の数値、ピークの半値幅の数値等）及び蛍光体層に含まれる蛍光体の発光スペクトル（ピーク波長の数値、ピークの半値幅の数値等）に関しては、適宜に変更することが可能である。
【０３９４】
（５６）上記各実施形態では、ＬＥＤを構成するＬＥＤ素子の材料としてＩｎＧａＮを用いた場合を示したが、他のＬＥＤ素子の材料として、例えばＧａＮ、ＡｌＧａＮ、ＧａＰ、ＺｎＳｅ、ＺｎＯ、ＡｌＧａＩｎＰ等を用いることも可能である。
【０３９５】
（５７）上記各実施形態では、液晶パネル及びシャーシがその短辺方向を鉛直方向と一致させた縦置き状態とされるものを例示したが、液晶パネル及びシャーシがその長辺方向を鉛直方向と一致させた縦置き状態とされるものも本発明に含まれる。
【０３９６】
（５８）上記各実施形態では、液晶表示装置のスイッチング素子としてＴＦＴを用いたが、ＴＦＴ以外のスイッチング素子（例えば薄膜ダイオード（ＴＦＤ））を用いた液晶表示装置にも適用可能であり、カラー表示する液晶表示装置以外にも、白黒表示する液晶表示装置にも適用可能である。
【０３９７】
（５９）上記各実施形態では、透過型の液晶表示装置を例示したが、それ以外にも反射型の液晶表示装置や半透過型の液晶表示装置にも本発明は適用可能である。
【０３９８】
（６０）上記各実施形態では、表示パネルとして液晶パネルを用いた液晶表示装置を例示したが、他の種類の表示パネルを用いた表示装置にも本発明は適用可能である。
【０３９９】
（６１）上記各実施形態では、チューナーを備えたテレビ受信装置を例示したが、チューナーを備えない表示装置にも本発明は適用可能である。具体的には、電子看板（デジタルサイネージ）や電子黒板として使用される液晶表示装置にも本発明は適用することができる。
【符号の説明】
【０４００】
１０…液晶表示装置（表示装置）、１２…照明装置（バックライト装置）、１３…ベゼル、１４…シャーシ、１５…光学部材、１５０…蛍光体シート（波長変換部材）、１６…フレーム、１７…ＬＥＤ（光源）、１８…ＬＥＤ基板、１９…導光板、１９ａ…光出射面、１９ｂ…裏面（反対面）、１９ｃ…光入射面、１９ｄ…反対側光源非対向面、２０…反射シート、２１…弾性部材、２２，１２２，２２２，２３，１２３，２２３…補色部、５０…蛍光体チューブ（波長変換部材）、６０…ホルダ、Ｓ１…隙間、４１９ａ…出光板面、４１９ｂ…入光端面、４１９ｄ…非入光端面、４１９ｄ１…非入光反対端面、４１９ｄ２…非入光側端面、４２０…板面波長変換シート（板面波長変換部材）、４２５…板面反射シート（板面反射部材）、４２７…端面波長変換シート（端面波長変換部材）、４２８…端面反射シート（端面反射部材）、４３１…端面波長変換部材、５２２…光反射・散乱パターン、５２３…第１の補色部材、５２４…第２の補色部材、６２９…中央側部分、６３０…外周側部分、６３１…再帰反射部、６３３…光散乱粒子、６３４…位置決め部、６３５…第１被位置決め部、６３６…第１被位置決め部
【図１】
2018166118.tif 000003
【図２】
2018166118.tif 000004
【図３】
2018166118.tif 000005
【図４】
2018166118.tif 000006
【図５】
2018166118.tif 000007
【図６】
2018166118.tif 000008
【図７】
2018166118.tif 000009
【図８】
2018166118.tif 000010
【図９】
2018166118.tif 000011
【図１０】
2018166118.tif 000012
【図１１】
2018166118.tif 000013
【図１２】
2018166118.tif 000014
【図１３】
2018166118.tif 000015
【図１４】
2018166118.tif 000016
【図１５】
2018166118.tif 000017
【図１６】
2018166118.tif 000018
【図１７】
2018166118.tif 000019
【図１８】
2018166118.tif 000020
【図１９】
2018166118.tif 000021
【図２０】
2018166118.tif 000022
【図２１】
2018166118.tif 000023
【図２２】
2018166118.tif 000024
【図２３】
2018166118.tif 000025
【図２４】
2018166118.tif 000026
【図２５】
2018166118.tif 000027
【図２６】
2018166118.tif 000028
【図２７】
2018166118.tif 000029
【図２８】
2018166118.tif 000030
【図２９】
2018166118.tif 000031
【図３０】
2018166118.tif 000032
【図３１】
2018166118.tif 000033
【図３２】
2018166118.tif 000034
【図３３】
2018166118.tif 000035
【図３４】
2018166118.tif 000036
【図３５】
2018166118.tif 000037
【図３６】
2018166118.tif 000038
【図３７】
2018166118.tif 000039
【図３８】
2018166118.tif 000040
【図３９】
2018166118.tif 000041
【図４０】
2018166118.tif 000042
【図４１】
2018166118.tif 000043
【図４２】
2018166118.tif 000044
【図４３】
2018166118.tif 000045
【図４４】
2018166118.tif 000046
【図４５】
2018166118.tif 000047
【図４６】
2018166118.tif 000048
【図４７】
2018166118.tif 000049
【図４８】
2018166118.tif 000050
【図４９】
2018166118.tif 000051
【図５０】
2018166118.tif 000052
【図５１】
2018166118.tif 000053
【図５２】
2018166118.tif 000054
【図５３】
2018166118.tif 000055
【図５４】
2018166118.tif 000056
【図５５】
2018166118.tif 000057
【図５６】
2018166118.tif 000058
【図５７】
2018166118.tif 000059
【図５８】
2018166118.tif 000060
【図５９】
2018166118.tif 000061
【図６０】
2018166118.tif 000062
【図６１】
2018166118.tif 000063
【図６２】
2018166118.tif 000064
【図６３】
2018166118.tif 000065
【図６４】
2018166118.tif 000066